(57)【要約】  本出願の実施例は異周波数／異システム測定のための方法、端末装置とネットワーク装置を開示する。該方法は端末装置がネットワーク装置へターゲット測定間隔（ＧＡＰ）モードを確定するための補助情報を送信することと、該端末装置が該ネットワーク装置から送信された指示情報を受信することであって、該指示情報が該ターゲット測定間隔（ＧＡＰ）モードを示すことに用いられることと、該端末装置が該ターゲット測定間隔（ＧＡＰ）モードに応じて、異周波数／異システム測定を行うこととを含む。本出願の実施例の方法、端末装置とネットワーク装置によれば、端末装置は、ネットワーク装置へいくつかの補助情報を送信し、これにより、ネットワーク装置は端末装置の性能をより良く理解し、さらに適切な測定間隔（ＧＡＰ）モードを配置し、それによって測定レポートの精度を向上させ、さらにシステムの性能を高めることに有利である。
2020532153.tif 000002
【特許請求の範囲】
【請求項１】
異周波数／異システム測定のための方法であって、
端末装置がネットワーク装置へターゲット測定間隔（ＧＡＰ）モードを確定するための補助情報を送信することと、
前記端末装置が前記ネットワーク装置から送信された指示情報を受信することであって、前記指示情報が前記ターゲット測定ＧＡＰモードを示すことに用いられることと、
前記端末装置が前記ターゲット測定ＧＡＰモードに応じて、異周波数／異システム測定を行うこととを含む、前記異方法。
【請求項２】
前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、該方法はさらに、
前記端末装置が複数の測定ＧＡＰモードから、前記所望の測定ＧＡＰモードを確定することを含むことを特徴とする
請求項１に記載の方法。
【請求項３】
前記端末装置が複数の測定ＧＡＰモードから、前記所望の測定ＧＡＰモードを確定することは、
前記端末装置が、前記端末装置の移動速度情報、前記端末装置の現在のサービスのサービス品質（ＱｏＳ）情報、前記端末装置の検出されたサービスのＱｏＳ情報と前記端末装置の現在のチャネル品質情報のうちの少なくとも一つの情報に基づき、前記複数の測定ＧＡＰモードから、前記所望の測定ＧＡＰモードを確定することを含むことを特徴とする
請求項２に記載の方法。
【請求項４】
前記端末装置が前記端末装置の移動速度情報に基づき、前記複数のＧＡＰモードから、前記所望の測定ＧＡＰモードを確定することは、
前記端末装置の移動速度が第一の閾値以上である場合、前記端末装置が前記複数の測定ＧＡＰモードのうちの第一の測定ＧＡＰモードを前記所望の測定ＧＡＰモードとして確定することと、
前記端末装置の移動速度が前記第一の閾値より小さい場合、前記端末装置が前記複数の測定ＧＡＰモードのうちの第二の測定ＧＡＰモードを前記所望の測定ＧＡＰモードとして確定し、前記第一の測定ＧＡＰモードのＧＡＰ周期が前記第二の測定ＧＡＰモードのＧＡＰ周期より小さいこととを含むことを特徴とする
請求項３に記載の方法。
【請求項５】
前記端末装置が前記端末装置の現在のサービスのＱｏＳ情報に基づき、前記複数の測定ＧＡＰモードから、前記所望の測定ＧＡＰモードを確定することは、
前記現在のサービスのＱｏＳ情報におけるサービス遅延ニーズが第二の閾値以上である場合、前記端末装置が前記複数の測定ＧＡＰモードのうちの第三の測定ＧＡＰモードを前記所望の測定ＧＡＰモードとして確定することと、
前記現在のサービスのＱｏＳ情報におけるサービス遅延ニーズが第二の閾値より小さい場合、前記端末装置が前記複数の測定ＧＡＰモードのうちの第四の測定ＧＡＰモードを前記所望の測定ＧＡＰモードとして確定し、前記第三の測定ＧＡＰモードのＧＡＰ周期が前記第四の測定ＧＡＰモードのＧＡＰ周期より大きいこととを含むことを特徴とする
請求項３に記載の方法。
【請求項６】
前記端末装置が前記端末装置の現在のサービスのＱｏＳ情報に基づき、前記複数の測定ＧＡＰモードから、前記所望の測定ＧＡＰモードを確定することは、
前記現在のサービスのＱｏＳ情報におけるデータレートニーズが第三の閾値以上である場合、前記端末装置が前記複数の測定ＧＡＰモードのうちの第五の測定ＧＡＰモードを前記所望の測定ＧＡＰモードとして確定することと、
前記現在のサービスのＱｏＳ情報におけるデータレートニーズが第三の閾値より小さい場合、前記端末装置が前記複数の測定ＧＡＰモードのうちの第六の測定ＧＡＰモードを前記所望の測定ＧＡＰモードとして確定し、前記第五の測定ＧＡＰモードのＧＡＰ周期が前記第六の測定ＧＡＰモードのＧＡＰ周期より小さいこととを含むことを特徴とする
請求項３に記載の方法。
【請求項７】
前記端末装置が検出されたサービスのＱｏＳ情報に基づき、前記複数の測定ＧＡＰモードから、前記所望の測定ＧＡＰモードを確定することは、
前記検出されたサービスのＱｏＳ情報におけるサービス遅延が第四の閾値以上である場合、前記端末装置が前記複数の測定ＧＡＰモードのうちの第七の測定ＧＡＰモードを前記所望の測定ＧＡＰモードとして確定することと、
前記検出されたサービスのＱｏＳ情報におけるサービス遅延が前記第四の閾値より小さい場合、前記端末装置が前記複数の測定ＧＡＰモードのうちの第八の測定ＧＡＰモードを前記所望の測定ＧＡＰモードとして確定し、前記第七の測定ＧＡＰモードのＧＡＰ周期が前記第八の測定ＧＡＰモードのＧＡＰ周期より大きいこととを含むことを特徴とする
請求項３に記載の方法。
【請求項８】
前記端末装置が検出されたサービスのＱｏＳ情報に基づき、前記複数の測定ＧＡＰモードから、前記所望の測定ＧＡＰモードを確定することは、
前記検出されたサービスのＱｏＳ情報におけるデータレートが第五の閾値以上である場合、前記端末装置が前記複数の測定ＧＡＰモードのうちの第九の測定ＧＡＰモードを前記所望の測定ＧＡＰモードとして確定することと、
前記検出されたサービスのＱｏＳ情報におけるデータレートが前記第五の閾値より小さい場合、前記端末装置が前記複数の測定ＧＡＰモードのうちの第十の測定ＧＡＰモードを前記所望の測定ＧＡＰモードとして確定し、前記第九の測定ＧＡＰモードのＧＡＰ周期が前記第十の測定ＧＡＰモードのＧＡＰ周期より小さいこととを含むことを特徴とする
請求項３に記載の方法。
【請求項９】
前記端末装置が前記端末装置の現在のサービスのＱｏＳ情報に基づき、前記複数の測定ＧＡＰモードから、前記所望の測定ＧＡＰモードを確定することは、
前記端末装置の現在のチャネル品質が第六の閾値より低い場合、前記端末装置が前記複数の測定ＧＡＰモードのうちの第十一の測定ＧＡＰモードを前記所望の測定ＧＡＰモードとして確定することと、
前記端末装置の現在のチャネル品質が前記第六の閾値以上である場合、前記端末装置が前記複数の測定ＧＡＰモードのうちの第十二の測定ＧＡＰモードを前記所望の測定ＧＡＰモードとして確定し、前記第十一の測定ＧＡＰモードのＧＡＰ周期が前記第十二の測定ＧＡＰモードのＧＡＰ周期より小さいこととを含むことを特徴とする
請求項３に記載の方法。
【請求項１０】
前記複数の測定ＧＡＰモードはプロトコルによって定められ又はネットワーク装置によって予め配置されることを特徴とする
請求項２−７のいずれか一項に記載の方法。
【請求項１１】
前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含むことを特徴とする
請求項１に記載の方法。
【請求項１２】
前記端末装置が前記ネットワーク装置から送信された指示情報を受信することは、
前記端末装置が無線リソース制御（ＲＲＣ）シグナリングによって前記指示情報を受信することを含むことを特徴とする
請求項１−１１のいずれか一項に記載の方法。
【請求項１３】
異周波数／異システム測定のための方法であって、
ネットワーク装置が端末装置から送信された測定間隔（ＧＡＰ）の補助情報を受信することと、
前記ネットワーク装置が前記補助情報に基づき、異周波数／異システム測定のためのターゲット測定ＧＡＰモードを確定することと、
前記ネットワーク装置が前記端末装置へ前記ターゲット測定ＧＡＰモードを示すための指示情報を送信することとを含む、前記方法。
【請求項１４】
前記補助情報は、前記端末装置の移動速度情報、前記端末装置の現在のサービスのサービス品質（ＱｏＳ）情報、前記端末装置の検出されたサービスのＱｏＳ情報と前記端末装置の現在のチャネル品質情報のうちの少なくとも一つの情報を含むことを特徴とする
請求項１３に記載の方法。
【請求項１５】
前記補助情報が前記端末装置の移動速度情報を含む場合、前記ネットワーク装置が前記補助情報に基づき、異周波数／異システム測定のためのターゲット測定ＧＡＰモードを確定することは、
前記端末装置の移動速度が第一の閾値以上である場合、前記ネットワーク装置が、ＧＡＰ周期が第一の周期であるＧＡＰモードを前記ターゲット測定ＧＡＰモードとして確定することと、
前記端末装置の移動速度が前記第一の閾値より小さい場合、前記ネットワーク装置が、ＧＡＰ周期が第二の周期であるＧＡＰモードを前記ターゲット測定ＧＡＰモードとして確定し、前記第一の周期が前記第二の周期より小さいこととを特徴とする
請求項１３又は１４に記載の方法。
【請求項１６】
前記補助情報が前記端末装置の現在のサービスのＱｏＳ情報を含む場合、前記ネットワーク装置が前記補助情報に基づき、異周波数／異システム測定のためのターゲット測定ＧＡＰモードを確定することは、
前記現在のサービスのＱｏＳ情報におけるサービス遅延ニーズが第二の閾値以上である場合、前記ネットワーク装置が、ＧＡＰ周期が第三の周期であるＧＡＰモードを前記ターゲット測定ＧＡＰモードとして確定することと、
前記現在のサービスのＱｏＳ情報におけるサービス遅延ニーズが第二の閾値より小さい場合、前記ネットワーク装置が、ＧＡＰ周期が第四の周期であるＧＡＰモードを前記ターゲット測定ＧＡＰモードとして確定し、前記第三の周期が前記第四の周期より大きいこととを含むことを特徴とする
請求項１３又は１４に記載の方法。
【請求項１７】
前記補助情報が前記端末装置の現在のサービスのＱｏＳ情報を含む場合、前記ネットワーク装置が前記補助情報に基づき、異周波数／異システム測定のためのターゲット測定ＧＡＰモードを確定することは、
前記現在のサービスのＱｏＳ情報におけるデータレートニーズが第三の閾値以上である場合、前記ネットワーク装置が、ＧＡＰ周期が第五の周期であるＧＡＰモードを前記ターゲット測定ＧＡＰモードとして確定することと、
前記現在のサービスのＱｏＳ情報におけるデータレートニーズが第三の閾値より小さい場合、前記ネットワーク装置が、ＧＡＰ周期が第六の周期であるＧＡＰモードを前記ターゲット測定ＧＡＰモードとして確定し、前記第五の周期が前記第六の周期より小さいこととを含むことを特徴とする
請求項１３又は１４に記載の方法。
【請求項１８】
前記補助情報が前記端末装置の検出されたサービスのＱｏＳ情報を含む場合、前記ネットワーク装置が前記補助情報に基づき、異周波数／異システム測定のためのターゲット測定ＧＡＰモードを確定することは、
前記検出されたサービスのＱｏＳ情報におけるサービス遅延が第四の閾値以上である場合、前記ネットワーク装置が、ＧＡＰ周期が第七の周期であるＧＡＰモードを前記ターゲット測定ＧＡＰモードとして確定することと、
前記検出されたサービスのＱｏＳ情報におけるサービス遅延が第四の閾値より小さい場合、前記ネットワーク装置が、ＧＡＰ周期が第八の周期であるＧＡＰモードを前記ターゲット測定ＧＡＰモードとして確定し、前記第七の周期が前記第八の周期より大きいこととを含むことを特徴とする
請求項１３又は１４に記載の方法。
【請求項１９】
前記補助情報が前記端末装置の検出されたサービスのＱｏＳ情報を含む場合、前記ネットワーク装置が前記補助情報に基づき、異周波数／異システム測定のためのターゲット測定ＧＡＰモードを確定することは、
前記検出されたサービスのＱｏＳ情報におけるデータレートが第五の閾値以上である場合、前記ネットワーク装置が、ＧＡＰ周期が第九の周期であるＧＡＰモードを前記ターゲット測定ＧＡＰモードとして確定することと、
前記検出されたサービスのＱｏＳ情報におけるデータレートが第五の閾値より小さい場合、前記ネットワーク装置が、ＧＡＰ周期が第十の周期であるＧＡＰモードを前記ターゲット測定ＧＡＰモードとして確定し、前記第九の周期が前記第十の周期より大きいこととを含むことを特徴とする
請求項１３又は１４に記載の方法。
【請求項２０】
前記補助情報が前記端末装置の現在のチャネル品質情報を含む場合、前記ネットワーク装置が前記補助情報に基づき、異周波数／異システム測定のためのターゲット測定ＧＡＰモードを確定することは、
前記端末装置の現在のチャネル品質が第六の閾値より低い場合、前記ネットワーク装置が、ＧＡＰ周期が第十一の周期であるＧＡＰモードを前記ターゲット測定ＧＡＰモードとして確定することと、
前記端末装置の現在のチャネル品質が前記第六の閾値以上である場合、前記ネットワーク装置が、ＧＡＰ周期が第十二の周期であるＧＡＰモードを前記ターゲット測定ＧＡＰモードとして確定し、前記第十一の周期が前記第十二の周期より小さいこととを特徴とする
請求項１３又は１４に記載の方法。
【請求項２１】
前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、前記ネットワーク装置が前記補助情報に基づき、異周波数／異システム測定のためのターゲット測定ＧＡＰモードを確定することは、
前記ネットワーク装置が前記端末装置の所望の測定ＧＡＰモード又は増分値に基づき、前記ターゲット測定ＧＡＰモードを確定することを含むことを特徴とする
請求項１３に記載の方法。
【請求項２２】
前記ネットワーク装置が前記端末装置へ前記ターゲット測定ＧＡＰモードを示すための指示情報を送信することは、
前記ネットワーク装置が無線リソース制御（ＲＲＣ）シグナリングによって前記端末装置へ前記指示情報を送信することを含むことを特徴とする
請求項１３−２１のいずれか一項に記載の方法。
【請求項２３】
異周波数／異システム測定のための方法であって、
端末装置が複数の測定間隔（ＧＡＰ）モードから、ターゲット測定ＧＡＰモードを確定することと、
前記端末装置がネットワーク装置へ前記ターゲット測定ＧＡＰモードを示すための指示情報を送信することと、
前記端末装置が前記ターゲット測定ＧＡＰモードに応じて、異周波数／異システム測定を行うこととを含む、前記方法。
【請求項２４】
前記端末装置が複数の測定ＧＡＰモードから、前記ターゲット測定ＧＡＰモードを確定することは、
前記端末装置が前記端末装置の移動速度情報、前記端末装置の現在のサービスのサービス品質（ＱｏＳ）情報、前記端末装置の検出されたサービスのＱｏＳ情報と前記端末装置の現在のチャネル品質情報のうちの少なくとも一つの情報に基づき、前記複数の測定ＧＡＰモードから、前記ターゲット測定ＧＡＰモードを確定することを含むことを特徴とする
請求項２３に記載の方法。
【請求項２５】
前記端末装置が前記端末装置の移動速度情報に基づき、前記複数の測定ＧＡＰモードから、前記ターゲット測定ＧＡＰモードを確定することは、
前記端末装置の移動速度が第一の閾値以上である場合、前記端末装置が前記複数の測定ＧＡＰモードのうちの第一の測定ＧＡＰモードを前記ターゲット測定ＧＡＰモードとして確定することと、
前記端末装置の移動速度が前記第一の閾値より小さい場合、前記端末装置が前記複数の測定ＧＡＰモードのうちの第二の測定ＧＡＰモードを前記ターゲット測定ＧＡＰモードとして確定し、前記第一の測定ＧＡＰモードのＧＡＰ周期が前記第二の測定ＧＡＰモードのＧＡＰ周期より小さいこととを含むことを特徴とする
請求項２４に記載の方法。
【請求項２６】
前記端末装置が前記端末装置の現在のサービスのＱｏＳ情報に基づき、前記複数の測定ＧＡＰモードから、前記ターゲット測定ＧＡＰモードを確定することは、
前記現在のサービスのＱｏＳ情報におけるサービス遅延ニーズが第二の閾値以上である場合、前記端末装置が前記複数の測定ＧＡＰモードのうちの第三の測定ＧＡＰモードを前記ターゲット測定ＧＡＰモードとして確定することと、
前記現在のサービスのＱｏＳ情報におけるサービス遅延ニーズが第二の閾値より小さい場合、前記端末装置が前記複数の測定ＧＡＰモードのうちの第四の測定ＧＡＰモードを前記ターゲット測定ＧＡＰモードとして確定し、前記第三の測定ＧＡＰモードのＧＡＰ周期が前記第四の測定ＧＡＰモードのＧＡＰ周期より大きいこととを含むことを特徴とする
請求項２４に記載の方法。
【請求項２７】
前記端末装置が前記端末装置の現在のサービスのＱｏＳ情報に基づき、前記複数の測定ＧＡＰモードから、前記ターゲット測定ＧＡＰモードを確定することは、
前記現在のサービスのＱｏＳ情報におけるデータレートニーズが第三の閾値以上である場合、前記端末装置が前記複数の測定ＧＡＰモードのうちの第五の測定ＧＡＰモードを前記ターゲット測定ＧＡＰモードとして確定することと、
前記現在のサービスのＱｏＳ情報におけるデータレートニーズが第三の閾値より小さい場合、前記端末装置が前記複数の測定ＧＡＰモードのうちの第六の測定ＧＡＰモードを前記ターゲット測定ＧＡＰモードとして確定し、前記第五の測定ＧＡＰモードのＧＡＰ周期が前記第六の測定ＧＡＰモードのＧＡＰ周期より小さいこととを含むことを特徴とする
請求項２４に記載の方法。
【請求項２８】
前記端末装置が検出されたサービスのＱｏＳ情報に基づき、前記複数の測定ＧＡＰモードから、前記ターゲット測定ＧＡＰモードを確定することは、
前記検出されたサービスのＱｏＳ情報におけるサービス遅延が第四の閾値以上である場合、前記端末装置が前記複数の測定ＧＡＰモードのうちの第七の測定ＧＡＰモードを前記ターゲット測定ＧＡＰモードとして確定することと、
前記検出されたサービスのＱｏＳ情報におけるサービス遅延が第四の閾値より小さい場合、前記端末装置が前記複数の測定ＧＡＰモードのうちの第八の測定ＧＡＰモードを前記ターゲット測定ＧＡＰモードとして確定し、前記第七の測定ＧＡＰモードのＧＡＰ周期が前記第八の測定ＧＡＰモードのＧＡＰ周期より大きいこととを含むことを特徴とする
請求項２４に記載の方法。
【請求項２９】
前記端末装置が検出されたサービスのＱｏＳ情報に基づき、前記複数の測定ＧＡＰモードから、前記ターゲット測定ＧＡＰモードを確定することは、
前記検出されたサービスのＱｏＳ情報におけるデータレートが第五の閾値以上である場合、前記端末装置が前記複数の測定ＧＡＰモードのうちの第九の測定ＧＡＰモードを前記ターゲット測定ＧＡＰモードとして確定することと、
前記検出されたサービスのＱｏＳ情報におけるデータレートが第五の閾値より小さい場合、前記端末装置が前記複数の測定ＧＡＰモードのうちの第十の測定ＧＡＰモードを前記ターゲット測定ＧＡＰモードとして確定し、前記第九の測定ＧＡＰモードのＧＡＰ周期が前記第十の測定ＧＡＰモードのＧＡＰ周期より小さいこととを含むことを特徴とする
請求項２４に記載の方法。
【請求項３０】
前記端末装置が前記端末装置の現在のサービスのＱｏＳ情報に基づき、前記複数の測定ＧＡＰモードから、前記ターゲット測定ＧＡＰモードを確定することは、
前記端末装置の現在のチャネル品質が第六の閾値より低い場合、前記端末装置が前記複数の測定ＧＡＰモードのうちの第十一の測定ＧＡＰモードを前記ターゲット測定ＧＡＰモードとして確定することと、
前記端末装置の現在のチャネル品質が前記第六の閾値以上である場合、前記端末装置が前記複数の測定ＧＡＰモードのうちの第十二の測定ＧＡＰモードを前記ターゲット測定ＧＡＰモードとして確定し、前記第十一の測定ＧＡＰモードのＧＡＰ周期が前記第十二の測定ＧＡＰモードのＧＡＰ周期より小さいこととを含むことを特徴とする
請求項２４に記載の方法。
【請求項３１】
前記複数の測定ＧＡＰモードはプロトコルによって定められ又はネットワーク装置によって予め配置されることを特徴とする
請求項２３−３０のいずれか一項に記載の方法。
【請求項３２】
端末装置であって、
ネットワーク装置へターゲット測定間隔（ＧＡＰ）モードを確定するための補助情報を送信するように構成される送信ユニットと、
前記ネットワーク装置から送信された指示情報を受信するように構成され、前記指示情報が該ターゲット測定ＧＡＰモードを示すことに用いられる受信ユニットと、
前記ターゲット測定ＧＡＰモードに応じて、異周波数／異システム測定を行うように構成される測定ユニットとを備える、前記端末装置。
【請求項３３】
前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、前記端末装置はさらに、
複数の測定ＧＡＰモードから、前記所望の測定ＧＡＰモードを確定するように構成される確定ユニットとを備えることを特徴とする
請求項３２に記載の端末装置。
【請求項３４】
前記確定ユニットは具体的に、
前記端末装置の移動速度情報、前記端末装置の現在のサービスのサービス品質（ＱｏＳ）情報、前記端末装置の検出されたサービスの測定ＧＡＰ情報と前記端末装置の現在のチャネル品質情報のうちの少なくとも一つの情報に基づき、前記複数の測定ＧＡＰモードから、前記所望の測定ＧＡＰモードを確定するように構成されることを特徴とする
請求項３３に記載の端末装置。
【請求項３５】
前記確定ユニットは具体的に、
前記端末装置の移動速度が第一の閾値以上である場合、前記複数の測定ＧＡＰモードのうちの第一の測定ＧＡＰモードを前記所望の測定ＧＡＰモードとして確定し、
前記端末装置の移動速度が前記第一の閾値より小さい場合、前記複数の測定ＧＡＰモードのうちの第二の測定ＧＡＰモードを前記所望の測定ＧＡＰモードとして確定するように構成され、前記第一の測定ＧＡＰモードのＧＡＰ周期が前記第二の測定ＧＡＰモードのＧＡＰ周期より小さいことを特徴とする
請求項３４に記載の端末装置。
【請求項３６】
前記確定ユニットは具体的に、
前記現在のサービスのＱｏＳ情報におけるサービス遅延ニーズが第二の閾値以上である場合、前記複数の測定ＧＡＰモードのうちの第三の測定ＧＡＰモードを前記所望の測定ＧＡＰモードとして確定し、
前記現在のサービスのＱｏＳ情報におけるサービス遅延ニーズが第二の閾値より小さい場合、前記複数の測定ＧＡＰモードのうちの第四の測定ＧＡＰモードを前記所望の測定ＧＡＰモードとして確定するように構成され、前記第三の測定ＧＡＰモードのＧＡＰ周期が前記第四の測定ＧＡＰモードのＧＡＰ周期より大きいことを特徴とする
請求項３４に記載の端末装置。
【請求項３７】
前記確定ユニットは具体的に、
前記現在のサービスのＱｏＳ情報におけるデータレートニーズが第三の閾値以上である場合、前記複数の測定ＧＡＰモードのうちの第五の測定ＧＡＰモードを前記所望の測定ＧＡＰモードとして確定し、
前記現在のサービスのＱｏＳ情報におけるデータレートニーズが第三の閾値より小さい場合、前記複数の測定ＧＡＰモードのうちの第六の測定ＧＡＰモードを前記所望の測定ＧＡＰモードとして確定するように構成され、前記第五の測定ＧＡＰモードのＧＡＰ周期が前記第六の測定ＧＡＰモードのＧＡＰ周期より小さいことを特徴とする
請求項３４に記載の端末装置。
【請求項３８】
前記確定ユニットは具体的に、
前記検出されたサービスのＱｏＳ情報におけるサービス遅延が第四の閾値以上である場合、前記複数の測定ＧＡＰモードのうちの第七の測定ＧＡＰモードを前記所望の測定ＧＡＰモードとして確定し、
前記検出されたサービスのＱｏＳ情報におけるサービス遅延が第四の閾値より小さい場合、前記複数の測定ＧＡＰモードのうちの第八の測定ＧＡＰモードを前記所望の測定ＧＡＰモードとして確定するように構成され、前記第七の測定ＧＡＰモードのＧＡＰ周期が前記第八の測定ＧＡＰモードのＧＡＰ周期より大きいことを特徴とする
請求項３４に記載の端末装置。
【請求項３９】
前記確定ユニットは具体的に、
前記検出されたサービスのＱｏＳ情報におけるデータレートが第五の閾値以上である場合、前記複数の測定ＧＡＰモードのうちの第九の測定ＧＡＰモードを前記ターゲット測定ＧＡＰモードとして確定し、
前記検出されたサービスのＱｏＳ情報におけるデータレートが第五の閾値より小さい場合、前記複数の測定ＧＡＰモードのうちの第十の測定ＧＡＰモードを前記ターゲット測定ＧＡＰモードとして確定するように構成され、前記第九の測定ＧＡＰモードのＧＡＰ周期が前記第十の測定ＧＡＰモードのＧＡＰ周期より小さいことを特徴とする
請求項３４に記載の端末装置。
【請求項４０】
前記確定ユニットは具体的に、
前記端末装置の現在のチャネル品質が第六の閾値より低い場合、前記複数の測定ＧＡＰモードのうちの第十一の測定ＧＡＰモードを前記所望の測定ＧＡＰモードとして確定し、
前記端末装置の現在のチャネル品質が前記第六の閾値以上である場合、前記複数の測定ＧＡＰモードのうちの第八の測定ＧＡＰモードを前記所望の測定ＧＡＰモードとして確定するように構成され、前記第十一の測定ＧＡＰモードのＧＡＰ周期が前記第十二の測定ＧＡＰモードのＧＡＰ周期より小さいことを特徴とする
請求項３４に記載の端末装置。
【請求項４１】
前記複数の測定ＧＡＰモードはプロトコルによって定められ又はネットワーク装置によって予め配置されることを特徴とする
請求項３３−４０のいずれか一項に記載の端末装置。
【請求項４２】
前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含むことを特徴とする
請求項３２に記載の端末装置。
【請求項４３】
前記受信ユニットは具体的に、
無線リソース制御（ＲＲＣ）シグナリングによって前記指示情報を受信するように構成されることを特徴とする
請求項３２−４２のいずれか一項に記載の端末装置。
【請求項４４】
ネットワーク装置であって、
端末装置から送信された測定間隔（ＧＡＰ）の補助情報を受信するように構成される受信ユニットと、
前記補助情報に基づき、異周波数／異システム測定のためのターゲット測定ＧＡＰモードを確定するように構成される確定ユニットと、
前記端末装置へ前記ターゲット測定ＧＡＰモードを示すための指示情報を送信するように構成される送信ユニットとを備える、前記ネットワーク装置。
【請求項４５】
前記補助情報は、前記端末装置の移動速度情報、前記端末装置の現在のサービスのサービス品質（ＱｏＳ）情報、前記端末装置の検出されたサービスのＱｏＳ情報と前記端末装置の現在のチャネル品質情報のうちの少なくとも一つの情報を含むことを特徴とする
請求項４４に記載のネットワーク装置。
【請求項４６】
前記補助情報が前記端末装置の移動速度情報を含む場合、前記確定ユニットは具体的に、
前記端末装置の移動速度が第一の閾値以上である場合、ＧＡＰ周期が第一の周期であるＧＡＰモードを前記ターゲット測定ＧＡＰモードとして確定し、
前記端末装置の移動速度が前記第一の閾値より小さい場合、ＧＡＰ周期が第二の周期であるＧＡＰモードを前記ターゲット測定ＧＡＰモードとして確定するように構成され、前記第一の周期が前記第二の周期より小さいことを特徴とする
請求項４４又は４５に記載のネットワーク装置。
【請求項４７】
前記補助情報が前記端末装置の現在のサービスのＱｏＳ情報を含む場合、前記確定ユニットは具体的に、
前記現在のサービスのＱｏＳ情報におけるサービス遅延ニーズが第二の閾値以上である場合、ＧＡＰ周期が第三の周期であるＧＡＰモードを前記ターゲット測定ＧＡＰモードとして確定し、
前記現在のサービスのＱｏＳ情報におけるサービス遅延ニーズが第二の閾値より小さい場合、ＧＡＰ周期が第四の周期であるＧＡＰモードを前記ターゲット測定ＧＡＰモードとして確定するように構成され、前記第三の周期が前記第四の周期より大きいことを特徴とする
請求項４４又は４５に記載のネットワーク装置。
【請求項４８】
前記補助情報が前記端末装置の現在のサービスのＱｏＳ情報を含む場合、前記確定ユニットは具体的に、
前記現在のサービスのＱｏＳ情報におけるデータレートニーズが第三の閾値以上である場合、ＧＡＰ周期が第五の周期であるＧＡＰモードを前記ターゲット測定ＧＡＰモードとして確定し、
前記現在のサービスのＱｏＳ情報におけるデータレートニーズが第三の閾値より小さい場合、ＧＡＰ周期が第六の周期であるＧＡＰモードを前記ターゲット測定ＧＡＰモードとして確定するように構成され、前記第五の周期が前記第六の周期より小さいことを特徴とする
請求項４４又は４５に記載のネットワーク装置。
【請求項４９】
前記補助情報が前記端末装置の検出されたサービスのＱｏＳ情報を含む場合、前記確定ユニットは具体的に、
前記検出されたサービスのＱｏＳ情報におけるサービス遅延が第四の閾値以上である場合、ＧＡＰ周期が第七の周期であるＧＡＰモードを前記ターゲット測定ＧＡＰモードとして確定し、
前記検出されたサービスのＱｏＳ情報におけるサービス遅延が前記第四の閾値より小さい場合、ＧＡＰ周期が第八の周期であるＧＡＰモードを前記ターゲット測定ＧＡＰモードとして確定するように構成され、前記第七の周期が前記第八の周期より大きいことを特徴とする
請求項４４又は４５に記載のネットワーク装置。
【請求項５０】
前記補助情報が前記端末装置の検出されたサービスのＱｏＳ情報を含む場合、前記確定ユニットは具体的に、
前記検出されたサービスのＱｏＳ情報におけるデータレートが第五の閾値以上である場合、ＧＡＰ周期が第九の周期であるＧＡＰモードを前記ターゲット測定ＧＡＰモードとして確定し、
前記検出されたサービスのＱｏＳ情報におけるデータレートが前記第五の閾値より小さい場合、ＧＡＰ周期が第十の周期であるＧＡＰモードを前記ターゲット測定ＧＡＰモードとして確定し、前記第九の周期が前記第十の周期より大きいことを特徴とする
請求項４４又は４５に記載のネットワーク装置。
【請求項５１】
前記補助情報が前記端末装置の現在のチャネル品質情報を含む場合、
前記確定ユニットは具体的に、
前記端末装置の現在のチャネル品質が第六の閾値より低い場合、ＧＡＰ周期が第十一の周期であるＧＡＰモードを前記ターゲット測定ＧＡＰモードとして確定し、
前記端末装置の現在のチャネル品質が前記第六の閾値以上である場合、ＧＡＰ周期が第十二の周期であるＧＡＰモードを前記ターゲット測定ＧＡＰモードとして確定するように構成され、前記第十一の周期が前記第十二の周期より小さいことを特徴とする
請求項４４又は４５に記載のネットワーク装置。
【請求項５２】
前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、前記確定ユニットは具体的に、
前記ネットワーク装置が前記端末装置の所望の測定ＧＡＰモード又は前記増分値に基づき、前記ターゲット測定ＧＡＰモードを確定するように構成されることを特徴とする
請求項４４に記載のネットワーク装置。
【請求項５３】
前記送信ユニットは具体的に、
無線リソース制御（ＲＲＣ）シグナリングによって前記端末装置へ前記指示情報を送信するように構成されることを特徴とする
請求項４４−５２のいずれか一項に記載のネットワーク装置。
【請求項５４】
端末装置であって、
複数の測定間隔（ＧＡＰ）モードから、ターゲット測定間隔（ＧＡＰ）モードを確定するように構成される確定ユニットと、
ネットワーク装置へ前記ターゲット測定ＧＡＰモードを示すための指示情報を送信するように構成される送信ユニットと、
前記ターゲット測定ＧＡＰモードに応じて、異周波数／異システム測定を行うように構成される測定ユニットとを備える、前記端末装置。
【請求項５５】
前記確定ユニットは具体的に、
前記端末装置の移動速度情報、前記端末装置の現在のサービスのサービス品質（ＱｏＳ）情報、前記端末装置の検出されたサービスのＱｏＳ情報と前記端末装置の現在のチャネル品質情報のうちの少なくとも一つの情報に基づき、前記複数の測定ＧＡＰモードから、前記ターゲット測定ＧＡＰモードを確定するように構成されることを特徴とする
請求項５４に記載の端末装置。
【請求項５６】
前記確定ユニットは具体的に、
前記端末装置の移動速度が第一の閾値以上である場合、前記複数の測定ＧＡＰモードのうちの第一の測定ＧＡＰモードを前記ターゲット測定ＧＡＰモードとして確定し、
前記端末装置の移動速度が前記第一の閾値より小さい場合、前記複数の測定ＧＡＰモードのうちの第二の測定ＧＡＰモードを前記ターゲット測定ＧＡＰモードとして確定するように構成され、前記第一の測定ＧＡＰモードのＧＡＰ周期が前記第二の測定ＧＡＰモードのＧＡＰ周期より小さいことを特徴とする
請求項５５に記載の端末装置。
【請求項５７】
前記確定ユニットは具体的に、
前記現在のサービスのＱｏＳ情報におけるサービス遅延ニーズが第二の閾値以上である場合、前記複数の測定ＧＡＰモードのうちの第三の測定ＧＡＰモードを前記ターゲット測定ＧＡＰモードとして確定し、
前記現在のサービスのＱｏＳ情報におけるサービス遅延ニーズが第二の閾値より小さい場合、前記複数の測定ＧＡＰモードのうちの第四の測定ＧＡＰモードを前記ターゲット測定ＧＡＰモードとして確定するように構成され、前記第三の測定ＧＡＰモードのＧＡＰ周期が前記第四の測定ＧＡＰモードのＧＡＰ周期より大きいことを特徴とする
請求項５５に記載の端末装置。
【請求項５８】
前記確定ユニットは具体的に、
前記現在のサービスのＱｏＳ情報におけるデータレートニーズが第三の閾値以上である場合、前記複数の測定ＧＡＰモードのうちの第五の測定ＧＡＰモードを前記ターゲット測定ＧＡＰモードとして確定し、
前記現在のサービスのＱｏＳ情報におけるデータレートニーズが第三の閾値より小さい場合、前記複数の測定ＧＡＰモードのうちの第六の測定ＧＡＰモードを前記ターゲット測定ＧＡＰモードとして確定するように構成され、前記第五の測定ＧＡＰモードのＧＡＰ周期が前記第六の測定ＧＡＰモードのＧＡＰ周期より小さいことを特徴とする
請求項５５に記載の端末装置。
【請求項５９】
前記確定ユニットは具体的に、
前記検出されたサービスのＱｏＳ情報におけるサービス遅延が第四の閾値以上である場合、前記複数の測定ＧＡＰモードのうちの第七の測定ＧＡＰモードを前記ターゲット測定ＧＡＰモードとして確定し、
前記検出されたサービスのＱｏＳ情報におけるサービス遅延が前記第四の閾値より小さい場合、前記複数の測定ＧＡＰモードのうちの第八の測定ＧＡＰモードを前記ターゲット測定ＧＡＰモードとして確定するように構成され、前記第七の測定ＧＡＰモードのＧＡＰ周期が前記第八の測定ＧＡＰモードのＧＡＰ周期より大きいことを特徴とする
請求項５５に記載の端末装置。
【請求項６０】
前記確定ユニットは具体的に、
前記検出されたサービスのＱｏＳ情報におけるデータレートが第五の閾値以上である場合、前記複数の測定ＧＡＰモードのうちの第九の測定ＧＡＰモードを前記ターゲット測定ＧＡＰモードとして確定し、
前記検出されたサービスのＱｏＳ情報におけるデータレートが前記第五の閾値より小さい場合、前記複数の測定ＧＡＰモードのうちの第十の測定ＧＡＰモードを前記ターゲット測定ＧＡＰモードとして確定するように構成され、前記第九の測定ＧＡＰモードのＧＡＰ周期が前記第十の測定ＧＡＰモードのＧＡＰ周期より小さいことを特徴とする
請求項５５に記載の端末装置。
【請求項６１】
前記確定ユニットは具体的に、
前記端末装置の現在のチャネル品質が第六の閾値より低い場合、前記複数の測定ＧＡＰモードのうちの第十一の測定ＧＡＰモードを前記ターゲット測定ＧＡＰモードとして確定し、
前記端末装置の現在のチャネル品質が前記第六の閾値以上である場合、前記複数の測定ＧＡＰモードのうちの第十二の測定ＧＡＰモードを前記ターゲット測定ＧＡＰモードとして確定するように構成され、前記第十一の測定ＧＡＰモードのＧＡＰ周期が前記第十二の測定ＧＡＰモードのＧＡＰ周期より小さいことを特徴とする
請求項５５に記載の端末装置。
【請求項６２】
前記複数の測定ＧＡＰモードはプロトコルによって定められ又はネットワーク装置によって予め配置されることを特徴とする
請求項５４−６１のいずれか一項に記載の端末装置。
【発明の詳細な説明】
【技術分野】
【０００１】
本出願の実施例は通信分野に関し、且つより具体的には、異周波数／異システム測定のための方法、端末装置とネットワーク装置に関する。
【背景技術】
【０００２】
異周波数ネットワークの場合、移動端末は、異周波数セル間に移動すると、異周波数セルを測定する必要があり、それによって異周波数セルの信号品質を取得する。通常、ユーザ装置（ＵＥ：Ｕｓｅｒ  Ｅｑｕｉｐｍｅｎｔ）は測定間隔（ＧＡＰ）のみで測定する。ここで、測定間隔（ＧＡＰ）のモードがネットワーク装置によって固定的に配置されるため、システム性能が悪いという問題、例えば測定精度が高くないことを引き起こす可能性がある。
【発明の概要】
【発明が解決しようとする課題】
【０００３】
これに鑑みて、本出願の実施例は、システム性能を向上することに有利な異周波数／異システム測定のための方法、端末装置とネットワーク装置を提供する。
【課題を解決するための手段】
【０００４】
第一の態様による異周波数／異システム測定のための方法は、端末装置がネットワーク装置へターゲット測定間隔（ＧＡＰ）モードを確定するための補助情報を送信することと、該端末装置が該ネットワーク装置から送信された指示情報を受信し、該指示情報が該ターゲット測定ＧＡＰモードを示すことに用いられることと、該端末装置が該ターゲット測定ＧＡＰモードに応じて、異周波数／異システム測定を行うこととを含む。
【０００５】
補助情報とは測定ＧＡＰモードを確定することを支援するためのいくつかの具体的な情報、例えば、端末装置の移動速度情報、又は端末装置の現在のサービスのいくつかの伝送特性などであってもよい。又はネットワーク装置が参照するために、端末装置によってネットワーク装置に推奨される測定ＧＡＰモードであってもよい。
【０００６】
端末装置がネットワーク装置へいくつかの補助情報を送信することにより、ネットワーク装置は端末装置の性能をより良く理解し、さらに適切な測定ＧＡＰモードを配置し、それによって測定レポートの精度を向上させ、さらにシステムの性能を高めることに有利である。
【０００７】
一つの可能な実施形態では、該補助情報は該端末装置の所望の測定ＧＡＰモード、又は該ネットワーク装置が前回に配置した測定ＧＡＰモードのＧＡＰ周期に対する、該端末装置の所望の測定ＧＡＰモードのＧＡＰ周期の増分値であり、該方法はさらに該端末装置が複数の測定ＧＡＰモードから、該所望の測定ＧＡＰモードを確定することを含む。
【０００８】
選択可能に、ネットワーク装置と端末装置は複数の測定ＧＡＰモードを予め定めることができ、又はネットワーク装置は端末装置に複数の測定ＧＡＰモードを予め配置することができる。該複数の測定ＧＡＰモードは長期進化（ＬＴＥ：Ｌｏｎｇ  Ｔｅｒｍ  Ｅｖｏｌｕｔｉｏｎ）システムにおけるモード１とモード２を含むことができ、他のいくつかのモードであってもよい。予め定められるものはプロトコルによって定められるものであってもよく、端末装置の工場出荷時のデフォルト構成であってもよい。
【０００９】
端末装置は複数の測定ＧＡＰモードを予め記憶し、そして端末装置は所望の測定ＧＡＰモードを選択してネットワーク装置に知らせ、これにより、ネットワーク装置は端末の性能とより良く組み合わせて端末に適切な測定ＧＡＰモードをマッチングすることができる。
【００１０】
一つの可能な実施形態では、該端末装置が複数の測定ＧＡＰモードから、該所望の測定ＧＡＰモードを確定することは、該端末装置が前記端末装置の移動速度情報、前記端末装置の現在のサービスのサービス品質（ＱｏＳ：Ｑｕａｌｉｔｙ  ｏｆ  Ｓｅｒｖｉｃｅ）情報、前記端末装置の検出されたサービスのＱｏＳ情報と前記端末装置の現在のチャネル品質情報のうちの少なくとも一つの情報に基づき、前記複数の測定ＧＡＰモードから、前記所望の測定ＧＡＰモードを確定することを含む。
【００１１】
一つの可能な実施形態では、該端末装置が該端末装置の移動速度情報に基づき、該複数のＧＡＰモードから、該所望の測定ＧＡＰモードを確定することは、該端末装置の移動速度が第一の閾値以上である場合、該端末装置が該複数の測定ＧＡＰモードのうちの第一の測定ＧＡＰモードを該所望の測定ＧＡＰモードとして確定することと、該端末装置の移動速度が該第一の閾値より小さい場合、該端末装置が該複数の測定ＧＡＰモードのうちの第二の測定ＧＡＰモードを該所望の測定ＧＡＰモードとして確定し、該第一の測定ＧＡＰモードのＧＡＰ周期が該第二の測定ＧＡＰモードのＧＡＰ周期より小さいこととを含む。
【００１２】
選択可能に、端末装置の移動速度だけでなく、端末装置の移動加速度であってもよい。
【００１３】
一つの可能な実施形態では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるサービス遅延ニーズが第二の閾値以上である場合、該端末装置が該複数の測定ＧＡＰモードのうちの第三の測定ＧＡＰモードを該所望の測定ＧＡＰモードとして確定することと、該現在のサービスのＱｏＳ情報におけるサービス遅延ニーズが該第二の閾値より小さい場合、該端末装置が該複数の測定ＧＡＰモードのうちの第四の測定ＧＡＰモードを該所望の測定ＧＡＰモードとして確定し、該第三の測定ＧＡＰモードのＧＡＰ周期が該第四の測定ＧＡＰモードのＧＡＰ周期より大きいこととを含む。
【００１４】
一つの可能な実施形態では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるデータレートニーズが第三の閾値以上である場合、該端末装置が該複数の測定ＧＡＰモードのうちの第五の測定ＧＡＰモードを該所望の測定ＧＡＰモードとして確定することと、該現在のサービスのＱｏＳ情報におけるデータレートニーズが第三の閾値より小さい場合、該端末装置が該複数の測定ＧＡＰモードのうちの第六の測定ＧＡＰモードを該所望の測定ＧＡＰモードとして確定し、該第五の測定ＧＡＰモードのＧＡＰ周期が該第六の測定ＧＡＰモードのＧＡＰ周期より小さいこととを含む。
【００１５】
一つの可能な実施形態では、該端末装置が検出されたサービスのＱｏＳ情報に基づき、該複数の測定ＧＡＰモードから、該所望の測定ＧＡＰモードを確定することは、該検出されたサービスのＱｏＳ情報におけるサービス遅延が第四の閾値以上である場合、該端末装置が該複数の測定ＧＡＰモードのうちの第七の測定ＧＡＰモードを該所望の測定ＧＡＰモードとして確定することと、該検出されたサービスのＱｏＳ情報におけるサービス遅延が第四の閾値より小さい場合、該端末装置が該複数の測定ＧＡＰモードのうちの第八の測定ＧＡＰモードを該所望の測定ＧＡＰモードとして確定し、該第七の測定ＧＡＰモードのＧＡＰ周期が該第八の測定ＧＡＰモードのＧＡＰ周期より大きいこととを含む。
【００１６】
一つの可能な実施形態では、該端末装置が検出されたサービスのＱｏＳ情報に基づき、該複数の測定ＧＡＰモードから、該所望の測定ＧＡＰモードを確定することは、該検出されたサービスのＱｏＳ情報におけるデータレートが第五の閾値以上である場合、該端末装置が該複数の測定ＧＡＰモードのうちの第九の測定ＧＡＰモードを該所望の測定ＧＡＰモードとして確定することと、該検出されたサービスのＱｏＳ情報におけるデータレートが該第五の閾値より小さい場合、該端末装置が該複数の測定ＧＡＰモードのうちの第十の測定ＧＡＰモードを該所望の測定ＧＡＰモードとして確定し、該第九の測定ＧＡＰモードのＧＡＰ周期が該第十の測定ＧＡＰモードのＧＡＰ周期より小さいこととを含む。選択可能に、ＱｏＳパラメータはエンドツーエンドの遅延、ジッター、データレート、パケット損失率、ネットワークスループット及びデータ送信の信頼性などを含む。ＱｏＳに含まれる様々なパラメータに対して異なるルールをそれぞれ配置し、端末装置の所望の測定ＧＡＰモードを確定することができる。
【００１７】
一つの可能な実施形態では、該端末装置が該端末装置の現在のチャネル品質情報に基づき、該複数の測定ＧＡＰモードから、該所望の測定ＧＡＰモードを確定することは、該端末装置の現在のチャネル品質が第六の閾値より低い場合、該端末装置が該複数の測定ＧＡＰモードのうちの第十一の測定ＧＡＰモードを該所望の測定ＧＡＰモードとして確定することと、該端末装置の現在のチャネル品質が該第六の閾値以上である場合、該端末装置が該複数の測定ＧＡＰモードのうちの第十二の測定ＧＡＰモードを該所望の測定ＧＡＰモードとして確定し、該第十一の測定ＧＡＰモードのＧＡＰ周期が該第十二の測定ＧＡＰモードのＧＡＰ周期より小さいこととを含む。
【００１８】
選択可能に、上記の様々な対応関係及び各閾値はネットワーク装置によって予め配置されてもよい。
【００１９】
一つの可能な実施形態では、前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含む。
【００２０】
端末装置はネットワーク装置へ様々な補助情報を直接報告することができ、これにより、ネットワーク装置はこれらの補助情報と組合わせて端末装置に測定ＧＡＰモードをそれ自体で配置し、ネットワークが予め配置する必要がなく、ネットワークオーバーヘッドを削減することに有利である。
【００２１】
一つの可能な実施形態では、該端末装置が該ネットワーク装置から送信された指示情報を受信することは、該端末装置が無線リソース制御（ＲＲＣ）シグナリングによって該指示情報を受信することを含む。
【００２２】
また、他の上位層シグナリング、例えば媒体アクセス制御（ＭＡＣ：Ｍｅｄｉａ  Ａｃｃｅｓｓ  Ｃｏｎｔｒｏｌ）シグナリングによって該指示情報を受信することができる。
【００２３】
第二の態様による異周波数／異システム測定のための方法は、ネットワーク装置が端末装置から送信された測定ＧＡＰの補助情報を受信することと、前記ネットワーク装置が前記補助情報に基づき、異周波数／異システム測定のためのターゲット測定間隔ＧＡＰ）モードを確定することと、前記ネットワーク装置が前記端末装置へ前記ターゲット測定ＧＡＰモードを示すための指示情報を送信することとを含む。
【００２４】
一つの可能な実施形態では、前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含む。
【００２５】
一つの可能な実施形態では、前記補助情報が前記端末装置の移動速度情報を含む場合、前記ネットワーク装置が前記補助情報に基づき、異周波数／異システム測定のためのターゲット測定ＧＡＰモードを確定することは、前記端末装置の移動速度が第一の閾値以上である場合、前記ネットワーク装置が、ＧＡＰ周期が第一の周期であるＧＡＰモードを前記ターゲット測定ＧＡＰモードとして確定することと、前記端末装置の移動速度が前記第一の閾値より小さい場合、前記ネットワーク装置が、ＧＡＰ周期が第二の周期であるＧＡＰモードを前記ターゲット測定ＧＡＰモードとして確定し、前記第一の周期が前記第二の周期より小さいこととを含む。
【００２６】
一つの可能な実施形態では、前記補助情報が前記端末装置の現在のサービスのＱｏＳ情報を含む場合、前記ネットワーク装置が前記補助情報に基づき、異周波数／異システム測定のためのターゲット測定ＧＡＰモードを確定することは、前記現在のサービスのＱｏＳ情報におけるサービス遅延が第二の閾値以上である場合、前記ネットワーク装置が、ＧＡＰ周期が第三の周期であるＧＡＰモードを前記ターゲット測定ＧＡＰモードとして確定することと、前記現在のサービスのＱｏＳ情報におけるサービス遅延が前記第二の閾値より小さい場合、前記ネットワーク装置が、ＧＡＰ周期が第四の周期であるＧＡＰモードを前記ターゲット測定ＧＡＰモードとして確定し、前記第三の周期が前記第四の周期より大きいこととを含む。
【００２７】
一つの可能な実施形態では、前記補助情報が前記端末装置の現在のサービスのＱｏＳ情報を含む場合、前記ネットワーク装置が前記補助情報に基づき、異周波数／異システム測定のためのターゲット測定ＧＡＰモードを確定することは、前記現在のサービスのＱｏＳ情報におけるデータレートニーズが第三の閾値以上である場合、前記ネットワーク装置が、ＧＡＰ周期が第五の周期であるＧＡＰモードを前記ターゲット測定ＧＡＰモードとして確定することと、前記現在のサービスのＱｏＳ情報におけるデータレートニーズが前記第三の閾値より小さい場合、前記ネットワーク装置が、ＧＡＰ周期が第六の周期であるＧＡＰモードを前記ターゲット測定ＧＡＰモードとして確定し、前記第五の周期が前記第六の周期より小さいこととを含む。
【００２８】
一つの可能な実施形態では、前記補助情報が前記端末装置の検出されたサービスのＱｏＳ情報を含む場合、前記ネットワーク装置が前記補助情報に基づき、異周波数／異システム測定のためのターゲット測定ＧＡＰモードを確定することは、前記検出されたサービスのＱｏＳ情報におけるサービス遅延が第四の閾値以上である場合、前記ネットワーク装置が、ＧＡＰ周期が第七の周期であるＧＡＰモードを前記ターゲット測定ＧＡＰモードとして確定することと、前記検出されたサービスのＱｏＳ情報におけるサービス遅延が前記第四の閾値より小さい場合、前記ネットワーク装置が、ＧＡＰ周期が第八の周期であるＧＡＰモードを前記ターゲット測定ＧＡＰモードとして確定し、前記第七の周期が前記第八の周期より大きいこととを含む。
【００２９】
一つの可能な実施形態では、前記補助情報が前記端末装置の検出されたサービスのＱｏＳ情報を含む場合、前記ネットワーク装置が前記補助情報に基づき、異周波数／異システム測定のためのターゲット測定ＧＡＰモードを確定することは、前記検出されたサービスのＱｏＳ情報におけるデータレートが第五の閾値以上である場合、前記ネットワーク装置が、ＧＡＰ周期が第九の周期であるＧＡＰモードを前記ターゲット測定ＧＡＰモードとして確定することと、前記検出されたサービスのＱｏＳ情報におけるデータレートが前記第五の閾値より小さい場合、前記ネットワーク装置が、ＧＡＰ周期が第十の周期であるＧＡＰモードを前記ターゲット測定ＧＡＰモードとして確定し、前記第九の周期が前記第十の周期より大きいこととを含む。
【００３０】
一つの可能な実施形態では、前記補助情報が前記端末装置の現在のチャネル品質情報を含む場合、前記ネットワーク装置が前記補助情報に基づき、異周波数／異システム測定のためのターゲット測定ＧＡＰモードを確定することは、前記端末装置の現在のチャネル品質情報が第六の閾値より低い場合、前記ネットワーク装置が、ＧＡＰ周期が第十一の周期であるＧＡＰモードを前記ターゲット測定ＧＡＰモードとして確定することと、前記端末装置の現在のチャネル品質情報が前記第六の閾値以上である場合、前記ネットワーク装置が、ＧＡＰ周期が第十二の周期であるＧＡＰモードを前記ターゲット測定ＧＡＰモードとして確定し、前記第十一の周期が前記第十二の周期より小さいこととを含む。
【００３１】
一つの可能な実施形態では、前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、前記ネットワーク装置が前記補助情報に基づき、異周波数／異システム測定のためのターゲット測定ＧＡＰモードを確定することは、前記ネットワーク装置が前記端末装置の所望の測定ＧＡＰモード又は前記増分値に基づき、前記ターゲット測定ＧＡＰモードを確定することを含む。
【００３２】
一つの可能な実施形態では、前記ネットワーク装置が前記端末装置へ前記ターゲット測定ＧＡＰモードを示すための指示情報を送信することは、前記ネットワーク装置が無線リソース制御（ＲＲＣ）シグナリングによって前記端末装置へ前記指示情報を送信することを含む。
【００３３】
第三の態様による異周波数／異システム測定のための方法は、端末装置が複数の測定ＧＡＰモードから、ターゲット測定ＧＡＰモードを確定することと、前記端末装置がネットワーク装置へ前記ターゲット測定ＧＡＰモードを示すための指示情報を送信することと、前記端末装置が前記ターゲット測定ＧＡＰモードに基づき、異周波数／異システム測定を行うこととを含む。
【００３４】
端末装置が複数の測定ＧＡＰモードから異周波数／異システム測定のための測定ＧＡＰモードをそれ自体で選択することにより、端末装置の性能とより良く組み合わせて適切な測定ＧＡＰモードを確定し、さらにシステム性能を向上させることができる。
【００３５】
一つの可能な実施形態では、前記端末装置が複数の測定ＧＡＰモードから、ターゲット測定ＧＡＰモードを確定することは、前記端末装置が前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報に基づき、前記複数の測定ＧＡＰモードから、前記ターゲット測定ＧＡＰモードを確定することを含む。
【００３６】
端末装置の性能と組み合わせて端末装置が複数の測定ＧＡＰモードから異周波数／異システム測定のための測定ＧＡＰモードをそれ自体で選択することにより、システム性能をさらに向上させることができる。
【００３７】
一つの可能な実施形態では、前記端末装置が前記端末装置の移動速度情報に基づき、前記該複数のＧＡＰモードから、前記ターゲット測定ＧＡＰモードを確定することは、前記端末装置の移動速度が第一の閾値以上である場合、前記端末装置が前記複数の測定ＧＡＰモードのうちの第一の測定ＧＡＰモードを前記ターゲット測定ＧＡＰモードとして確定することと、前記端末装置の移動速度が前記第一の閾値より小さい場合、前記端末装置が前記複数の測定ＧＡＰモードのうちの第二の測定ＧＡＰモードを前記ターゲット測定ＧＡＰモードとして確定し、前記第一の測定ＧＡＰモードのＧＡＰ周期が前記第二の測定ＧＡＰモードのＧＡＰ周期より小さいこととを含む。
【００３８】
一つの可能な実施形態では、前記端末装置が前記端末装置の現在のサービスのＱｏＳ情報に基づき、前記複数の測定ＧＡＰモードから、前記ターゲット測定ＧＡＰモードを確定することは、前記現在のサービスのＱｏＳ情報におけるサービス遅延ニーズが第二の閾値以上である場合、前記端末装置が前記複数の測定ＧＡＰモードのうちの第三の測定ＧＡＰモードを前記ターゲット測定ＧＡＰモードとして確定することと、前記現在のサービスのＱｏＳ情報におけるサービス遅延ニーズが前記第二の閾値より小さい場合、前記端末装置が前記複数の測定ＧＡＰモードのうちの第四の測定ＧＡＰモードを前記ターゲット測定ＧＡＰモードとして確定し、前記第三の測定ＧＡＰモードのＧＡＰ周期が前記第四の測定ＧＡＰモードのＧＡＰ周期より大きいこととを含む。
【００３９】
一つの可能な実施形態では、前記端末装置が前記端末装置の現在のサービスのＱｏＳ情報に基づき、前記複数の測定ＧＡＰモードから、前記ターゲット測定ＧＡＰモードを確定することは、前記現在のサービスのＱｏＳ情報におけるデータレートニーズが第三の閾値以上である場合、前記端末装置が前記複数の測定ＧＡＰモードのうちの第五の測定ＧＡＰモードを前記ターゲット測定ＧＡＰモードとして確定することと、前記現在のサービスのＱｏＳ情報におけるデータレートニーズが前記第三の閾値より小さい場合、前記端末装置が前記複数の測定ＧＡＰモードのうちの第六の測定ＧＡＰモードを前記ターゲット測定ＧＡＰモードとして確定し、前記第五の測定ＧＡＰモードのＧＡＰ周期が前記第六の測定ＧＡＰモードのＧＡＰ周期より小さいこととを含む。
【００４０】
一つの可能な実施形態では、前記端末装置が検出されたサービスのＱｏＳ情報に基づき、前記複数の測定ＧＡＰモードから、前記ターゲット測定ＧＡＰモードを確定することは、前記検出されたサービスのＱｏＳにおけるサービス遅延が第四の閾値以上である場合、前記端末装置が前記複数の測定ＧＡＰモードのうちの第七の測定ＧＡＰモードを前記ターゲット測定ＧＡＰモードとして確定することと、前記検出されたサービスのＱｏＳ情報におけるサービス遅延が前記第四の閾値より小さい場合、前記端末装置が前記複数の測定ＧＡＰモードのうちの第八の測定ＧＡＰモードを前記ターゲット測定ＧＡＰモードとして確定し、前記第七の測定ＧＡＰモードのＧＡＰ周期が前記第八の測定ＧＡＰモードのＧＡＰ周期より大きいこととを含む。
【００４１】
一つの可能な実施形態では、前記端末装置が検出されたサービスのＱｏＳ情報に基づき、前記複数の測定ＧＡＰモードから、前記ターゲット測定ＧＡＰモードを確定することは、前記検出されたサービスのＱｏＳにおけるデータレートが第五の閾値以上である場合、前記端末装置が前記複数の測定ＧＡＰモードのうちの第九の測定ＧＡＰモードを前記ターゲット測定ＧＡＰモードとして確定することと、前記検出されたサービスのＱｏＳ情報におけるデータレートが前記第五の閾値より小さい場合、前記端末装置が前記複数の測定ＧＡＰモードのうちの第十の測定ＧＡＰモードを前記ターゲット測定ＧＡＰモードとして確定し、前記第九の測定ＧＡＰモードのＧＡＰ周期が前記第十の測定ＧＡＰモードのＧＡＰ周期より小さいこととを含む。
【００４２】
一つの可能な実施形態では、前記端末装置が前記端末装置の現在のチャネル品質情報に基づき、前記該複数のＧＡＰモードから、前記ターゲット測定ＧＡＰモードを確定することは、前記端末装置の現在のチャネル品質が第六の閾値より低い場合、前記端末装置が前記複数の測定ＧＡＰモードのうちの第十一の測定ＧＡＰモードを前記ターゲット測定ＧＡＰモードとして確定することと、前記端末装置の現在のチャネル品質が前記第六の閾値以上である場合、前記端末装置が前記複数の測定ＧＡＰモードのうちの第十二の測定ＧＡＰモードを前記ターゲット測定ＧＡＰモードとして確定し、前記第十一の測定ＧＡＰモードのＧＡＰ周期が前記第十二の測定ＧＡＰモードのＧＡＰ周期より小さいこととを含む。
【００４３】
一つの可能な実施形態では、前記複数の測定ＧＡＰモードはプロトコルによって定められ又はネットワーク装置によって予め配置される。
【００４４】
第四の態様による異周波数／異システム測定のための方法は、第三の態様又は第三の態様のいずれかの可能な実施形態に対応し、ネットワーク装置によって実行され、第三の態様又は第三の態様のいずれかの実施形態における端末装置から送信された情報を受信することに用いられる。
【００４５】
第五の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００４６】
第六の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００４７】
第七の態様による端末装置は上記第三の態様又は第三の態様のいずれかの可能な実施形態における方法を実行することに用いられる。具体的には、該端末装置は、上記第三の態様又は第三の態様のいずれかの可能な実施形態における方法を実行するためのユニットを備える。
【００４８】
第八の態様によるネットワーク装置は上記第四の態様又は第四の態様のいずれかの可能な実施形態における方法を実行することに用いられる。具体的には、該ネットワーク装置は、上記第四の態様又は第四の態様のいずれかの可能な実施形態における方法を実行するためのユニットを備える。
【００４９】
第九の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００５０】
第十の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは、該メモリに記憶された、上記第二の態様又は第二の態様のいずれかの可能な実施形態における方法を実行するための命令を実行するように構成する。
【００５１】
第十一の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第三の態様又は第三の態様のいずれかの可能な実施形態における方法を実行するための命令を実行するように構成する。
【００５２】
第十二の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第四の態様又は第四の態様のいずれかの可能な実施形態における方法を実行するための命令を実行するように構成する。
【００５３】
第十三の態様によるコンピュータ記憶媒体は、上記第一の態様又は第一の態様のいずれかの可能な実施形態における方法、又は上記第二の態様又は第二の態様のいずれかの可能な実施形態における方法、又は上記第三の態様又は第三の態様のいずれかの可能な実施形態における方法、又は上記第四の態様又は第四の態様のいずれかの可能な実施形態における方法を実行するための、上記態様を実行するために設計されたプログラムを含むコンピュータソフトウェア命令を記憶するように構成される。
【００５４】
第十四の態様による命令を含むコンピュータプログラム製品は、コンピュータで実行される場合、コンピュータが上記第一の態様又は第一の態様の任意の選択可能な実施形態における方法、又は上記第二の態様又は第二の態様の任意の選択可能な実施形態における方法、又は上記第三の態様又は第三の態様のいずれかの選択可能な実施形態における方法、又は上記第四の態様又は第四の態様のいずれかの選択可能な実施形態における方法を実行する。
【００５５】
本出願のこれらの態様又は他の態様は以下の実施例の説明からより容易に明らかになる。
【図面の簡単な説明】
【００５６】
【図１】本出願の実施例の一つの応用シーンを示す概略図である。
【図２】ＵＥが異セル測定を行う様々なシーンを示す図である。
【図３】測定間隔（ＧＡＰ）を示す構造図である。
【図４】本出願の実施例による異周波数／異システム測定のための方法を示す概略ブロック図である。
【図５】本出願の実施例による異周波数／異システム測定のための方法を示す別の概略ブロック図である。
【図６】本出願の実施例による異周波数／異システム測定のための方法を示す別の概略ブロック図である。
【図７】本出願の実施例による異周波数／異システム測定のための方法を示す別の概略ブロック図である。
【図８】本出願の実施例による端末装置を示す概略ブロック図である。
【図９】本出願の実施例によるネットワーク装置を示す概略ブロック図である。
【図１０】本出願の実施例による端末装置を示す別の概略ブロック図である。
【図１１】本出願の実施例によるネットワーク装置を示す別の概略ブロック図である。
【図１２】本出願の実施例による端末装置を示す別の概略ブロック図である。
【図１３】本出願の実施例によるネットワーク装置を示す別の概略ブロック図である。
【図１４】本出願の実施例による端末装置を示す別の概略ブロック図である。
【図１５】本出願の実施例によるネットワーク装置を示す別の概略ブロック図である。
【発明を実施するための形態】
【００５７】
以下に本出願の実施例における図面と組み合わせながら、本出願の実施例における技術的解決策を明確に、全面的に説明する。
【００５８】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００５９】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００６０】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００６１】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例では限定されない。
【００６２】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００６３】
ＬＴＥシステムにおける測定が主に接続状態におけるモビリティ測定を指し、ネットワーク装置がＵＥに測定配置を送信した後、ＵＥは測定配置に示された測定オブジェクト、報告配置などのパラメータに基づいて隣接セルの信号状態を検出する。通常、ＵＥには受信機が１つだけであり、同じ時点に一つの周波数ポイントのみで信号を受信することができ、他の周波数ポイントを同時に測定することができない。したがって、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のリリース（Ｒｅｌｅａｓｅ）１４（Ｒｅｌ−１４）において、測定ＧＡＰ（ｍｅａｓｕｒｅｍｅｎｔ  ｇａｐ）の方式、即ち一部の時間（寸話値測定管局（ＧＡＰ）を予約し、この間、ＵＥがいかなるデータを送信及び受信しないが、受信機をターゲットセル周波数ポイントに調整し、異周波数の測定を行い、ＧＡＰ時間の終わりに現在の本セルに移転する。
【００６４】
ＵＥがＧＡＰに対して補助測定を行う必要があるか否かは、図２に示す６つのシーンを考える必要がある。
【００６５】
シーンＡ（現在の位置するセルとターゲットセルの搬送波周波数ポイントが同じであり、帯域幅も同じである）であって、このシーンは同じ周波数測定に属し、ＧＡＰを測定する必要がない。
【００６６】
シーンＢ（現在の位置するセルとターゲットセルの搬送波周波数ポイントが同じであり、ターゲットセルの帯域幅が現在のセルの帯域幅よりも小さい）であって、このシーンも同じ周波数測定に属し、ＧＡＰを測定する必要がない。
【００６７】
シーンＣ（現在の位置するセルとターゲットセルの搬送波周波数ポイントが同じであり、ターゲットセルの帯域幅が現在のセルの帯域幅よりも大きい）であって、このシーンも同じ周波数測定に属し、ＧＡＰを測定する必要がない。
【００６８】
シーンＤ（現在の位置するセルとターゲットセルの搬送波周波数ポイントが異なり、ターゲットセルの帯域幅が現在のセルの帯域幅よりも小さく且つターゲットセルの帯域幅が現在のセルの帯域内にある）であって、このシーンも異周波数測定に属し、ＧＡＰを測定する必要がある。
【００６９】
シーンＥ（現在の位置するセルとターゲットセルの搬送波周波数ポイントが異なり、ターゲットセルの帯域幅が現在のセルの帯域幅よりも大きく且つ現在のセルの帯域幅がターゲットセルの帯域内にある）であって、このシーンは異周波数測定に属し、ＧＡＰを測定する必要がある。
【００７０】
シーンＦ（現在の位置するセルとターゲットセルの搬送波周波数ポイントが異なり、ターゲットセルの帯域幅が現在のセルの帯域幅と重ならない）であって、このシーンは異周波数測定に属し、ＧＡＰを測定する必要がある。
【００７１】
異周波数又は異システム測定を行う必要がある場合、ｅＮｏｄｅＢは測定間隔（ＧＡＰ）の関連配置を送信し、ＵＥはｅＮｏｄｅＢの配置指示に従って測定間隔（ＧＡＰ０を起動する。図３は測定間隔（ＧＡＰ）を示す構造図である。図３に示すように、測定ＧＡＰが周期Ｔｐｅｒｉｏｄで循環し、ＵＥはＧＡＰ幅即ちＴＧＡＰ内のみで測定し、１０ｍｓが一つの無線フレームである。
【００７２】
ＬＴＥシステムにおける測定ＧＡＰは一般的にモード１とモード２がある。モード１におけるＴＧＡＰが６ｍｓであり、周期Ｔｐｅｒｉｏｄが８０ｍｓである。ネットワーク装置は測定ＧＡＰをモード１又はモード２に固定的に配置し、配置されたＧＡＰモードが現在の端末装置のいくつかの特性と一致しない可能性が高く、例えば、端末装置の現在の移動速度が高く、ネットワーク装置が端末装置にモード２を配置した場合、即ち測定ＧＡＰの周期が８０ｍｓである場合、端末装置の移動速度が速いため、８０ｍｓの周期で報告された測定情報が端末装置にとって不正確である可能性が高く、システムの性能が悪くなる。
【００７３】
図４は本出願の実施例による異周波数／異システム測定のための方法１００を示す概略フローチャートである。該方法１００は端末装置とネットワーク装置によって交互に実行されてもよく、例えばＵＥとｅＮｏｄｅＢによって実行されてもよく、図４に示すように、該方法１００は主にＳ１１０−Ｓ１８０を含む。
【００７４】
Ｓ１１０において、端末装置は複数の測定ＧＡＰモードから、該端末装置の所望の測定ＧＡＰモードを確定する。
【００７５】
Ｓ１２０において、端末装置はネットワーク装置へターゲット測定ＧＡＰモードを確定するための補助情報を送信し、該補助情報がＳ１１０で確定された端末装置の所望の測定ＧＡＰモードのいくつかの関連情報であってもよい。
【００７６】
Ｓ１３０において、ネットワーク装置は該端末装置から送信された該補助情報を受信する。
【００７７】
Ｓ１４０において、ネットワーク装置はＳ１３０で受信された補助情報に基づき、ターゲット測定ＧＡＰモードを確定する。
【００７８】
Ｓ１５０において、ネットワーク装置は端末装置へＳ１４０で確定されたターゲット測定ＧＡＰモードを示すための指示情報を送信する。
【００７９】
Ｓ１６０において、端末装置はネットワーク装置がＳ１５０で送信した指示情報を受信する。
【００８０】
Ｓ１７０において、端末装置はＳ１６０で受信された指示情報に基づき、ネットワーク装置によって配置されたターゲット測定ＧＡＰモードを確定する。
【００８１】
Ｓ１８０において、端末装置はネットワーク装置によって配置されたターゲット測定ＧＡＰモードに応じて、異周波数又は異システム測定を行う。
【００８２】
具体的には、ネットワーク装置と端末装置は複数の測定ＧＡＰモードを予め定めることができ、又はネットワーク装置は端末装置へ複数の測定ＧＡＰを予め配置することができ、該複数の測定ＧＡＰモードが上記モード１とモード２を含むことができ、他のいくつかのモード、例えばモード３であってもよく、該モード３の周期Ｔｐｅｒｉｏｄが２０ｍｓであってもよく、ＴＧＡＰが６ｍｓなどであってもよい。要するに、ネットワーク装置は前のシステム性能のいくつかのテストに基づいて複数のモードを予め配置することができ、又は端末装置は出荷時に該複数のモードを記憶し、端末装置が異周波数測定又は異システム測定を行う必要があることを確定する場合、端末装置は、複数のモードから一つの所望の測定ＧＡＰモードを選択し、そしてネットワーク装置へ該所望の測定ＧＡＰモードと関連するいくつかの補助情報を送信することができ、これにより、ネットワーク装置は該端末装置の所望の測定ＧＡＰモードを参照して端末装置に最終的な測定ＧＡＰモードを配置することができる。例えば、該補助情報は直接該端末装置の所望の測定ＧＡＰモードであってもよいし、前回のネットワーク装置によって配置された測定ＧＡＰモードのＧＡＰ周期に対する該所望の測定ＧＡＰモードのＧＡＰ周期の増分値又は両者の比などであってもよく、ネットワーク装置が端末装置の所望の測定ＧＡＰモードを確定することができるこを可能にするいかなる情報は方法１００における補助情報であってもよい。ネットワーク装置が該補助情報に基づいて端末装置の所望の測定ＧＡＰモードを確定した後、ネットワーク装置はさらに該端末装置の所望の測定ＧＡＰモードを参照し、端末装置にターゲット測定ＧＡＰモードを配置し、そしてネットワーク装置によって配置されたターゲット測定ＧＡＰモードを端末装置に示すことができ、該指示が例えば無線リソース制御（ＲＲＣ：Ｒａｄｉｏ  Ｒｅｓｏｕｒｃｅ  Ｃｏｎｔｒｏｌ）によって送信されてもよい。該指示情報はさらに他の上位層シグナリングによって送信されてもよく、本出願の実施例はこれに限定されない。端末装置がネットワーク装置からの測定ＧＡＰモードに対する関連配置を受信した後、端末装置は関連配置に基づいて異周波数又は異システム測定を行うことができる。例えば、端末装置はネットワーク装置によって配置されたターゲット測定ＧＡＰ
モードのＧＡＰ長さ内でターゲットセルを測定し、そしてターゲット測定ＧＡＰモードのＧＡＰ周期で循環して測定し且つネットワーク装置へ測定結果を報告することができる。
【００８３】
したがって、本出願の実施例の異周波数／異システム測定のための方法では、端末装置がネットワーク装置へいくつかの補助情報を送信することにより、ネットワーク装置は端末装置の性能をより良く理解し、さらに適切な測定ＧＡＰモードを配置し、それによって測定レポートの精度を向上させ、さらにシステムの性能を高めることに有利である。
【００８４】
選択可能に、本出願の実施例では、端末装置はさらに端末装置のいくつかの特性と組み合わせて該端末装置の所望の測定ＧＡＰモードを確定することができる。具体的には、該端末装置が複数の測定ＧＡＰモードから、該所望の測定ＧＡＰモードを確定することは、該端末装置が該端末装置の移動速度情報、該端末装置の現在のサービスのサービス品質（ＱｏＳ：Ｑｕａｌｉｔｙ  ｏｆ  Ｓｅｒｖｉｃｅ）情報、該端末装置の検出されたサービスのＱｏＳ情報と該端末装置の現在のチャネル品質情報のうちの少なくとも一つの情報に基づき、該複数の測定ＧＡＰモードから、該所望の測定ＧＡＰモードを確定することを含む。
【００８５】
ここで、端末装置は測定ＧＡＰモードと関連し且つシステム性能に影響を与えることがきるいかなるいくつかの情報と組み合わせることができ、上記端末装置の移動速度情報を例とし、ネットワーク装置は端末装置と予め定めることができ、又はネットワーク装置がいくつかの閾値を予め配置することができ、例えば、端末装置の移動速度が５ｍ／ｓより大きいと高速であり、端末装置の移動速度が５ｍ／ｓ以下であると低速であると考えることができ、そのため、端末装置の移動速度が高い場合、測定ＧＡＰモードのＧＡＰ周期を比較的短く配置することができ、端末装置の移動速度が低い場合、測定ＧＡＰモードのＧＡＰ周期を比較的長く配置することができる。さらに端末装置の性能と測定ＧＡＰモードを柔軟に組み合わせることができる。
【００８６】
以下に本出願の実施例の異周波数／異システム測定のための方法１００における端末装置が所望の測定ＧＡＰモードを確定するプロセスを詳細に説明する。
【００８７】
選択可能に、本出願の実施例では、該端末装置が該端末装置の移動速度情報に基づき、該複数のＧＡＰモードから、該所望の測定ＧＡＰモードを確定することは、該端末装置の移動速度が第一の閾値以上である場合、該端末装置が該複数の測定ＧＡＰモードのうちの第一の測定ＧＡＰモードを該所望の測定ＧＡＰモードとして確定することと、該端末装置の移動速度が該第一の閾値より小さい場合、該端末装置が該複数の測定ＧＡＰモードのうちの第二の測定ＧＡＰモードを該所望の測定ＧＡＰモードとして確定し、該第一の測定ＧＡＰモードのＧＡＰ周期が該第二の測定ＧＡＰモードのＧＡＰ周期より小さいこととを含む。
【００８８】
具体的には、端末装置はその移動速度情報に基づいて複数の測定ＧＡＰモードから一つの所望の測定ＧＡＰモードを選択することができる。以上に端末装置の移動速度を例として本出願の実施形態を説明した。端末装置の移動速度と組み合わせて所望の測定ＧＡＰモードを選択する前提は端末装置が現在非等速運動を行っていることであってもよい。端末装置が現在等速運動を行っている場合、端末装置は同様にその加速度に基づいて所望の測定ＧＡＰモードを選択することができ、例えば、現在の加速度が大きい場合、端末装置は複数の測定間隔から一つのＧＡＰ周期が短いＣＡＰモードを選択することができ、現在の加速度が小さい場合、端末装置は複数の測定間隔から一つのＧＡＰ周期が長いＣＡＰモードを選択することができる。理解すべきものとして、本出願の実施例の速度情報は上記速度と加速度を含むがこれらに限定されない。
【００８９】
また、理解すべきものとして、上述したことは一つの閾値を例として本出願の実施例を説明する具体的な実現である。また、複数の閾値で分割することができる。例えば、速度は５ｍ／ｓ内にあると低速で、５ｍ／ｓ〜１０ｍ／ｓであると中間速度で、１０ｍ／ｓ以上でると高速として考えられてもよい。同様に、端末装置は異なる速度範囲に異なる端末装置の所望の測定ＧＡＰモードを配置することができる。本出願の実施例はこれに限定されない。
【００９０】
選択可能に、本出願の実施例では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるサービス遅延ニーズが第二の閾値以上である場合、該端末装置が該複数の測定ＧＡＰモードのうちの第三の測定ＧＡＰモードを該所望の測定ＧＡＰモードとして確定することと、該現在のサービスのＱｏＳ情報におけるサービス遅延ニーズが該第二の閾値より小さい場合、該端末装置が該複数の測定ＧＡＰモードのうちの第四の測定ＧＡＰモードを該所望の測定ＧＡＰモードとして確定し、該第三の測定ＧＡＰモードのＧＡＰ周期が該第四の測定ＧＡＰモードのＧＡＰ周期より大きいこととを含む。
【００９１】
選択可能に、本出願の実施例では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるデータレートが第三の閾値以上である場合、該端末装置が該複数の測定ＧＡＰモードのうちの第五の測定ＧＡＰモードを該所望の測定ＧＡＰモードとして確定することと、該現在のサービスのＱｏＳ情報におけるデータレートが第三の閾値より小さい場合、該端末装置が該複数の測定ＧＡＰモードのうちの第六の測定ＧＡＰモードを該所望の測定ＧＡＰモードとして確定し、該第五の測定ＧＡＰモードのＧＡＰ周期が該第六の測定ＧＡＰモードのＧＡＰ周期より小さいこととを含む。
【００９２】
選択可能に、本出願の実施例では、該端末装置が検出されたサービスのＱｏＳ情報に基づき、該複数の測定ＧＡＰモードから、該所望の測定ＧＡＰモードを確定することは、該検出されたサービスのＱｏＳ情報におけるサービス遅延が第四の閾値以上である場合、該端末装置が該複数の測定ＧＡＰモードのうちの第七の測定ＧＡＰモードを該所望の測定ＧＡＰモードとして確定することと、該検出されたサービスのＱｏＳ情報におけるサービス遅延が第四の閾値より小さい場合、該端末装置が該複数の測定ＧＡＰモードのうちの第八の測定ＧＡＰモードを該所望の測定ＧＡＰモードとして確定し、該第七の測定ＧＡＰモードのＧＡＰ周期が該第八の測定ＧＡＰモードのＧＡＰ周期より大きいこととを含む。
【００９３】
選択可能に、本出願の実施例では、該端末装置が検出されたサービスのＱｏＳ情報に基づき、該複数の測定ＧＡＰモードから、該所望の測定ＧＡＰモードを確定することは、該検出されたサービスのＱｏＳ情報におけるデータレートが第五の閾値以上である場合、該端末装置が該複数の測定ＧＡＰモードのうちの第九の測定ＧＡＰモードを該所望の測定ＧＡＰモードとして確定することと、該検出されたサービスのＱｏＳ情報におけるデータレートが該第五の閾値より小さい場合、該端末装置が該複数の測定ＧＡＰモードのうちの第十の測定ＧＡＰモードを該所望の測定ＧＡＰモードとして確定し、該第九の測定ＧＡＰモードのＧＡＰ周期が該第十の測定ＧＡＰモードのＧＡＰ周期より小さいこととを含む。
【００９４】
サービス品質を保証する目的はユーザに満足なサービスを提供することであり、異なるタイプのサービスのサービス品質に対する要求が異なる。サービス品質を評価するための従来のパラメータ即ちＱｏＳパラメータはエンドツーエンドの遅延、ジッター、データレート、パケット損失率、ネットワークスループット及びデータ送信の信頼性などを含む。上記は遅延を例として本出願の技術的解決策を説明するものであり、本出願の実施例はこれに限定されない。例えば、ネットワーク装置は経験に応じてＱｏＳパラメータのうちのネットワークスループットレートに少なくとも一つの閾値を配置し、そしてネットワークスループットレートを複数の異なるセグメントに分割することができ、異なるセグメントが異なる測定ＧＡＰモードに対応することができ、この場合、端末装置がそれ自体の現在のサービスのネットワークスループットレートを知った後、該ネットワークスループットレートがどの範囲にあるかを判断し、そして該範囲に対応する測定ＧＡＰモードを端末装置の所望の測定ＧＡＰモードとして確定することができる。このように類推し、本出願に係る現在のサービスのＱｏＳパラメータのうちの他のパラメータに対して、上記ネットワークスループットレート又はサービス遅延を参照することができ、ここで説明を省略する。
【００９５】
選択可能に、本出願の実施例では、該端末装置が該端末装置の現在のチャネル品質情報に基づき、該複数の測定ＧＡＰモードから、該所望の測定ＧＡＰモードを確定することは、該端末装置の現在のチャネル品質が第六の閾値より低い場合、該端末装置が該複数の測定ＧＡＰモードのうちの第十一の測定ＧＡＰモードを該所望の測定ＧＡＰモードとして確定することと、該端末装置の現在のチャネル品質が該第六の閾値以上である場合、該端末装置が該複数の測定ＧＡＰモードのうちの第十二の測定ＧＡＰモードを該所望の測定ＧＡＰモードとして確定し、該第十一の測定ＧＡＰモードのＧＡＰ周期が該第十二の測定ＧＡＰモードのＧＡＰ周期より小さいこととを含む。
【００９６】
同様に、端末装置は現在のチャネル品質状況と組み合わせて端末装置の所望のＧＡＰ測定モードを確定することができる。確定方式が以上のとおりであり、簡潔にするために、ここでは説明を省略する。
【００９７】
理解すべきものとして、上記の様々な閾値、即ち分割方式、及び様々な対応関係はプロトコルによって定められてもよく又はネットワーク装置によって予め配置されてもよい。ここでプロトコルによって定められたものは端末装置の工場出荷時のデフォルト設定であってもよい。
【００９８】
また、理解すべきものとして、本出願の実施例における様々な端末装置に適用するための上記特性が例示的に説明するためのものだけであり、本出願の実施例はこれに限定されない。
【００９９】
また、理解すべきものとして、上記の様々な端末の特性の組み合わせと測定ＧＡＰモードを関連付けることができる。例えば、移動速度及び現在のサービスの遅延ニーズの両者と測定ＧＡＰモードの間に一定のマッピング関係があることを定めることができ、現在のサービスの遅延ニーズ及びと現在のサービスのデータレートの両者と測定ＧＡＰモードの間に一定のマッピング関係があることを定めることもでき、また、端末の移動速度、現在のサービスのＱｏＳパラメータ及び端末装置の現在のチャネル品質の三者と測定ＧＡＰの間に一定のマッピング関係があることを定めることができ、本出願はこれに限定されない。
【０１００】
図５は本出願の実施例による異周波数／異システム測定のための方法２００を示す概略フローチャートである。該方法２００は端末装置とネットワーク装置によって交互に実行されてもよく、例えばＵＥとｅＮｏｄｅＢによって実行されてもよく、図５に示すように、該方法２００は主にＳ１１０−Ｓ１８０を含む。
【０１０１】
Ｓ２１０において、端末装置はネットワーク装置へターゲット測定ＧＡＰモードを確定するための補助情報を送信する。
【０１０２】
Ｓ２２０において、ネットワーク装置は該端末装置から補助情報を受信する。
【０１０３】
Ｓ２３０において、ネットワーク装置はＳ２２０で受信された補助情報に基づき、異周波数／異システム測定のためのターゲット測定ＧＡＰモードを確定する。
【０１０４】
Ｓ２４０において、ネットワーク装置は端末装置へＳ２３０で確定されたターゲット測定ＧＡＰモードの指示情報を送信する。
【０１０５】
Ｓ２５０において、端末装置はネットワーク装置がＳ２４０で送信した指示情報を受信する。
【０１０６】
Ｓ２６０において、端末装置はＳ２５０で受信された指示情報に基づき、該ターゲット測定ＧＡＰモードを確定する。
【０１０７】
Ｓ２７０において、端末装置はＳ２６０で確定されたターゲット測定ＧＡＰモードに応じて、異周波数／異システム測定を行う。
【０１０８】
まず、説明すべきものが以下のとおりである：
一、補助情報とは測定間隔ＧＡＰモードを確定することを支援するためのいくつかの具体的な情報、例えば、端末装置の移動速度情報、又は端末装置の現在のサービスのいくつかの伝送特性などであってもよい。
【０１０９】
二、測定ＧＡＰモードは従来技術における測定ＧＡＰモードと異なってもよい。即ち、本出願の実施例では、測定ＧＡＰモードが上記モード１又はモード２に限定されなく、ネットワーク装置によって予め配置され又はプロトコルによって定められた他のモード、例えばモード３であってもよく、周期Ｔｐｅｒｉｏｄが２０ｍｓであり、ＴＧＡＰが６ｍｓなどであり、ターゲット測定ＧＡＰモードについては上記のいくつかの補助情報と組み合わせることができるモードである。
【０１１０】
三、従来技術では、端末装置はネットワーク装置へ一つのトリガ情報を送信することができ、ネットワーク装置は該トリガ情報を受信した後に、測定ＧＡＰを配置する必要があるか否かをそれ自体で考えることができ、測定ＧＡＰを確定した後に測定ＧＡＰをさらに配置するが、本出願の実施例では、端末装置はネットワーク装置へトリガ情報を送信するとともに、ネットワーク装置へ上記補助情報を送信することができ、端末装置はネットワーク装置へ上記補助情報を個別に送信することができ、本出願の実施例はこれに限定されない。
【０１１１】
四、上記ネットワーク装置はアクセスネットワーク装置であってもよく、該アクセスネットワーク装置によって取得された補助情報は、端末装置によって送信されてもよいし、コアネットワーク装置によって送信されてもよい。
【０１１２】
理解すべきものとして、方法２００と方法１００の違いは、方法１００において端末装置がまずいくつかの端末装置の特性と組み合わせて端末装置の所望の測定ＧＡＰモードを確定し、そしてネットワーク装置がターゲット測定ＧＡＰモードを確定するための基準として端末装置によって確定された所望の測定ＧＡＰモードをネットワーク装置に送信するが、方法２００において端末装置によって該端末装置のいくつかの特性をネットワーク装置に直接報告し、ネットワーク装置がそれ自体で端末装置の特性と組み合わせて端末装置に適切なターゲット測定ＧＡＰモードを配置することである。
【０１１３】
したがって、本出願の実施例の異周波数／異システム測定のための方法では、端末装置はネットワーク装置へターゲット測定ＧＡＰモードを確定するためのいくつかの補助情報をネットワーク装置に報告し、これにより、ネットワーク装置はこれらの補助情報と組み合わせて測定ＧＡＰモードを配置し、それによって端末装置の性能と測定ＧＡＰモードをより良く一致させることができ、システムの性能を向上することに有利である。
【０１１４】
選択可能に、本出願の実施例では、該補助情報は、該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報を含む。
【０１１５】
具体的には、ネットワーク装置は端末装置のいくつかの特性にいくつかのルールを予め配置することができ、端末装置によって報告された上記移動速度情報を例とし、ネットワーク装置はいくつかの閾値を予め配置することができ、例えば、端末装置の移動速度が５ｍ／ｓより大きいと高速で、端末装置の移動速度が５ｍ／ｓ以下であると低速であると考えられてもよく、そのため、端末装置の移動速度が高い場合、測定ＧＡＰモードのＧＡＰ周期を比較的短く配置することができ、端末装置の移動速度が低い場合、測定ＧＡＰモードのＧＡＰ周期を比較的長く配置することができる。さらに端末装置の性能と測定ＧＡＰモードを柔軟に組み合わせることができる。
【０１１６】
選択可能に、本出願の実施例では、該補助情報が該端末装置の移動速度情報を含む場合、該ネットワーク装置が該補助情報に基づき、異周波数／異システム測定のためのターゲット測定ＧＡＰモードを確定することは、該端末装置の移動速度が第一の閾値以上である場合、該ネットワーク装置が、ＧＡＰ周期が第一の周期であるＧＡＰモードを該ターゲット測定ＧＡＰモードとして確定することと、該端末装置の移動速度が該第一の閾値より小さい場合、該ネットワーク装置が、ＧＡＰ周期が第二の周期であるＧＡＰモードを該ターゲット測定ＧＡＰモードとして確定し、該第一の周期が該第二の周期より小さいこととを含む。
【０１１７】
以上に端末装置の移動速度を例として本出願の実施形態を説明した。端末装置によって報告された移動速度と組み合わせてターゲット測定ＧＡＰモードを確定する前提は、該端末装置が等速運動を行うことであってもよい。端末装置が現在非等速運動を行っている場合、端末装置は同様にその加速度を報告してターゲット測定ＧＡＰモードを確定することができ、例えば、現在の加速度が大きい場合、ネットワーク装置は一つのＧＡＰ周期が短いＣＡＰ測定モードを配置することができ、現在の加速度が低い場合、ネットワーク装置は一つのＧＡＰ周期が長いＣＡＰ測定モードを配置することができる。理解すべきものとして、本出願の実施例の速度情報は上記速度と加速度を含むがこれらに限定されない。
【０１１８】
選択可能に、本出願の実施例では、該補助情報が該端末装置の現在のサービスのＱｏＳ情報を含む場合、該ネットワーク装置が該補助情報に基づき、異周波数／異システム測定のためのターゲット測定ＧＡＰモードを確定することは、該現在のサービスのＱｏＳ情報におけるサービス遅延が第二の閾値以上である場合、該ネットワーク装置が、ＧＡＰ周期が第三の周期であるＧＡＰモードを該ターゲット測定ＧＡＰモードとして確定することと、該現在のサービスのＱｏＳ情報におけるサービス遅延が該第二の閾値より小さい場合、該ネットワーク装置が、ＧＡＰ周期が第四の周期であるＧＡＰモードを該ターゲット測定ＧＡＰモードとして確定し、該第三の周期が該第四の周期より大きいこととを含む。
【０１１９】
選択可能に、本出願の実施例では、該補助情報が該端末装置の現在のサービスのＱｏＳ情報を含む場合、該ネットワーク装置が該補助情報に基づき、異周波数／異システム測定のためのターゲット測定ＧＡＰモードを確定することは、該現在のサービスのＱｏＳ情報におけるデータレートが第三の閾値以上である場合、該ネットワーク装置が、ＧＡＰ周期が第五の周期であるＧＡＰモードを該ターゲット測定ＧＡＰモードとして確定することと、該現在のサービスのＱｏＳ情報におけるデータレートが該第三の閾値より小さい場合、該ネットワーク装置が、ＧＡＰ周期が第六の周期であるＧＡＰモードを該ターゲット測定ＧＡＰモードとして確定し、該第五の周期が該第六の周期より小さいこととを含む。
【０１２０】
選択可能に、本出願の実施例では、該補助情報が該端末装置の検出されたサービスのＱｏＳ情報を含む場合、該ネットワーク装置が該補助情報に基づき、異周波数／異システム測定のためのターゲット測定ＧＡＰモードを確定することは、該検出されたサービスのＱｏＳ情報におけるサービス遅延が第四の閾値以上である場合、該ネットワーク装置が、ＧＡＰ周期が第七の周期であるＧＡＰモードを該ターゲット測定ＧＡＰモードとして確定することと、該検出されたサービスのＱｏＳ情報におけるサービス遅延が該第四の閾値より小さい場合、該ネットワーク装置が、ＧＡＰ周期が第八の周期であるＧＡＰモードを該ターゲット測定ＧＡＰモードとして確定し、該第七の周期が該第八の周期より大きいこととを含む。
【０１２１】
選択可能に、本出願の実施例では、該補助情報が該端末装置の検出されたサービスのＱｏＳ情報を含む場合、該ネットワーク装置が該補助情報に基づき、異周波数／異システム測定のためのターゲット測定ＧＡＰモードを確定することは、該検出されたサービスのＱｏＳ情報におけるデータレートが第五の閾値以上である場合、該ネットワーク装置が、ＧＡＰ周期が第九の周期であるＧＡＰモードを該ターゲット測定ＧＡＰモードとして確定することと、該検出されたサービスのＱｏＳ情報におけるデータレートが該第五の閾値より小さい場合、該ネットワーク装置が、ＧＡＰ周期が第十の周期であるＧＡＰモードを該ターゲット測定ＧＡＰモードとして確定し、該第九の周期が該第十の周期より大きいこととを含む。
【０１２２】
サービス品質を評価するための従来のパラメータ即ちＱｏＳパラメータはエンドツーエンドの遅延、ジッター、データレート、パケット損失率、ネットワークスループット及びデータ送信の信頼性などを含む。本出願の実施例に係る現在のサービスのＱｏＳパラメータのうちの他のパラメータに対して、上位サービス遅延又はデータレートを参照することができ、ここで、説明を省略する。
【０１２３】
選択可能に、本出願の実施例では、該補助情報が該端末装置の現在のチャネル品質情報を含む場合、該ネットワーク装置が該補助情報に基づき、異周波数／異システム測定のためのターゲット測定ＧＡＰモードを確定することは、該端末装置の現在のチャネル品質が第六の閾値より低い場合、該ネットワーク装置が、ＧＡＰ周期が第十一の周期であるＧＡＰモードを該ターゲット測定ＧＡＰモードとして確定することと、該端末装置の現在のチャネル品質が該第六の閾値以上である場合、該ネットワーク装置が、ＧＡＰ周期が第十二の周期であるＧＡＰモードを該ターゲット測定ＧＡＰモードとして確定し、該第十一の周期が該第十二の周期より小さいこととを含む。
【０１２４】
同様に、ネットワーク装置は端末装置によって報告された現在のチャネル品質状況と組み合わせてターゲット測定ＧＡＰモードを確定することができる。確定方式が以上のとおりであり、簡潔にするために、ここでは説明を省略する。
【０１２５】
理解すべきものとして、上記の様々な閾値、即ち分割方式はプロトコルによって定められてもよく又はネットワーク装置によって予め配置されてもよい。ここでプロトコルによって定められたものは端末装置の工場出荷時のデフォルト設定であってもよい。
【０１２６】
また、理解すべきものとして、本出願の実施例における端末装置によって報告された様々な端末装置に適用する上記特性が例示的に説明するためのものだけであり、本出願の実施例はこれに限定されない。
【０１２７】
選択可能に、本出願の実施例では、該ネットワーク装置が該端末装置へ該ターゲット測定ＧＡＰモードを示すための指示情報を送信することは、該ネットワーク装置が無線リソース制御（ＲＲＣ）シグナリングによって該指示情報を受信することを含む。
【０１２８】
具体的には、該指示情報はＲＲＣシグナリングによって送信されてもよい。該指示情報はさらに他の上位層シグナリング、例えばＭＡＣシグナリングによって送信されてもよく、本出願の実施例はこれに限定されない。
【０１２９】
また、理解すべきものとして、上記の様々な端末の特性の組み合わせと測定ＧＡＰモードを関連付けることができる。例えば、移動速度と現在のサービスの遅延ニーズの両者に基づいてターゲット測定ＧＡＰモードを確定することができ、現在のサービスの遅延ニーズと現在のサービスのデータレートに基づいてターゲット測定ＧＡＰモードを確定することもでき、また、端末装置の移動速度、現在のサービスのＱｏＳパラメータ及び端末装置の現在のチャネル品質の三者に基づいてターゲット測定ＧＡＰモードを確定することができ、本出願はこれに限定されない。
【０１３０】
図６は本出願の実施例による異周波数／異システム測定のための方法７００を示す概略ブロック図である。図６に示すように、該方法７００はＳ７１０−Ｓ７３０を含む。
【０１３１】
Ｓ７１０において、端末装置は複数の測定ＧＡＰモードから、ターゲット測定ＧＡＰモードを確定する。
【０１３２】
Ｓ７２０において、該端末装置はネットワーク装置へ該ターゲット測定ＧＡＰモードを指示するための指示情報を送信する。
【０１３３】
Ｓ７３０において、該端末装置は該ターゲット測定ＧＡＰモードに応じて、異周波数／異システム測定を行う。
【０１３４】
したがって、本出願の実施例の異周波数／異システム測定のための方法では、端末装置は複数の測定ＧＡＰモードから異周波数／異システムのための適切な測定ＧＡＰモードを選択し、これにより、ネットワークオーバーヘッドを削減することに有利である。
【０１３５】
選択可能に、本出願の実施例では、該端末装置が複数の測定ＧＡＰモードから、ターゲット測定ＧＡＰモードを確定することは、該端末装置が該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報に基づき、該複数の測定ＧＡＰモードから、該ターゲット測定ＧＡＰモードを確定することを含む。
【０１３６】
選択可能に、本出願の実施例では、該端末装置が該端末装置の移動速度情報に基づき、該複数のＧＡＰモードから、該ターゲット測定ＧＡＰモードを確定することは、該端末装置の移動速度が第一の閾値以上である場合、該端末装置が該複数の測定ＧＡＰモードのうちの第一の測定ＧＡＰモードを該ターゲット測定ＧＡＰモードとして確定することと、
該端末装置の移動速度が該第一の閾値より小さい場合、該端末装置が該複数の測定ＧＡＰモードのうちの第二の測定ＧＡＰモードを該ターゲット測定ＧＡＰモードとして確定し、該第一の測定ＧＡＰモードのＧＡＰ周期が該第二の測定ＧＡＰモードのＧＡＰ周期より小さいこととを含む。
【０１３７】
選択可能に、本出願の実施例では、該端末装置が該端末装置の現在のサービスのＱｏＳ情報に基づき、該複数の測定ＧＡＰモードから、該ターゲット測定ＧＡＰモードを確定することは、該現在のサービスのＱｏＳ情報におけるサービス遅延ニーズが第二の閾値以上である場合、該端末装置が該複数の測定ＧＡＰモードのうちの第三の測定ＧＡＰモードを該ターゲット測定ＧＡＰモードとして確定することと、該現在のサービスのＱｏＳ情報におけるサービス遅延ニーズが該第二の閾値より小さい場合、該端末装置が該複数の測定ＧＡＰモードのうちの第四の測定ＧＡＰモードを該ターゲット測定ＧＡＰモードとして確定し、該第三の測定ＧＡＰモードのＧＡＰ周期が該第四の測定ＧＡＰモードのＧＡＰ周期より大きいこととを含む。
【０１３８】
選択可能に、本出願の実施例では、該端末装置が該端末装置の現在のサービスのＱｏＳ情報に基づき、該複数の測定ＧＡＰモードから、該ターゲット測定ＧＡＰモードを確定することは、該現在のサービスのＱｏＳ情報におけるデータレートが第三の閾値以上である場合、該端末装置が該複数の測定ＧＡＰモードのうちの第五の測定ＧＡＰモードを該ターゲット測定ＧＡＰモードとして確定することと、該現在のサービスのＱｏＳ情報におけるデータレートが該第三の閾値より小さい場合、該端末装置が該複数の測定ＧＡＰモードのうちの第六の測定ＧＡＰモードを該ターゲット測定ＧＡＰモードとして確定し、該第五の測定ＧＡＰモードのＧＡＰ周期が該第六の測定ＧＡＰモードのＧＡＰ周期より小さいこととを含む。
【０１３９】
選択可能に、本出願の実施例では、該端末装置が検出されたサービスのＱｏＳ情報に基づき、該複数の測定ＧＡＰモードから、該ターゲット測定ＧＡＰモードを確定することは、該検出されたサービスのＱｏＳ情報におけるサービス遅延が第四の閾値以上である場合、該端末装置が該複数の測定ＧＡＰモードのうちの第七の測定ＧＡＰモードを該ターゲット測定ＧＡＰモードとして確定することと、該検出されたサービスのＱｏＳ情報におけるサービス遅延が第四の閾値より小さい場合、該端末装置が該複数の測定ＧＡＰモードのうちの第八の測定ＧＡＰモードを該ターゲット測定ＧＡＰモードとして確定し、該第七の測定ＧＡＰモードのＧＡＰ周期が該第八の測定ＧＡＰモードのＧＡＰ周期より大きいこととを含む。
【０１４０】
選択可能に、本出願の実施例では、該端末装置が検出されたサービスのＱｏＳ情報に基づき、該複数の測定ＧＡＰモードから、該ターゲット測定ＧＡＰモードを確定することは、該検出されたサービスのＱｏＳ情報におけるデータレートが第五の閾値以上である場合、該端末装置が該複数の測定ＧＡＰモードのうちの第九の測定ＧＡＰモードを該ターゲット測定ＧＡＰモードとして確定することと、該検出されたサービスのＱｏＳ情報におけるデータレートが該第五の閾値より小さい場合、該端末装置が該複数の測定ＧＡＰモードのうちの第十の測定ＧＡＰモードを該ターゲット測定ＧＡＰモードとして確定し、該第九の測定ＧＡＰモードのＧＡＰ周期が該第十の測定ＧＡＰモードのＧＡＰ周期より小さいこととを含む。
【０１４１】
選択可能に、本出願の実施例では、該端末装置が該端末装置の現在のチャネル品質情報に基づき、該複数の測定ＧＡＰモードから、該ターゲット測定ＧＡＰモードを確定することは、該端末装置の現在のチャネル品質が第六の閾値より低い場合、該端末装置が該複数の測定ＧＡＰモードのうちの第十一の測定ＧＡＰモードを該ターゲット測定ＧＡＰモードとして確定することと、該端末装置の現在のチャネル品質が該第六の閾値以上である場合、該端末装置が該複数の測定ＧＡＰモードのうちの第十二の測定ＧＡＰモードを該ターゲット測定ＧＡＰモードとして確定し、該第十一の測定ＧＡＰモードのＧＡＰ周期が該第十二の測定ＧＡＰモードのＧＡＰ周期より小さいこととを含む。
【０１４２】
端末装置の特性と組み合わせて複数の測定ＧＡＰモードからターゲット測定ＧＡＰモードを選択することにより、適切な測定ＧＡＰモードをより良く確定することができ、それによってシステム性能を向上させることに有利である。
【０１４３】
選択可能に、本出願の実施例では、該複数の測定ＧＡＰモードはプロトコルによって定められ又はネットワーク装置によって予め配置される。
【０１４４】
図７は本出願の実施例による異周波数／異システム測定のための方法８００を示す概略ブロック図である。図７に示すように、該方法８００は以下を含む。
【０１４５】
Ｓ８１０において、ネットワーク装置は端末装置から送信された、ターゲット測定ＧＡＰモードを示すための指示情報を受信する。
【０１４６】
理解すべきものとして、ネットワーク装置で説明されるネットワーク装置と端末装置のインタラクション及び関連特性、機能などが端末装置の関連特性、機能に対応する。即ち、端末装置はネットワーク装置へどのような情報を送信し、それに応じてネットワーク装置はどのような情報を受信する。簡潔にするために、ここでは説明を省略する。
【０１４７】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１４８】
以上に本出願の実施例による異周波数／異システム測定のための方法を詳細に説明し、以下に図８〜図１５と組み合わせて本出願の実施例による異周波数／異システム測定のための装置を説明し、方法の実施例で説明される技術的特徴が以下の装置の実施例に適用する。
【０１４９】
図８は本出願の実施例による端末装置３００を示す概略ブロック図である。図８に示すように、該端末装置３００は、送信ユニット３１０、受信ユニット３２０、受信ユニット３２０を備える。
【０１５０】
送信ユニット３１０は、ネットワーク装置へターゲット測定ＧＡＰモードを確定するための補助情報を送信するように構成される。
【０１５１】
受信ユニット３２０は、該ネットワーク装置から送信された指示情報を受信するように構成され、該指示情報が該ターゲット測定ＧＡＰモードを示すことに用いられる。
【０１５２】
測定ユニット３３０は、該ターゲット測定ＧＡＰモードに応じて、異周波数／異システム測定を行うように構成される。
【０１５３】
したがって、本出願の実施例の端末装置では、ネットワーク装置へターゲット測定ＧＡＰモードを確定するためのいくつかの補助情報をネットワーク装置に報告することにより、ネットワーク装置はこれらの補助情報と組み合わせて測定ＧＡＰモードを配置し、それによって端末装置の性能と測定ＧＡＰモードをより良く一致させることができ、システムの性能を向上することに有利である。
【０１５４】
選択可能に、本出願の実施例では、該補助情報は該端末装置の所望の測定ＧＡＰモード、又は該ネットワーク装置が前回に配置した測定ＧＡＰモードのＧＡＰ周期に対する、該端末装置の所望の測定ＧＡＰモードのＧＡＰ周期の増分値であり、該端末装置３００はさらに複数の測定ＧＡＰモードから、該所望の測定ＧＡＰモードを確定するように構成される確定ユニット３４０を備える。
【０１５５】
選択可能に、本出願の実施例では、該確定ユニットは具体的に該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報に基づき、該複数のＧＡＰモードから、該所望の測定ＧＡＰモードを確定するように構成される。
【０１５６】
選択可能に、本出願の実施例では、該確定ユニットは具体的に該端末装置の移動速度が第一の閾値以上である場合、該複数の測定ＧＡＰモードのうちの第一の測定ＧＡＰモードを該所望の測定ＧＡＰモードとして確定し、該端末装置の移動速度が該第一の閾値より小さい場合、該複数の測定ＧＡＰモードのうちの第二の測定ＧＡＰモードを該所望の測定ＧＡＰモードとして確定するように構成され、該第一の測定ＧＡＰモードのＧＡＰ周期が該第二の測定ＧＡＰモードのＧＡＰ周期より小さい。
【０１５７】
選択可能に、本出願の実施例では、該確定ユニットは具体的に該現在のサービスのＱｏＳ情報におけるサービス遅延ニーズが第二の閾値以上である場合、該複数の測定ＧＡＰモードのうちの第三の測定ＧＡＰモードを該所望の測定ＧＡＰモードとして確定し、該現在のサービスのＱｏＳ情報におけるサービス遅延ニーズが該第二の閾値より小さい場合、該複数の測定ＧＡＰモードのうちの第四の測定ＧＡＰモードを該所望の測定ＧＡＰモードとして確定するように構成され、該第三の測定ＧＡＰモードのＧＡＰ周期が該第四の測定ＧＡＰモードのＧＡＰ周期より大きい。
【０１５８】
選択可能に、本出願の実施例では、該確定ユニットは具体的に該現在のサービスのＱｏＳ情報におけるデータレートニーズが第三の閾値以上である場合、該複数の測定ＧＡＰモードのうちの第五の測定ＧＡＰモードを該所望の測定ＧＡＰモードとして確定し、該現在のサービスのＱｏＳ情報におけるデータレートニーズが該第三の閾値より小さい場合、該複数の測定ＧＡＰモードのうちの第六の測定ＧＡＰモードを該所望の測定ＧＡＰモードとして確定するように構成され、該第五の測定ＧＡＰモードのＧＡＰ周期が該第六の測定ＧＡＰモードのＧＡＰ周期より小さい。
【０１５９】
選択可能に、本出願の実施例では、該確定ユニットは具体的に該検出されたサービスのＱｏＳ情報におけるサービス遅延が第四の閾値以上である場合、該複数の測定ＧＡＰモードのうちの第七の測定ＧＡＰモードを該所望の測定ＧＡＰモードとして確定し、該検出されたサービスのＱｏＳ情報におけるサービス遅延が該第四の閾値より小さい場合、該複数の測定ＧＡＰモードのうちの第八の測定ＧＡＰモードを該所望の測定ＧＡＰモードとして確定するように構成され、該第七の測定ＧＡＰモードのＧＡＰ周期が該第八の測定ＧＡＰモードのＧＡＰ周期より大きい。
【０１６０】
選択可能に、本出願の実施例では、該確定ユニットは具体的に該検出されたサービスのＱｏＳ情報におけるデータレートが第五の閾値以上である場合、該複数の測定ＧＡＰモードのうちの第九の測定ＧＡＰモードを該ターゲット測定ＧＡＰモードとして確定し、該検出されたサービスのＱｏＳ情報におけるデータレートが該第五の閾値より小さい場合、該複数の測定ＧＡＰモードのうちの第十の測定ＧＡＰモードを該ターゲット測定ＧＡＰモードとして確定するように構成され、該第九の測定ＧＡＰモードのＧＡＰ周期が該第十の測定ＧＡＰモードのＧＡＰ周期より小さい。
【０１６１】
選択可能に、本出願の実施例では、該確定ユニットは具体的に該端末装置の現在のチャネル品質が第六の閾値より低い場合、該複数の測定ＧＡＰモードのうちの第十一の測定ＧＡＰモードを該所望の測定ＧＡＰモードとして確定し、該端末装置の現在のチャネル品質が該第六の閾値以上である場合、該複数の測定ＧＡＰモードのうちの第八の測定ＧＡＰモードを該所望の測定ＧＡＰモードとして確定するように構成され、該第十一の測定ＧＡＰモードのＧＡＰ周期が該第十二の測定ＧＡＰモードのＧＡＰ周期より小さい。
【０１６２】
選択可能に、本出願の実施例では、該複数の測定ＧＡＰモードはプロトコルによって定められ又はネットワーク装置によって予め配置される。
【０１６３】
選択可能に、本出願の実施例では、該補助情報は、該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報を含む。
【０１６４】
選択可能に、本出願の実施例では、該受信ユニットは具体的に無線リソース制御（ＲＲＣ）シグナリングによって該指示情報を受信するように構成される。
【０１６５】
理解すべきものとして、本出願の実施例による端末装置３００は本出願の方法の実施例における端末装置に対応してもよく、且つ端末装置３００の各ユニットの上記と他の操作及び／又は機能はそれぞれ図４と図５に示す各方法における端末装置の対応するプロセスを実現するためのものであり、簡潔するために、ここでは説明を省略する。
【０１６６】
図９は本出願の実施例によるネットワーク装置４００を示す概略ブロック図である。図９に示すように、該ネットワーク装置４００は、受信ユニット４１０、確定ユニット４２０、送信ユニット４３０を備える。
【０１６７】
受信ユニット４１０は端末装置から送信された測定ＧＡＰの補助情報を受信するように構成される。
【０１６８】
確定ユニット４２０は、該補助情報に基づき、異周波数／異システム測定のためのターゲット測定ＧＡＰモードを確定するように構成される。
【０１６９】
送信ユニット４３０は該端末装置へ該ターゲット測定ＧＡＰモードを示すための指示情報を送信するように構成される。
【０１７０】
したがって、本出願の実施例のネットワーク装置では、端末装置から報告された、ターゲット測定ＧＡＰモードを確定するためのいくつかの補助情報と組み合わせて端末装置に測定ＧＡＰモードを配置することにより、端末装置の性能と測定ＧＡＰモードをより良く一致させることができ、システムの性能を向上することに有利である。
【０１７１】
選択可能に、本出願の実施例では、該補助情報は、該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報を含む。
【０１７２】
選択可能に、本出願の実施例では、該補助情報が該端末装置の移動速度情報を含む場合、該確定ユニットは具体的に該端末装置の移動速度が第一の閾値以上である場合、ＧＡＰ周期が第一の周期であるＧＡＰモードを該ターゲット測定ＧＡＰモードとして確定し、該端末装置の移動速度が該第一の閾値より小さい場合、ＧＡＰ周期が第二の周期であるＧＡＰモードを該ターゲット測定ＧＡＰモードとして確定するように構成され、該第一の周期が該第二の周期より小さい。
【０１７３】
選択可能に、本出願の実施例では、該補助情報が該端末装置の現在のサービスのＱｏＳ情報を含む場合、該確定ユニットは具体的に現在のサービスのＱｏＳ情報におけるサービス遅延が第二の閾値以上である場合、ＧＡＰ周期が第三の周期であるＧＡＰモードを該ターゲット測定ＧＡＰモードとして確定し、現在のサービスのＱｏＳ情報におけるサービス遅延が該第二の閾値より小さい場合、ＧＡＰ周期が第四の周期であるＧＡＰモードを該ターゲット測定ＧＡＰモードとして確定するように構成され、該第三の周期が該第四の周期より大きい。
【０１７４】
選択可能に、本出願の実施例では、該補助情報が該端末装置の現在のサービスのＱｏＳ情報を含む場合、該確定ユニットは具体的に現在のサービスのＱｏＳ情報におけるデータレートニーズが第三の閾値以上である場合、ＧＡＰ周期が第五の周期であるＧＡＰモードを該ターゲット測定ＧＡＰモードとして確定し、現在のサービスのＱｏＳ情報におけるデータレートニーズが該第三の閾値より小さい場合、ＧＡＰ周期が第六の周期であるＧＡＰモードを該ターゲット測定ＧＡＰモードとして確定するように構成され、該第五の周期が該第六の周期より小さい。
【０１７５】
選択可能に、本出願の実施例では、該補助情報が該端末装置の検出されたサービスのＱｏＳ情報を含む場合、該確定ユニットは具体的に該検出されたサービスのＱｏＳ情報におけるサービス遅延が第四の閾値以上である場合、ＧＡＰ周期が第七の周期であるＧＡＰモードを該ターゲット測定ＧＡＰモードとして確定し、該検出されたサービスのＱｏＳ情報におけるサービス遅延が該第四の閾値より小さい場合、ＧＡＰ周期が第八の周期であるＧＡＰモードを該ターゲット測定ＧＡＰモードとして確定するように構成され、該第七の周期が該第八の周期より大きい。
【０１７６】
選択可能に、本出願の実施例では、該補助情報が該端末装置の検出されたサービスのＱｏＳ情報を含む場合、該確定ユニットは具体的に該検出されたサービスのＱｏＳ情報におけるデータレートが第五の閾値以上である場合、ＧＡＰ周期が第九の周期であるＧＡＰモードを該ターゲット測定ＧＡＰモードとして確定し、該検出されたサービスのＱｏＳ情報におけるデータレートが該第五の閾値より小さい場合、ＧＡＰ周期が第十の周期であるＧＡＰモードを該ターゲット測定ＧＡＰモードとして確定するように構成され、該第九の周期が該第十の周期より大きい。
【０１７７】
選択可能に、本出願の実施例では、該補助情報が該端末装置の現在のチャネル品質情報を含む場合、該確定ユニットは具体的に該端末装置の現在のチャネル品質が第六の閾値より低い場合、ＧＡＰ周期が第十一の周期であるＧＡＰモードを該ターゲット測定ＧＡＰモードとして確定し、該端末装置の現在のチャネル品質が該第六の閾値以上である場合、ＧＡＰ周期が第十二の周期であるＧＡＰモードを該ターゲット測定ＧＡＰモードとして確定するように構成され、該第十一の周期が該第十二の周期より小さい。
【０１７８】
選択可能に、本出願の実施例では、該補助情報は該端末装置の所望の測定ＧＡＰモード、又は該ネットワーク装置が前回に配置した測定ＧＡＰモードのＧＡＰ周期に対する、該端末装置の所望の測定ＧＡＰモードのＧＡＰ周期の増分値であり、該確定ユニットは具体的に該端末装置の所望の測定ＧＡＰモード又は該増分値に基づき、該ターゲット測定ＧＡＰモードを確定するように構成される。
【０１７９】
選択可能に、本出願の実施例では、該送信ユニットは具体的に無線リソース制御（ＲＲＣ）シグナリングによって該端末装置へ該指示情報を送信するように構成される。
【０１８０】
理解すべきものとして、本出願の実施例によるネットワーク装置４００は本出願の方法の実施例におけるネットワーク装置に対応してもよく、且つネットワーク装置４００の各ユニットの上記と他の操作及び／又は機能はそれぞれ図４と図５の各方法におけるネットワーク装置の対応するプロセスを実現するためのものであり、簡潔するために、ここでは説明を省略する。
【０１８１】
図１０は本出願の実施例による端末装置９００を示す概略ブロック図である。図１０に示すように、該端末装置９００は、確定ユニット９１０、送信ユニット９２０、測定ユニット９３０を含む。
【０１８２】
確定ユニット９１０は、複数の測定ＧＡＰモードから、ターゲット測定ＧＡＰモードを確定するように構成される。
【０１８３】
送信ユニット９２０は、ネットワーク装置へ該ターゲット測定ＧＡＰモードを示すための指示情報を送信するように構成される。
【０１８４】
測定ユニット９３０は、該ターゲット測定ＧＡＰモードに応じて、異周波数／異システム測定を行うように構成される。
【０１８５】
したがって、本出願の実施例の端末装置では、複数の測定ＧＡＰモードから異周波数／異システムのための適切な測定ＧＡＰモードを選択し、これにより、ネットワークオーバーヘッドを削減することに有利である。
【０１８６】
選択可能に、本出願の実施例では、該確定ユニットは具体的に該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報に基づき、該複数のＧＡＰモードから、該ターゲット測定ＧＡＰモードを確定するように構成される。
【０１８７】
選択可能に、本出願の実施例では、該確定ユニットは具体的に該端末装置の移動速度が第一の閾値以上である場合、該複数の測定ＧＡＰモードのうちの第一の測定ＧＡＰモードを該ターゲット測定ＧＡＰモードとして確定し、該端末装置の移動速度が該第一の閾値より小さい場合、該複数の測定ＧＡＰモードのうちの第二の測定ＧＡＰモードを該ターゲット測定ＧＡＰモードとして確定するように構成され、該第一の測定ＧＡＰモードのＧＡＰ周期が該第二の測定ＧＡＰモードのＧＡＰ周期より小さい。
【０１８８】
選択可能に、本出願の実施例では、該確定ユニットは具体的に該現在のサービスのＱｏＳ情報におけるサービス遅延ニーズが第二の閾値以上である場合、該複数の測定ＧＡＰモードのうちの第三の測定ＧＡＰモードを該ターゲットの測定ＧＡＰモードとして確定し、該現在のサービスのＱｏＳ情報におけるサービス遅延ニーズが該第二の閾値より小さい場合、該複数の測定ＧＡＰモードのうちの第四の測定ＧＡＰモードを該ターゲット測定ＧＡＰモードとして確定するように構成され、該第三の測定ＧＡＰモードのＧＡＰ周期が該第四の測定ＧＡＰモードのＧＡＰ周期より大きい。
【０１８９】
選択可能に、本出願の実施例では、該確定ユニットは具体的に該現在のサービスのＱｏＳ情報におけるデータレートニーズが第三の閾値以上である場合、該複数の測定ＧＡＰモードのうちの第五の測定ＧＡＰモードを該ターゲット測定ＧＡＰモードとして確定し、該現在のサービスのＱｏＳ情報におけるデータレートニーズが該第三の閾値より小さい場合、該複数の測定ＧＡＰモードのうちの第六の測定ＧＡＰモードを該ターゲット測定ＧＡＰモードとして確定するように構成され、該第五の測定ＧＡＰモードのＧＡＰ周期が該第六の測定ＧＡＰモードのＧＡＰ周期より小さい。
【０１９０】
選択可能に、本出願の実施例では、該確定ユニットは具体的に該検出されたサービスのＱｏＳ情報におけるサービス遅延が第四の閾値以上である場合、該複数の測定ＧＡＰモードのうちの第七の測定ＧＡＰモードを該ターゲット測定ＧＡＰモードとして確定し、該検出されたサービスのＱｏＳ情報におけるサービス遅延が該第四の閾値より小さい場合、該複数の測定ＧＡＰモードのうちの第八の測定ＧＡＰモードを該ターゲット測定ＧＡＰモードとして確定するように構成され、該第七の測定ＧＡＰモードのＧＡＰ周期が該第八の測定ＧＡＰモードのＧＡＰ周期より大きい。
【０１９１】
選択可能に、本出願の実施例では、該確定ユニットは具体的に該検出されたサービスのＱｏＳ情報におけるデータレートが第五の閾値以上である場合、該複数の測定ＧＡＰモードのうちの第九の測定ＧＡＰモードを該ターゲット測定ＧＡＰモードとして確定し、該検出されたサービスのＱｏＳ情報におけるデータレートが該第五の閾値より小さい場合、該複数の測定ＧＡＰモードのうちの第十の測定ＧＡＰモードを該ターゲット測定ＧＡＰモードとして確定するように構成され、該第九の測定ＧＡＰモードのＧＡＰ周期が該第十の測定ＧＡＰモードのＧＡＰ周期より小さい。
【０１９２】
選択可能に、本出願の実施例では、該確定ユニットは具体的に該端末装置の現在のチャネル品質が第六の閾値より低い場合、該複数の測定ＧＡＰモードのうちの第十一の測定ＧＡＰモードを該ターゲット測定ＧＡＰモードとして確定し、該端末装置の現在のチャネル品質が該第六の閾値以上である場合、該複数の測定ＧＡＰモードのうちの第八の測定ＧＡＰモードを該ターゲット測定ＧＡＰモードとして確定するように構成され、該第十一の測定ＧＡＰモードのＧＡＰ周期が該第十二の測定ＧＡＰモードのＧＡＰ周期より小さい。
【０１９３】
選択可能に、本出願の実施例では、該複数の測定ＧＡＰモードはプロトコルによって定められ又はネットワーク装置によって予め配置される。
【０１９４】
理解すべきものとして、本出願の実施例による端末装置９００は本出願の方法の実施例における端末装置に対応してもよく、且つ端末装置９００の各ユニットの上記と他の操作及び／又は機能はそれぞれ図６に示す方法における端末装置の対応するプロセスを実現するためのものであり、簡潔するために、ここでは説明を省略する。
【０１９５】
図１１は本出願の実施例によるネットワーク装置１０００を示す概略ブロック図である。図１１に示すように、該ネットワーク装置１０００は、第一の受信ユニット１１００、第二の受信ユニット１２００を備える。
【０１９６】
第一の受信ユニット１１００は、端末装置から送信されたターゲット測定ＧＡＰモードを示すための指示情報を受信するように構成される。
【０１９７】
第二の受信ユニット１２００は、端末装置が該ターゲット測定ＧＡＰモードに応じて異周波数／異システム測定を行った測定結果を受信するように構成される。
【０１９８】
理解すべきものとして、本出願の実施例によるネットワーク装置１０００は本出願の方法の実施例における端末装置に対応してもよく、且つネットワーク装置１０００の各ユニットの上記と他の操作及び／又は機能はそれぞれ図７に示す方法における端末装置の対応するプロセスを実現するためのものであり、簡潔するために、ここでは説明を省略する。
【０１９９】
図１２に示すように、本出願の実施例はさらに図４と図５における各方法に対応する端末装置のコンテンツを実行することに利用可能な図８の端末装置３００とすることができる端末装置５００を提供する。該端末装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。該メモリ５４０はプログラム、命令又はコードを記憶するように構成される。該プロセッサ５３０は、該メモリ５４０におけるプログラム、命令又はコードを実行し、信号を受信するように入力インタフェース５１０を制御し、信号を送信するように出力インタフェース５２０を制御し、前記方法の実施例における操作を完了するように構成される。
【０２００】
したがって、本出願の実施例の端末装置では、ネットワーク装置へターゲット測定ＧＡＰモードを確定するためのいくつかの補助情報をネットワーク装置に報告することにより、ネットワーク装置はこれらの補助情報と組み合わせて測定ＧＡＰモードを端末装置に配置し、それによって端末装置の性能と測定ＧＡＰモードをより良く一致させることができ、システムの性能を向上することに有利である。
【０２０１】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、
又は該プロセッサはいずれかの従来のプロセッサなどであってもよい。
【０２０２】
該メモリ５４０は読み取り専用メモリとランダムアクセスメモリを含み、そしてプロセッサ５３０へ命令とデータを提供することができる。メモリ５４０の一部はさらに不揮発性ランダムアクセスメモリを含むことができる。例えば、メモリ５４０はさらに装置タイプの情報を記憶することができる。
【０２０３】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０２０４】
一つの具体的な実施形態では、端末装置３００における確定ユニット３３０は、図９におけるプロセッサ５３０によって実現されてもよく、端末装置３００における送信ユニット３１０は図９における出力インタフェース５２０によって実現されてもよく、端末装置３００における受信ユニット３２０は図９における入力インタフェース５１０によって実現されてもよい。
【０２０５】
図１３に示すように、本出願の実施例はさらに図４と図５の各方法に対応するネットワーク装置のコンテンツを実行することに利用可能な図９のネットワーク装置４００とすることができるネットワーク装置６００を提供する。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。該メモリ６４０はプログラム、命令又はコードを記憶するように構成される。該プロセッサ６３０は該メモリ６４０におけるプログラム、命令又はコードを実行し、信号を受信するように入力インタフェース６１０を制御し、信号を送信するように出力インタフェース６２０を制御し、前記方法の実施例における操作を完了するように構成される。
【０２０６】
したがって、本出願の実施例のネットワーク装置では、端末装置から報告された、ターゲット測定ＧＡＰモードを確定するためのいくつかの補助情報と組み合わせて測定ＧＡＰモードを端末装置に配置することにより、端末装置の性能と測定ＧＡＰモードをより良く一致させることができ、システムの性能を向上することに有利である。
【０２０７】
理解すべきものとして、本発明の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ（ＤＳＰ：（Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２０８】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０２０９】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０２１０】
一つの具体的な実施形態では、ネットワーク装置４００における送信ユニット４３０は、図１０における出力インタフェース６２０によって実現されてもよく、端末装置４００における受信ユニット４１０は図１０における入力インタフェース６１０によって実現されてもよく、ネットワーク装置４００における確定ユニット４２０は図１０におけるプロセッサ６３０によって実現されてもよい。
【０２１１】
図１４に示すように、本出願の実施例はさらに図６の方法に対応する端末装置のコンテンツを実行することに利用可能な図１０の端末装置９００とすることができる端末装置２０００を提供する。該端末装置２０００は、入力インタフェース２０１０、出力インタフェース２０２０、プロセッサ２０３０及びメモリ２０４０を備え、該入力インタフェース２０１０、出力インタフェース２０２０、プロセッサ２０３０とメモリ２０４０がバスシステムを介して接続されてもよい。該メモリ２０４０はプログラム、命令又はコードを記憶するように構成される。該プロセッサ２０３０は、該メモリ２０４０におけるプログラム、命令又はコードを実行し、信号を受信するように入力インタフェース２０１０を制御し、信号を送信するように出力インタフェース２０２０を制御し、前記方法の実施例における操作を完了するように構成される。
【０２１２】
したがって、本出願の実施例の端末装置では、複数の測定ＧＡＰモードから異周波数／異システムのための適切な測定ＧＡＰモードを選択し、これにより、ネットワークオーバーヘッドを削減することに有利である。
【０２１３】
理解すべきものとして、本発明の実施例では、該プロセッサ２０３０は中央処理ユニット（ＣＰＵ：Ｃｅｎｔｒａｌ  Ｐｒｏｃｅｓｓｉｎｇ  Ｕｎｉｔ）であってもよく、該プロセッサ２０３０はさらに他の汎用プロセッサ、デジタル信号プロセッサ（ＤＳＰ：（Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２１４】
該メモリ２０４０は読み取り専用メモリとランダムアクセスメモリを含み、そしてプロセッサ２０３０へ命令とデータを提供することができる。メモリ２０４０の一部はさらに不揮発性ランダムアクセスメモリを含むことができる。例えば、メモリ２０４０はさらに装置タイプの情報を記憶することができる。
【０２１５】
実施プロセスでは、上記方法の各内容は、プロセッサ２０３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ２０４０に位置し、プロセッサ２０３０はメモリ２０４０における情報を読み取り、そのハードウェアと組み合わせて上記方法の内容を完了する。繰り返しを回避するために、ここで詳細な説明を省略する。
【０２１６】
一つの具体的な実施形態では、端末装置９００における確定ユニット９１０は図１４におけるプロセッサ２０３０で実現されてもよく、端末装置９００の送信ユニット９２０は図１４の出力インタフェース２０２０で実現されてもよい。
【０２１７】
図１５に示すように、本出願の実施例はさらに図７の方法に対応するネットワーク装置のコンテンツを実行することに利用可能な図１１のネットワーク装置１０００とすることができるネットワーク装置３０００を提供する。該ネットワーク装置３０００は、入力インタフェース３０１０、出力インタフェース３０２０、プロセッサ３０３０及びメモリ３０４０を備え、該入力インタフェース３０１０、出力インタフェース３０２０、プロセッサ３０３０とメモリ３０４０がバスシステムを介して接続されてもよい。該メモリ３０４０はプログラム、命令又はコードを記憶するように構成される。該プロセッサ３０３０は、該メモリ３０４０におけるプログラム、命令又はコードを実行し、信号を受信するように入力インタフェース３０１０を制御し、信号を送信するように出力インタフェース３０２０を制御し、前記方法の実施例における操作を完了するように構成される。
【０２１８】
したがって、本出願の実施例のネットワーク装置では、端末装置は複数の測定ＧＡＰモードから異周波数／異システムのための適切な測定ＧＡＰモードを選択し、これにより、ネットワークオーバーヘッドを削減することに有利である。
【０２１９】
理解すべきものとして、本発明の実施例では、該プロセッサ３０３０は中央処理ユニット（ＣＰＵ：Ｃｅｎｔｒａｌ  Ｐｒｏｃｅｓｓｉｎｇ  Ｕｎｉｔ）であってもよく、該プロセッサ３０３０はさらに他の汎用プロセッサ、デジタル信号プロセッサ（ＤＳＰ：（Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２２０】
該メモリ３０４０は読み取り専用メモリとランダムアクセスメモリを含み、そしてプロセッサ３０３０へ命令とデータを提供することができる。メモリ３０４０の一部はさらに不揮発性ランダムアクセスメモリを含むことができる。例えば、メモリ３０４０はさらに装置タイプの情報を記憶することができる。
【０２２１】
実施プロセスでは、上記方法の各内容は、プロセッサ３０３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ３０４０に位置し、プロセッサ３０３０はメモリ３０４０における情報を読み取り、そのハードウェアと組み合わせて上記方法の内容を完了する。繰り返しを回避するために、ここで詳細な説明を省略する。
【０２２２】
一つの具体的な実施形態では、ネットワーク装置１０００における第一の送信ユニット１１００と第二の送信ユニット１２００は図１５における出力インタフェース３０２０で実現されてもよい。
【０２２３】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２２４】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２２５】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０２２６】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０２２７】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２２８】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２９】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は請求項の保護範囲に準拠するべきである。
【図１】
2020532153.tif 000003
【図２】
2020532153.tif 000004
【図３】
2020532153.tif 000005
【図４】
2020532153.tif 000006
【図５】
2020532153.tif 000007
【図６】
2020532153.tif 000008
【図７】
2020532153.tif 000009
【図８】
2020532153.tif 000010
【図９】
2020532153.tif 000011
【図１０】
2020532153.tif 000012
【図１１】
2020532153.tif 000013
【図１２】
2020532153.tif 000014
【図１３】
2020532153.tif 000015
【図１４】
2020532153.tif 000016
【図１５】
2020532153.tif 000017
【手続補正書】
【提出日】令和2年6月24日(2020.6.24)
【手続補正１】
【補正対象書類名】明細書
【補正対象項目名】全文
【補正方法】変更
【補正の内容】
【発明の詳細な説明】
【技術分野】
【０００１】
本出願の実施例は通信分野に関し、且つより具体的には、異周波数／異システム測定のための方法、端末装置とネットワーク装置に関する。
【背景技術】
【０００２】
異周波数ネットワークの場合、移動端末は、異周波数セル間に移動すると、異周波数セルを測定する必要があり、それによって異周波数セルの信号品質を取得する。通常、ユーザ装置（ＵＥ：Ｕｓｅｒ  Ｅｑｕｉｐｍｅｎｔ）は測定間隔（ＧＡＰ）のみで測定する。ここで、測定間隔（ＧＡＰ）のモードがネットワーク装置によって固定的に配置されるため、システム性能が悪いという問題、例えば測定精度が高くないことを引き起こす可能性がある。
【発明の概要】
【発明が解決しようとする課題】
【０００３】
これに鑑みて、本出願の実施例は、システム性能を向上することに有利な異周波数／異システム測定のための方法、端末装置とネットワーク装置を提供する。
【課題を解決するための手段】
【０００４】
第一の態様による異周波数／異システム測定のための方法は、端末装置がネットワーク装置へターゲット測定間隔（ＧＡＰ）モードを確定するための補助情報を送信することと、該端末装置が該ネットワーク装置から送信された指示情報を受信し、該指示情報が該ターゲット測定ＧＡＰモードを示すことに用いられることと、該端末装置が該ターゲット測定ＧＡＰモードに応じて、異周波数／異システム測定を行うこととを含む。
【０００５】
補助情報とは測定ＧＡＰモードを確定することを支援するためのいくつかの具体的な情報、例えば、端末装置の移動速度情報、又は端末装置の現在のサービスのいくつかの伝送特性などであってもよい。又はネットワーク装置が参照するために、端末装置によってネットワーク装置に推奨される測定ＧＡＰモードであってもよい。
【０００６】
端末装置がネットワーク装置へいくつかの補助情報を送信することにより、ネットワーク装置は端末装置の性能をより良く理解し、さらに適切な測定ＧＡＰモードを配置し、それによって測定レポートの精度を向上させ、さらにシステムの性能を高めることに有利である。
【０００７】
一つの可能な実施形態では、該補助情報は該端末装置の所望の測定ＧＡＰモード、又は該ネットワーク装置が前回に配置した測定ＧＡＰモードのＧＡＰ周期に対する、該端末装置の所望の測定ＧＡＰモードのＧＡＰ周期の増分値であり、該方法はさらに該端末装置が複数の測定ＧＡＰモードから、該所望の測定ＧＡＰモードを確定することを含む。
【０００８】
選択可能に、ネットワーク装置と端末装置は複数の測定ＧＡＰモードを予め定めることができ、又はネットワーク装置は端末装置に複数の測定ＧＡＰモードを予め配置することができる。該複数の測定ＧＡＰモードは長期進化（ＬＴＥ：Ｌｏｎｇ  Ｔｅｒｍ  Ｅｖｏｌｕｔｉｏｎ）システムにおけるモード１とモード２を含むことができ、他のいくつかのモードであってもよい。予め定められるものはプロトコルによって定められるものであってもよく、端末装置の工場出荷時のデフォルト構成であってもよい。
【０００９】
端末装置は複数の測定ＧＡＰモードを予め記憶し、そして端末装置は所望の測定ＧＡＰモードを選択してネットワーク装置に知らせ、これにより、ネットワーク装置は端末の性能とより良く組み合わせて端末に適切な測定ＧＡＰモードをマッチングすることができる。
【００１０】
一つの可能な実施形態では、該端末装置が複数の測定ＧＡＰモードから、該所望の測定ＧＡＰモードを確定することは、該端末装置が前記端末装置の移動速度情報、前記端末装置の現在のサービスのサービス品質（ＱｏＳ：Ｑｕａｌｉｔｙ  ｏｆ  Ｓｅｒｖｉｃｅ）情報、前記端末装置の検出されたサービスのＱｏＳ情報と前記端末装置の現在のチャネル品質情報のうちの少なくとも一つの情報に基づき、前記複数の測定ＧＡＰモードから、前記所望の測定ＧＡＰモードを確定することを含む。
【００１１】
一つの可能な実施形態では、該端末装置が該端末装置の移動速度情報に基づき、該複数のＧＡＰモードから、該所望の測定ＧＡＰモードを確定することは、該端末装置の移動速度が第一の閾値以上である場合、該端末装置が該複数の測定ＧＡＰモードのうちの第一の測定ＧＡＰモードを該所望の測定ＧＡＰモードとして確定することと、該端末装置の移動速度が該第一の閾値より小さい場合、該端末装置が該複数の測定ＧＡＰモードのうちの第二の測定ＧＡＰモードを該所望の測定ＧＡＰモードとして確定し、該第一の測定ＧＡＰモードのＧＡＰ周期が該第二の測定ＧＡＰモードのＧＡＰ周期より小さいこととを含む。
【００１２】
選択可能に、端末装置の移動速度だけでなく、端末装置の移動加速度であってもよい。
【００１３】
一つの可能な実施形態では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるサービス遅延ニーズが第二の閾値以上である場合、該端末装置が該複数の測定ＧＡＰモードのうちの第三の測定ＧＡＰモードを該所望の測定ＧＡＰモードとして確定することと、該現在のサービスのＱｏＳ情報におけるサービス遅延ニーズが該第二の閾値より小さい場合、該端末装置が該複数の測定ＧＡＰモードのうちの第四の測定ＧＡＰモードを該所望の測定ＧＡＰモードとして確定し、該第三の測定ＧＡＰモードのＧＡＰ周期が該第四の測定ＧＡＰモードのＧＡＰ周期より大きいこととを含む。
【００１４】
一つの可能な実施形態では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるデータレートニーズが第三の閾値以上である場合、該端末装置が該複数の測定ＧＡＰモードのうちの第五の測定ＧＡＰモードを該所望の測定ＧＡＰモードとして確定することと、該現在のサービスのＱｏＳ情報におけるデータレートニーズが第三の閾値より小さい場合、該端末装置が該複数の測定ＧＡＰモードのうちの第六の測定ＧＡＰモードを該所望の測定ＧＡＰモードとして確定し、該第五の測定ＧＡＰモードのＧＡＰ周期が該第六の測定ＧＡＰモードのＧＡＰ周期より小さいこととを含む。
【００１５】
一つの可能な実施形態では、該端末装置が検出されたサービスのＱｏＳ情報に基づき、該複数の測定ＧＡＰモードから、該所望の測定ＧＡＰモードを確定することは、該検出されたサービスのＱｏＳ情報におけるサービス遅延が第四の閾値以上である場合、該端末装置が該複数の測定ＧＡＰモードのうちの第七の測定ＧＡＰモードを該所望の測定ＧＡＰモードとして確定することと、該検出されたサービスのＱｏＳ情報におけるサービス遅延が第四の閾値より小さい場合、該端末装置が該複数の測定ＧＡＰモードのうちの第八の測定ＧＡＰモードを該所望の測定ＧＡＰモードとして確定し、該第七の測定ＧＡＰモードのＧＡＰ周期が該第八の測定ＧＡＰモードのＧＡＰ周期より大きいこととを含む。
【００１６】
一つの可能な実施形態では、該端末装置が検出されたサービスのＱｏＳ情報に基づき、該複数の測定ＧＡＰモードから、該所望の測定ＧＡＰモードを確定することは、該検出されたサービスのＱｏＳ情報におけるデータレートが第五の閾値以上である場合、該端末装置が該複数の測定ＧＡＰモードのうちの第九の測定ＧＡＰモードを該所望の測定ＧＡＰモードとして確定することと、該検出されたサービスのＱｏＳ情報におけるデータレートが該第五の閾値より小さい場合、該端末装置が該複数の測定ＧＡＰモードのうちの第十の測定ＧＡＰモードを該所望の測定ＧＡＰモードとして確定し、該第九の測定ＧＡＰモードのＧＡＰ周期が該第十の測定ＧＡＰモードのＧＡＰ周期より小さいこととを含む。選択可能に、ＱｏＳパラメータはエンドツーエンドの遅延、ジッター、データレート、パケット損失率、ネットワークスループット及びデータ送信の信頼性などを含む。ＱｏＳに含まれる様々なパラメータに対して異なるルールをそれぞれ配置し、端末装置の所望の測定ＧＡＰモードを確定することができる。
【００１７】
一つの可能な実施形態では、該端末装置が該端末装置の現在のチャネル品質情報に基づき、該複数の測定ＧＡＰモードから、該所望の測定ＧＡＰモードを確定することは、該端末装置の現在のチャネル品質が第六の閾値より低い場合、該端末装置が該複数の測定ＧＡＰモードのうちの第十一の測定ＧＡＰモードを該所望の測定ＧＡＰモードとして確定することと、該端末装置の現在のチャネル品質が該第六の閾値以上である場合、該端末装置が該複数の測定ＧＡＰモードのうちの第十二の測定ＧＡＰモードを該所望の測定ＧＡＰモードとして確定し、該第十一の測定ＧＡＰモードのＧＡＰ周期が該第十二の測定ＧＡＰモードのＧＡＰ周期より小さいこととを含む。
【００１８】
選択可能に、上記の様々な対応関係及び各閾値はネットワーク装置によって予め配置されてもよい。
【００１９】
一つの可能な実施形態では、前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含む。
【００２０】
端末装置はネットワーク装置へ様々な補助情報を直接報告することができ、これにより、ネットワーク装置はこれらの補助情報と組合わせて端末装置に測定ＧＡＰモードをそれ自体で配置し、ネットワークが予め配置する必要がなく、ネットワークオーバーヘッドを削減することに有利である。
【００２１】
一つの可能な実施形態では、該端末装置が該ネットワーク装置から送信された指示情報を受信することは、該端末装置が無線リソース制御（ＲＲＣ）シグナリングによって該指示情報を受信することを含む。
【００２２】
また、他の上位層シグナリング、例えば媒体アクセス制御（ＭＡＣ：Ｍｅｄｉａ  Ａｃｃｅｓｓ  Ｃｏｎｔｒｏｌ）シグナリングによって該指示情報を受信することができる。
【００２３】
第二の態様による異周波数／異システム測定のための方法は、ネットワーク装置が端末装置から送信された測定ＧＡＰの補助情報を受信することと、前記ネットワーク装置が前記補助情報に基づき、異周波数／異システム測定のためのターゲット測定間隔ＧＡＰ）モードを確定することと、前記ネットワーク装置が前記端末装置へ前記ターゲット測定ＧＡＰモードを示すための指示情報を送信することとを含む。
【００２４】
一つの可能な実施形態では、前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含む。
【００２５】
一つの可能な実施形態では、前記補助情報が前記端末装置の移動速度情報を含む場合、前記ネットワーク装置が前記補助情報に基づき、異周波数／異システム測定のためのターゲット測定ＧＡＰモードを確定することは、前記端末装置の移動速度が第一の閾値以上である場合、前記ネットワーク装置が、ＧＡＰ周期が第一の周期であるＧＡＰモードを前記ターゲット測定ＧＡＰモードとして確定することと、前記端末装置の移動速度が前記第一の閾値より小さい場合、前記ネットワーク装置が、ＧＡＰ周期が第二の周期であるＧＡＰモードを前記ターゲット測定ＧＡＰモードとして確定し、前記第一の周期が前記第二の周期より小さいこととを含む。
【００２６】
一つの可能な実施形態では、前記補助情報が前記端末装置の現在のサービスのＱｏＳ情報を含む場合、前記ネットワーク装置が前記補助情報に基づき、異周波数／異システム測定のためのターゲット測定ＧＡＰモードを確定することは、前記現在のサービスのＱｏＳ情報におけるサービス遅延が第二の閾値以上である場合、前記ネットワーク装置が、ＧＡＰ周期が第三の周期であるＧＡＰモードを前記ターゲット測定ＧＡＰモードとして確定することと、前記現在のサービスのＱｏＳ情報におけるサービス遅延が前記第二の閾値より小さい場合、前記ネットワーク装置が、ＧＡＰ周期が第四の周期であるＧＡＰモードを前記ターゲット測定ＧＡＰモードとして確定し、前記第三の周期が前記第四の周期より大きいこととを含む。
【００２７】
一つの可能な実施形態では、前記補助情報が前記端末装置の現在のサービスのＱｏＳ情報を含む場合、前記ネットワーク装置が前記補助情報に基づき、異周波数／異システム測定のためのターゲット測定ＧＡＰモードを確定することは、前記現在のサービスのＱｏＳ情報におけるデータレートニーズが第三の閾値以上である場合、前記ネットワーク装置が、ＧＡＰ周期が第五の周期であるＧＡＰモードを前記ターゲット測定ＧＡＰモードとして確定することと、前記現在のサービスのＱｏＳ情報におけるデータレートニーズが前記第三の閾値より小さい場合、前記ネットワーク装置が、ＧＡＰ周期が第六の周期であるＧＡＰモードを前記ターゲット測定ＧＡＰモードとして確定し、前記第五の周期が前記第六の周期より小さいこととを含む。
【００２８】
一つの可能な実施形態では、前記補助情報が前記端末装置の検出されたサービスのＱｏＳ情報を含む場合、前記ネットワーク装置が前記補助情報に基づき、異周波数／異システム測定のためのターゲット測定ＧＡＰモードを確定することは、前記検出されたサービスのＱｏＳ情報におけるサービス遅延が第四の閾値以上である場合、前記ネットワーク装置が、ＧＡＰ周期が第七の周期であるＧＡＰモードを前記ターゲット測定ＧＡＰモードとして確定することと、前記検出されたサービスのＱｏＳ情報におけるサービス遅延が前記第四の閾値より小さい場合、前記ネットワーク装置が、ＧＡＰ周期が第八の周期であるＧＡＰモードを前記ターゲット測定ＧＡＰモードとして確定し、前記第七の周期が前記第八の周期より大きいこととを含む。
【００２９】
一つの可能な実施形態では、前記補助情報が前記端末装置の検出されたサービスのＱｏＳ情報を含む場合、前記ネットワーク装置が前記補助情報に基づき、異周波数／異システム測定のためのターゲット測定ＧＡＰモードを確定することは、前記検出されたサービスのＱｏＳ情報におけるデータレートが第五の閾値以上である場合、前記ネットワーク装置が、ＧＡＰ周期が第九の周期であるＧＡＰモードを前記ターゲット測定ＧＡＰモードとして確定することと、前記検出されたサービスのＱｏＳ情報におけるデータレートが前記第五の閾値より小さい場合、前記ネットワーク装置が、ＧＡＰ周期が第十の周期であるＧＡＰモードを前記ターゲット測定ＧＡＰモードとして確定し、前記第九の周期が前記第十の周期より大きいこととを含む。
【００３０】
一つの可能な実施形態では、前記補助情報が前記端末装置の現在のチャネル品質情報を含む場合、前記ネットワーク装置が前記補助情報に基づき、異周波数／異システム測定のためのターゲット測定ＧＡＰモードを確定することは、前記端末装置の現在のチャネル品質情報が第六の閾値より低い場合、前記ネットワーク装置が、ＧＡＰ周期が第十一の周期であるＧＡＰモードを前記ターゲット測定ＧＡＰモードとして確定することと、前記端末装置の現在のチャネル品質情報が前記第六の閾値以上である場合、前記ネットワーク装置が、ＧＡＰ周期が第十二の周期であるＧＡＰモードを前記ターゲット測定ＧＡＰモードとして確定し、前記第十一の周期が前記第十二の周期より小さいこととを含む。
【００３１】
一つの可能な実施形態では、前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、前記ネットワーク装置が前記補助情報に基づき、異周波数／異システム測定のためのターゲット測定ＧＡＰモードを確定することは、前記ネットワーク装置が前記端末装置の所望の測定ＧＡＰモード又は前記増分値に基づき、前記ターゲット測定ＧＡＰモードを確定することを含む。
【００３２】
一つの可能な実施形態では、前記ネットワーク装置が前記端末装置へ前記ターゲット測定ＧＡＰモードを示すための指示情報を送信することは、前記ネットワーク装置が無線リソース制御（ＲＲＣ）シグナリングによって前記端末装置へ前記指示情報を送信することを含む。
【００３３】
第三の態様による異周波数／異システム測定のための方法は、端末装置が複数の測定ＧＡＰモードから、ターゲット測定ＧＡＰモードを確定することと、前記端末装置がネットワーク装置へ前記ターゲット測定ＧＡＰモードを示すための指示情報を送信することと、前記端末装置が前記ターゲット測定ＧＡＰモードに基づき、異周波数／異システム測定を行うこととを含む。
【００３４】
端末装置が複数の測定ＧＡＰモードから異周波数／異システム測定のための測定ＧＡＰモードをそれ自体で選択することにより、端末装置の性能とより良く組み合わせて適切な測定ＧＡＰモードを確定し、さらにシステム性能を向上させることができる。
【００３５】
一つの可能な実施形態では、前記端末装置が複数の測定ＧＡＰモードから、ターゲット測定ＧＡＰモードを確定することは、前記端末装置が前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報に基づき、前記複数の測定ＧＡＰモードから、前記ターゲット測定ＧＡＰモードを確定することを含む。
【００３６】
端末装置の性能と組み合わせて端末装置が複数の測定ＧＡＰモードから異周波数／異システム測定のための測定ＧＡＰモードをそれ自体で選択することにより、システム性能をさらに向上させることができる。
【００３７】
一つの可能な実施形態では、前記端末装置が前記端末装置の移動速度情報に基づき、前記該複数のＧＡＰモードから、前記ターゲット測定ＧＡＰモードを確定することは、前記端末装置の移動速度が第一の閾値以上である場合、前記端末装置が前記複数の測定ＧＡＰモードのうちの第一の測定ＧＡＰモードを前記ターゲット測定ＧＡＰモードとして確定することと、前記端末装置の移動速度が前記第一の閾値より小さい場合、前記端末装置が前記複数の測定ＧＡＰモードのうちの第二の測定ＧＡＰモードを前記ターゲット測定ＧＡＰモードとして確定し、前記第一の測定ＧＡＰモードのＧＡＰ周期が前記第二の測定ＧＡＰモードのＧＡＰ周期より小さいこととを含む。
【００３８】
一つの可能な実施形態では、前記端末装置が前記端末装置の現在のサービスのＱｏＳ情報に基づき、前記複数の測定ＧＡＰモードから、前記ターゲット測定ＧＡＰモードを確定することは、前記現在のサービスのＱｏＳ情報におけるサービス遅延ニーズが第二の閾値以上である場合、前記端末装置が前記複数の測定ＧＡＰモードのうちの第三の測定ＧＡＰモードを前記ターゲット測定ＧＡＰモードとして確定することと、前記現在のサービスのＱｏＳ情報におけるサービス遅延ニーズが前記第二の閾値より小さい場合、前記端末装置が前記複数の測定ＧＡＰモードのうちの第四の測定ＧＡＰモードを前記ターゲット測定ＧＡＰモードとして確定し、前記第三の測定ＧＡＰモードのＧＡＰ周期が前記第四の測定ＧＡＰモードのＧＡＰ周期より大きいこととを含む。
【００３９】
一つの可能な実施形態では、前記端末装置が前記端末装置の現在のサービスのＱｏＳ情報に基づき、前記複数の測定ＧＡＰモードから、前記ターゲット測定ＧＡＰモードを確定することは、前記現在のサービスのＱｏＳ情報におけるデータレートニーズが第三の閾値以上である場合、前記端末装置が前記複数の測定ＧＡＰモードのうちの第五の測定ＧＡＰモードを前記ターゲット測定ＧＡＰモードとして確定することと、前記現在のサービスのＱｏＳ情報におけるデータレートニーズが前記第三の閾値より小さい場合、前記端末装置が前記複数の測定ＧＡＰモードのうちの第六の測定ＧＡＰモードを前記ターゲット測定ＧＡＰモードとして確定し、前記第五の測定ＧＡＰモードのＧＡＰ周期が前記第六の測定ＧＡＰモードのＧＡＰ周期より小さいこととを含む。
【００４０】
一つの可能な実施形態では、前記端末装置が検出されたサービスのＱｏＳ情報に基づき、前記複数の測定ＧＡＰモードから、前記ターゲット測定ＧＡＰモードを確定することは、前記検出されたサービスのＱｏＳにおけるサービス遅延が第四の閾値以上である場合、前記端末装置が前記複数の測定ＧＡＰモードのうちの第七の測定ＧＡＰモードを前記ターゲット測定ＧＡＰモードとして確定することと、前記検出されたサービスのＱｏＳ情報におけるサービス遅延が前記第四の閾値より小さい場合、前記端末装置が前記複数の測定ＧＡＰモードのうちの第八の測定ＧＡＰモードを前記ターゲット測定ＧＡＰモードとして確定し、前記第七の測定ＧＡＰモードのＧＡＰ周期が前記第八の測定ＧＡＰモードのＧＡＰ周期より大きいこととを含む。
【００４１】
一つの可能な実施形態では、前記端末装置が検出されたサービスのＱｏＳ情報に基づき、前記複数の測定ＧＡＰモードから、前記ターゲット測定ＧＡＰモードを確定することは、前記検出されたサービスのＱｏＳにおけるデータレートが第五の閾値以上である場合、前記端末装置が前記複数の測定ＧＡＰモードのうちの第九の測定ＧＡＰモードを前記ターゲット測定ＧＡＰモードとして確定することと、前記検出されたサービスのＱｏＳ情報におけるデータレートが前記第五の閾値より小さい場合、前記端末装置が前記複数の測定ＧＡＰモードのうちの第十の測定ＧＡＰモードを前記ターゲット測定ＧＡＰモードとして確定し、前記第九の測定ＧＡＰモードのＧＡＰ周期が前記第十の測定ＧＡＰモードのＧＡＰ周期より小さいこととを含む。
【００４２】
一つの可能な実施形態では、前記端末装置が前記端末装置の現在のチャネル品質情報に基づき、前記該複数のＧＡＰモードから、前記ターゲット測定ＧＡＰモードを確定することは、前記端末装置の現在のチャネル品質が第六の閾値より低い場合、前記端末装置が前記複数の測定ＧＡＰモードのうちの第十一の測定ＧＡＰモードを前記ターゲット測定ＧＡＰモードとして確定することと、前記端末装置の現在のチャネル品質が前記第六の閾値以上である場合、前記端末装置が前記複数の測定ＧＡＰモードのうちの第十二の測定ＧＡＰモードを前記ターゲット測定ＧＡＰモードとして確定し、前記第十一の測定ＧＡＰモードのＧＡＰ周期が前記第十二の測定ＧＡＰモードのＧＡＰ周期より小さいこととを含む。
【００４３】
一つの可能な実施形態では、前記複数の測定ＧＡＰモードはプロトコルによって定められ又はネットワーク装置によって予め配置される。
【００４４】
第四の態様による異周波数／異システム測定のための方法は、第三の態様又は第三の態様のいずれかの可能な実施形態に対応し、ネットワーク装置によって実行され、第三の態様又は第三の態様のいずれかの実施形態における端末装置から送信された情報を受信することに用いられる。
【００４５】
第五の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００４６】
第六の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００４７】
第七の態様による端末装置は上記第三の態様又は第三の態様のいずれかの可能な実施形態における方法を実行することに用いられる。具体的には、該端末装置は、上記第三の態様又は第三の態様のいずれかの可能な実施形態における方法を実行するためのユニットを備える。
【００４８】
第八の態様によるネットワーク装置は上記第四の態様又は第四の態様のいずれかの可能な実施形態における方法を実行することに用いられる。具体的には、該ネットワーク装置は、上記第四の態様又は第四の態様のいずれかの可能な実施形態における方法を実行するためのユニットを備える。
【００４９】
第九の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００５０】
第十の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは、該メモリに記憶された、上記第二の態様又は第二の態様のいずれかの可能な実施形態における方法を実行するための命令を実行するように構成する。
【００５１】
第十一の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第三の態様又は第三の態様のいずれかの可能な実施形態における方法を実行するための命令を実行するように構成する。
【００５２】
第十二の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第四の態様又は第四の態様のいずれかの可能な実施形態における方法を実行するための命令を実行するように構成する。
【００５３】
第十三の態様によるコンピュータ記憶媒体は、上記第一の態様又は第一の態様のいずれかの可能な実施形態における方法、又は上記第二の態様又は第二の態様のいずれかの可能な実施形態における方法、又は上記第三の態様又は第三の態様のいずれかの可能な実施形態における方法、又は上記第四の態様又は第四の態様のいずれかの可能な実施形態における方法を実行するための、上記態様を実行するために設計されたプログラムを含むコンピュータソフトウェア命令を記憶するように構成される。
【００５４】
第十四の態様による命令を含むコンピュータプログラム製品は、コンピュータで実行される場合、コンピュータが上記第一の態様又は第一の態様の任意の選択可能な実施形態における方法、又は上記第二の態様又は第二の態様の任意の選択可能な実施形態における方法、又は上記第三の態様又は第三の態様のいずれかの選択可能な実施形態における方法、又は上記第四の態様又は第四の態様のいずれかの選択可能な実施形態における方法を実行する。
【００５５】
本出願のこれらの態様又は他の態様は以下の実施例の説明からより容易に明らかになる。
【図面の簡単な説明】
【００５６】
【図１】本出願の実施例の一つの応用シーンを示す概略図である。
【図２】ＵＥが異セル測定を行う様々なシーンを示す図である。
【図３】測定間隔（ＧＡＰ）を示す構造図である。
【図４】本出願の実施例による異周波数／異システム測定のための方法を示す概略ブロック図である。
【図５】本出願の実施例による異周波数／異システム測定のための方法を示す別の概略ブロック図である。
【図６】本出願の実施例による異周波数／異システム測定のための方法を示す別の概略ブロック図である。
【図７】本出願の実施例による異周波数／異システム測定のための方法を示す別の概略ブロック図である。
【図８】本出願の実施例による端末装置を示す概略ブロック図である。
【図９】本出願の実施例によるネットワーク装置を示す概略ブロック図である。
【図１０】本出願の実施例による端末装置を示す別の概略ブロック図である。
【図１１】本出願の実施例によるネットワーク装置を示す別の概略ブロック図である。
【図１２】本出願の実施例による端末装置を示す別の概略ブロック図である。
【図１３】本出願の実施例によるネットワーク装置を示す別の概略ブロック図である。
【図１４】本出願の実施例による端末装置を示す別の概略ブロック図である。
【図１５】本出願の実施例によるネットワーク装置を示す別の概略ブロック図である。
【発明を実施するための形態】
【００５７】
以下に本出願の実施例における図面と組み合わせながら、本出願の実施例における技術的解決策を明確に、全面的に説明する。
【００５８】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００５９】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００６０】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００６１】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例では限定されない。
【００６２】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００６３】
ＬＴＥシステムにおける測定が主に接続状態におけるモビリティ測定を指し、ネットワーク装置がＵＥに測定配置を送信した後、ＵＥは測定配置に示された測定オブジェクト、報告配置などのパラメータに基づいて隣接セルの信号状態を検出する。通常、ＵＥには受信機が１つだけであり、同じ時点に一つの周波数ポイントのみで信号を受信することができ、他の周波数ポイントを同時に測定することができない。したがって、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）のリリース（Ｒｅｌｅａｓｅ）１４（Ｒｅｌ−１４）において、測定ＧＡＰ（ｍｅａｓｕｒｅｍｅｎｔ  ｇａｐ）の方式、即ち一部の時間（寸話値測定管局（ＧＡＰ）を予約し、この間、ＵＥがいかなるデータを送信及び受信しないが、受信機をターゲットセル周波数ポイントに調整し、異周波数の測定を行い、ＧＡＰ時間の終わりに現在の本セルに移転する。
【００６４】
ＵＥがＧＡＰに対して補助測定を行う必要があるか否かは、図２に示す６つのシーンを考える必要がある。
【００６５】
シーンＡ（現在の位置するセルとターゲットセルの搬送波周波数ポイントが同じであり、帯域幅も同じである）であって、このシーンは同じ周波数測定に属し、ＧＡＰを測定する必要がない。
【００６６】
シーンＢ（現在の位置するセルとターゲットセルの搬送波周波数ポイントが同じであり、ターゲットセルの帯域幅が現在のセルの帯域幅よりも小さい）であって、このシーンも同じ周波数測定に属し、ＧＡＰを測定する必要がない。
【００６７】
シーンＣ（現在の位置するセルとターゲットセルの搬送波周波数ポイントが同じであり、ターゲットセルの帯域幅が現在のセルの帯域幅よりも大きい）であって、このシーンも同じ周波数測定に属し、ＧＡＰを測定する必要がない。
【００６８】
シーンＤ（現在の位置するセルとターゲットセルの搬送波周波数ポイントが異なり、ターゲットセルの帯域幅が現在のセルの帯域幅よりも小さく且つターゲットセルの帯域幅が現在のセルの帯域内にある）であって、このシーンも異周波数測定に属し、ＧＡＰを測定する必要がある。
【００６９】
シーンＥ（現在の位置するセルとターゲットセルの搬送波周波数ポイントが異なり、ターゲットセルの帯域幅が現在のセルの帯域幅よりも大きく且つ現在のセルの帯域幅がターゲットセルの帯域内にある）であって、このシーンは異周波数測定に属し、ＧＡＰを測定する必要がある。
【００７０】
シーンＦ（現在の位置するセルとターゲットセルの搬送波周波数ポイントが異なり、ターゲットセルの帯域幅が現在のセルの帯域幅と重ならない）であって、このシーンは異周波数測定に属し、ＧＡＰを測定する必要がある。
【００７１】
異周波数又は異システム測定を行う必要がある場合、ｅＮｏｄｅＢは測定間隔（ＧＡＰ）の関連配置を送信し、ＵＥはｅＮｏｄｅＢの配置指示に従って測定間隔（ＧＡＰ０を起動する。図３は測定間隔（ＧＡＰ）を示す構造図である。図３に示すように、測定ＧＡＰが周期Ｔｐｅｒｉｏｄで循環し、ＵＥはＧＡＰ幅即ちＴＧＡＰ内のみで測定し、１０ｍｓが一つの無線フレームである。
【００７２】
ＬＴＥシステムにおける測定ＧＡＰは一般的にモード１とモード２がある。モード１におけるＴＧＡＰが６ｍｓであり、周期Ｔｐｅｒｉｏｄが８０ｍｓである。ネットワーク装置は測定ＧＡＰをモード１又はモード２に固定的に配置し、配置されたＧＡＰモードが現在の端末装置のいくつかの特性と一致しない可能性が高く、例えば、端末装置の現在の移動速度が高く、ネットワーク装置が端末装置にモード２を配置した場合、即ち測定ＧＡＰの周期が８０ｍｓである場合、端末装置の移動速度が速いため、８０ｍｓの周期で報告された測定情報が端末装置にとって不正確である可能性が高く、システムの性能が悪くなる。
【００７３】
図４は本出願の実施例による異周波数／異システム測定のための方法１００を示す概略フローチャートである。該方法１００は端末装置とネットワーク装置によって交互に実行されてもよく、例えばＵＥとｅＮｏｄｅＢによって実行されてもよく、図４に示すように、該方法１００は主にＳ１１０−Ｓ１８０を含む。
【００７４】
Ｓ１１０において、端末装置は複数の測定ＧＡＰモードから、該端末装置の所望の測定ＧＡＰモードを確定する。
【００７５】
Ｓ１２０において、端末装置はネットワーク装置へターゲット測定ＧＡＰモードを確定するための補助情報を送信し、該補助情報がＳ１１０で確定された端末装置の所望の測定ＧＡＰモードのいくつかの関連情報であってもよい。
【００７６】
Ｓ１３０において、ネットワーク装置は該端末装置から送信された該補助情報を受信する。
【００７７】
Ｓ１４０において、ネットワーク装置はＳ１３０で受信された補助情報に基づき、ターゲット測定ＧＡＰモードを確定する。
【００７８】
Ｓ１５０において、ネットワーク装置は端末装置へＳ１４０で確定されたターゲット測定ＧＡＰモードを示すための指示情報を送信する。
【００７９】
Ｓ１６０において、端末装置はネットワーク装置がＳ１５０で送信した指示情報を受信する。
【００８０】
Ｓ１７０において、端末装置はＳ１６０で受信された指示情報に基づき、ネットワーク装置によって配置されたターゲット測定ＧＡＰモードを確定する。
【００８１】
Ｓ１８０において、端末装置はネットワーク装置によって配置されたターゲット測定ＧＡＰモードに応じて、異周波数又は異システム測定を行う。
【００８２】
具体的には、ネットワーク装置と端末装置は複数の測定ＧＡＰモードを予め定めることができ、又はネットワーク装置は端末装置へ複数の測定ＧＡＰを予め配置することができ、該複数の測定ＧＡＰモードが上記モード１とモード２を含むことができ、他のいくつかのモード、例えばモード３であってもよく、該モード３の周期Ｔｐｅｒｉｏｄが２０ｍｓであってもよく、ＴＧＡＰが６ｍｓなどであってもよい。要するに、ネットワーク装置は前のシステム性能のいくつかのテストに基づいて複数のモードを予め配置することができ、又は端末装置は出荷時に該複数のモードを記憶し、端末装置が異周波数測定又は異システム測定を行う必要があることを確定する場合、端末装置は、複数のモードから一つの所望の測定ＧＡＰモードを選択し、そしてネットワーク装置へ該所望の測定ＧＡＰモードと関連するいくつかの補助情報を送信することができ、これにより、ネットワーク装置は該端末装置の所望の測定ＧＡＰモードを参照して端末装置に最終的な測定ＧＡＰモードを配置することができる。例えば、該補助情報は直接該端末装置の所望の測定ＧＡＰモードであってもよいし、前回のネットワーク装置によって配置された測定ＧＡＰモードのＧＡＰ周期に対する該所望の測定ＧＡＰモードのＧＡＰ周期の増分値又は両者の比などであってもよく、ネットワーク装置が端末装置の所望の測定ＧＡＰモードを確定することができるこを可能にするいかなる情報は方法１００における補助情報であってもよい。ネットワーク装置が該補助情報に基づいて端末装置の所望の測定ＧＡＰモードを確定した後、ネットワーク装置はさらに該端末装置の所望の測定ＧＡＰモードを参照し、端末装置にターゲット測定ＧＡＰモードを配置し、そしてネットワーク装置によって配置されたターゲット測定ＧＡＰモードを端末装置に示すことができ、該指示が例えば無線リソース制御（ＲＲＣ：Ｒａｄｉｏ  Ｒｅｓｏｕｒｃｅ  Ｃｏｎｔｒｏｌ）によって送信されてもよい。該指示情報はさらに他の上位層シグナリングによって送信されてもよく、本出願の実施例はこれに限定されない。端末装置がネットワーク装置からの測定ＧＡＰモードに対する関連配置を受信した後、端末装置は関連配置に基づいて異周波数又は異システム測定を行うことができる。例えば、端末装置はネットワーク装置によって配置されたターゲット測定ＧＡＰ
モードのＧＡＰ長さ内でターゲットセルを測定し、そしてターゲット測定ＧＡＰモードのＧＡＰ周期で循環して測定し且つネットワーク装置へ測定結果を報告することができる。
【００８３】
したがって、本出願の実施例の異周波数／異システム測定のための方法では、端末装置がネットワーク装置へいくつかの補助情報を送信することにより、ネットワーク装置は端末装置の性能をより良く理解し、さらに適切な測定ＧＡＰモードを配置し、それによって測定レポートの精度を向上させ、さらにシステムの性能を高めることに有利である。
【００８４】
選択可能に、本出願の実施例では、端末装置はさらに端末装置のいくつかの特性と組み合わせて該端末装置の所望の測定ＧＡＰモードを確定することができる。具体的には、該端末装置が複数の測定ＧＡＰモードから、該所望の測定ＧＡＰモードを確定することは、該端末装置が該端末装置の移動速度情報、該端末装置の現在のサービスのサービス品質（ＱｏＳ：Ｑｕａｌｉｔｙ  ｏｆ  Ｓｅｒｖｉｃｅ）情報、該端末装置の検出されたサービスのＱｏＳ情報と該端末装置の現在のチャネル品質情報のうちの少なくとも一つの情報に基づき、該複数の測定ＧＡＰモードから、該所望の測定ＧＡＰモードを確定することを含む。
【００８５】
ここで、端末装置は測定ＧＡＰモードと関連し且つシステム性能に影響を与えることがきるいかなるいくつかの情報と組み合わせることができ、上記端末装置の移動速度情報を例とし、ネットワーク装置は端末装置と予め定めることができ、又はネットワーク装置がいくつかの閾値を予め配置することができ、例えば、端末装置の移動速度が５ｍ／ｓより大きいと高速であり、端末装置の移動速度が５ｍ／ｓ以下であると低速であると考えることができ、そのため、端末装置の移動速度が高い場合、測定ＧＡＰモードのＧＡＰ周期を比較的短く配置することができ、端末装置の移動速度が低い場合、測定ＧＡＰモードのＧＡＰ周期を比較的長く配置することができる。さらに端末装置の性能と測定ＧＡＰモードを柔軟に組み合わせることができる。
【００８６】
以下に本出願の実施例の異周波数／異システム測定のための方法１００における端末装置が所望の測定ＧＡＰモードを確定するプロセスを詳細に説明する。
【００８７】
選択可能に、本出願の実施例では、該端末装置が該端末装置の移動速度情報に基づき、該複数のＧＡＰモードから、該所望の測定ＧＡＰモードを確定することは、該端末装置の移動速度が第一の閾値以上である場合、該端末装置が該複数の測定ＧＡＰモードのうちの第一の測定ＧＡＰモードを該所望の測定ＧＡＰモードとして確定することと、該端末装置の移動速度が該第一の閾値より小さい場合、該端末装置が該複数の測定ＧＡＰモードのうちの第二の測定ＧＡＰモードを該所望の測定ＧＡＰモードとして確定し、該第一の測定ＧＡＰモードのＧＡＰ周期が該第二の測定ＧＡＰモードのＧＡＰ周期より小さいこととを含む。
【００８８】
具体的には、端末装置はその移動速度情報に基づいて複数の測定ＧＡＰモードから一つの所望の測定ＧＡＰモードを選択することができる。以上に端末装置の移動速度を例として本出願の実施形態を説明した。端末装置の移動速度と組み合わせて所望の測定ＧＡＰモードを選択する前提は端末装置が現在非等速運動を行っていることであってもよい。端末装置が現在等速運動を行っている場合、端末装置は同様にその加速度に基づいて所望の測定ＧＡＰモードを選択することができ、例えば、現在の加速度が大きい場合、端末装置は複数の測定間隔から一つのＧＡＰ周期が短いＣＡＰモードを選択することができ、現在の加速度が小さい場合、端末装置は複数の測定間隔から一つのＧＡＰ周期が長いＣＡＰモードを選択することができる。理解すべきものとして、本出願の実施例の速度情報は上記速度と加速度を含むがこれらに限定されない。
【００８９】
また、理解すべきものとして、上述したことは一つの閾値を例として本出願の実施例を説明する具体的な実現である。また、複数の閾値で分割することができる。例えば、速度は５ｍ／ｓ内にあると低速で、５ｍ／ｓ〜１０ｍ／ｓであると中間速度で、１０ｍ／ｓ以上でると高速として考えられてもよい。同様に、端末装置は異なる速度範囲に異なる端末装置の所望の測定ＧＡＰモードを配置することができる。本出願の実施例はこれに限定されない。
【００９０】
選択可能に、本出願の実施例では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるサービス遅延ニーズが第二の閾値以上である場合、該端末装置が該複数の測定ＧＡＰモードのうちの第三の測定ＧＡＰモードを該所望の測定ＧＡＰモードとして確定することと、該現在のサービスのＱｏＳ情報におけるサービス遅延ニーズが該第二の閾値より小さい場合、該端末装置が該複数の測定ＧＡＰモードのうちの第四の測定ＧＡＰモードを該所望の測定ＧＡＰモードとして確定し、該第三の測定ＧＡＰモードのＧＡＰ周期が該第四の測定ＧＡＰモードのＧＡＰ周期より大きいこととを含む。
【００９１】
選択可能に、本出願の実施例では、該端末装置が該端末装置の現在のサービスのＱｏＳ情報に基づき、該複数の測定ＧＡＰモードから、該所望の測定ＧＡＰモードを確定することは、該現在のサービスのＱｏＳ情報におけるデータレートが第三の閾値以上である場合、該端末装置が該複数の測定ＧＡＰモードのうちの第五の測定ＧＡＰモードを該所望の測定ＧＡＰモードとして確定することと、該現在のサービスのＱｏＳ情報におけるデータレートが第三の閾値より小さい場合、該端末装置が該複数の測定ＧＡＰモードのうちの第六の測定ＧＡＰモードを該所望の測定ＧＡＰモードとして確定し、該第五の測定ＧＡＰモードのＧＡＰ周期が該第六の測定ＧＡＰモードのＧＡＰ周期より小さいこととを含む。
【００９２】
選択可能に、本出願の実施例では、該端末装置が検出されたサービスのＱｏＳ情報に基づき、該複数の測定ＧＡＰモードから、該所望の測定ＧＡＰモードを確定することは、該検出されたサービスのＱｏＳ情報におけるサービス遅延が第四の閾値以上である場合、該端末装置が該複数の測定ＧＡＰモードのうちの第七の測定ＧＡＰモードを該所望の測定ＧＡＰモードとして確定することと、該検出されたサービスのＱｏＳ情報におけるサービス遅延が第四の閾値より小さい場合、該端末装置が該複数の測定ＧＡＰモードのうちの第八の測定ＧＡＰモードを該所望の測定ＧＡＰモードとして確定し、該第七の測定ＧＡＰモードのＧＡＰ周期が該第八の測定ＧＡＰモードのＧＡＰ周期より大きいこととを含む。
【００９３】
選択可能に、本出願の実施例では、該端末装置が検出されたサービスのＱｏＳ情報に基づき、該複数の測定ＧＡＰモードから、該所望の測定ＧＡＰモードを確定することは、該検出されたサービスのＱｏＳ情報におけるデータレートが第五の閾値以上である場合、該端末装置が該複数の測定ＧＡＰモードのうちの第九の測定ＧＡＰモードを該所望の測定ＧＡＰモードとして確定することと、該検出されたサービスのＱｏＳ情報におけるデータレートが該第五の閾値より小さい場合、該端末装置が該複数の測定ＧＡＰモードのうちの第十の測定ＧＡＰモードを該所望の測定ＧＡＰモードとして確定し、該第九の測定ＧＡＰモードのＧＡＰ周期が該第十の測定ＧＡＰモードのＧＡＰ周期より小さいこととを含む。
【００９４】
サービス品質を保証する目的はユーザに満足なサービスを提供することであり、異なるタイプのサービスのサービス品質に対する要求が異なる。サービス品質を評価するための従来のパラメータ即ちＱｏＳパラメータはエンドツーエンドの遅延、ジッター、データレート、パケット損失率、ネットワークスループット及びデータ送信の信頼性などを含む。上記は遅延を例として本出願の技術的解決策を説明するものであり、本出願の実施例はこれに限定されない。例えば、ネットワーク装置は経験に応じてＱｏＳパラメータのうちのネットワークスループットレートに少なくとも一つの閾値を配置し、そしてネットワークスループットレートを複数の異なるセグメントに分割することができ、異なるセグメントが異なる測定ＧＡＰモードに対応することができ、この場合、端末装置がそれ自体の現在のサービスのネットワークスループットレートを知った後、該ネットワークスループットレートがどの範囲にあるかを判断し、そして該範囲に対応する測定ＧＡＰモードを端末装置の所望の測定ＧＡＰモードとして確定することができる。このように類推し、本出願に係る現在のサービスのＱｏＳパラメータのうちの他のパラメータに対して、上記ネットワークスループットレート又はサービス遅延を参照することができ、ここで説明を省略する。
【００９５】
選択可能に、本出願の実施例では、該端末装置が該端末装置の現在のチャネル品質情報に基づき、該複数の測定ＧＡＰモードから、該所望の測定ＧＡＰモードを確定することは、該端末装置の現在のチャネル品質が第六の閾値より低い場合、該端末装置が該複数の測定ＧＡＰモードのうちの第十一の測定ＧＡＰモードを該所望の測定ＧＡＰモードとして確定することと、該端末装置の現在のチャネル品質が該第六の閾値以上である場合、該端末装置が該複数の測定ＧＡＰモードのうちの第十二の測定ＧＡＰモードを該所望の測定ＧＡＰモードとして確定し、該第十一の測定ＧＡＰモードのＧＡＰ周期が該第十二の測定ＧＡＰモードのＧＡＰ周期より小さいこととを含む。
【００９６】
同様に、端末装置は現在のチャネル品質状況と組み合わせて端末装置の所望のＧＡＰ測定モードを確定することができる。確定方式が以上のとおりであり、簡潔にするために、ここでは説明を省略する。
【００９７】
理解すべきものとして、上記の様々な閾値、即ち分割方式、及び様々な対応関係はプロトコルによって定められてもよく又はネットワーク装置によって予め配置されてもよい。ここでプロトコルによって定められたものは端末装置の工場出荷時のデフォルト設定であってもよい。
【００９８】
また、理解すべきものとして、本出願の実施例における様々な端末装置に適用するための上記特性が例示的に説明するためのものだけであり、本出願の実施例はこれに限定されない。
【００９９】
また、理解すべきものとして、上記の様々な端末の特性の組み合わせと測定ＧＡＰモードを関連付けることができる。例えば、移動速度及び現在のサービスの遅延ニーズの両者と測定ＧＡＰモードの間に一定のマッピング関係があることを定めることができ、現在のサービスの遅延ニーズ及びと現在のサービスのデータレートの両者と測定ＧＡＰモードの間に一定のマッピング関係があることを定めることもでき、また、端末の移動速度、現在のサービスのＱｏＳパラメータ及び端末装置の現在のチャネル品質の三者と測定ＧＡＰの間に一定のマッピング関係があることを定めることができ、本出願はこれに限定されない。
【０１００】
図５は本出願の実施例による異周波数／異システム測定のための方法２００を示す概略フローチャートである。該方法２００は端末装置とネットワーク装置によって交互に実行されてもよく、例えばＵＥとｅＮｏｄｅＢによって実行されてもよく、図５に示すように、該方法２００は主にＳ１１０−Ｓ１８０を含む。
【０１０１】
Ｓ２１０において、端末装置はネットワーク装置へターゲット測定ＧＡＰモードを確定するための補助情報を送信する。
【０１０２】
Ｓ２２０において、ネットワーク装置は該端末装置から補助情報を受信する。
【０１０３】
Ｓ２３０において、ネットワーク装置はＳ２２０で受信された補助情報に基づき、異周波数／異システム測定のためのターゲット測定ＧＡＰモードを確定する。
【０１０４】
Ｓ２４０において、ネットワーク装置は端末装置へＳ２３０で確定されたターゲット測定ＧＡＰモードの指示情報を送信する。
【０１０５】
Ｓ２５０において、端末装置はネットワーク装置がＳ２４０で送信した指示情報を受信する。
【０１０６】
Ｓ２６０において、端末装置はＳ２５０で受信された指示情報に基づき、該ターゲット測定ＧＡＰモードを確定する。
【０１０７】
Ｓ２７０において、端末装置はＳ２６０で確定されたターゲット測定ＧＡＰモードに応じて、異周波数／異システム測定を行う。
【０１０８】
まず、説明すべきものが以下のとおりである：
一、補助情報とは測定間隔ＧＡＰモードを確定することを支援するためのいくつかの具体的な情報、例えば、端末装置の移動速度情報、又は端末装置の現在のサービスのいくつかの伝送特性などであってもよい。
【０１０９】
二、測定ＧＡＰモードは従来技術における測定ＧＡＰモードと異なってもよい。即ち、本出願の実施例では、測定ＧＡＰモードが上記モード１又はモード２に限定されなく、ネットワーク装置によって予め配置され又はプロトコルによって定められた他のモード、例えばモード３であってもよく、周期Ｔｐｅｒｉｏｄが２０ｍｓであり、ＴＧＡＰが６ｍｓなどであり、ターゲット測定ＧＡＰモードについては上記のいくつかの補助情報と組み合わせることができるモードである。
【０１１０】
三、従来技術では、端末装置はネットワーク装置へ一つのトリガ情報を送信することができ、ネットワーク装置は該トリガ情報を受信した後に、測定ＧＡＰを配置する必要があるか否かをそれ自体で考えることができ、測定ＧＡＰを確定した後に測定ＧＡＰをさらに配置するが、本出願の実施例では、端末装置はネットワーク装置へトリガ情報を送信するとともに、ネットワーク装置へ上記補助情報を送信することができ、端末装置はネットワーク装置へ上記補助情報を個別に送信することができ、本出願の実施例はこれに限定されない。
【０１１１】
四、上記ネットワーク装置はアクセスネットワーク装置であってもよく、該アクセスネットワーク装置によって取得された補助情報は、端末装置によって送信されてもよいし、コアネットワーク装置によって送信されてもよい。
【０１１２】
理解すべきものとして、方法２００と方法１００の違いは、方法１００において端末装置がまずいくつかの端末装置の特性と組み合わせて端末装置の所望の測定ＧＡＰモードを確定し、そしてネットワーク装置がターゲット測定ＧＡＰモードを確定するための基準として端末装置によって確定された所望の測定ＧＡＰモードをネットワーク装置に送信するが、方法２００において端末装置によって該端末装置のいくつかの特性をネットワーク装置に直接報告し、ネットワーク装置がそれ自体で端末装置の特性と組み合わせて端末装置に適切なターゲット測定ＧＡＰモードを配置することである。
【０１１３】
したがって、本出願の実施例の異周波数／異システム測定のための方法では、端末装置はネットワーク装置へターゲット測定ＧＡＰモードを確定するためのいくつかの補助情報をネットワーク装置に報告し、これにより、ネットワーク装置はこれらの補助情報と組み合わせて測定ＧＡＰモードを配置し、それによって端末装置の性能と測定ＧＡＰモードをより良く一致させることができ、システムの性能を向上することに有利である。
【０１１４】
選択可能に、本出願の実施例では、該補助情報は、該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報を含む。
【０１１５】
具体的には、ネットワーク装置は端末装置のいくつかの特性にいくつかのルールを予め配置することができ、端末装置によって報告された上記移動速度情報を例とし、ネットワーク装置はいくつかの閾値を予め配置することができ、例えば、端末装置の移動速度が５ｍ／ｓより大きいと高速で、端末装置の移動速度が５ｍ／ｓ以下であると低速であると考えられてもよく、そのため、端末装置の移動速度が高い場合、測定ＧＡＰモードのＧＡＰ周期を比較的短く配置することができ、端末装置の移動速度が低い場合、測定ＧＡＰモードのＧＡＰ周期を比較的長く配置することができる。さらに端末装置の性能と測定ＧＡＰモードを柔軟に組み合わせることができる。
【０１１６】
選択可能に、本出願の実施例では、該補助情報が該端末装置の移動速度情報を含む場合、該ネットワーク装置が該補助情報に基づき、異周波数／異システム測定のためのターゲット測定ＧＡＰモードを確定することは、該端末装置の移動速度が第一の閾値以上である場合、該ネットワーク装置が、ＧＡＰ周期が第一の周期であるＧＡＰモードを該ターゲット測定ＧＡＰモードとして確定することと、該端末装置の移動速度が該第一の閾値より小さい場合、該ネットワーク装置が、ＧＡＰ周期が第二の周期であるＧＡＰモードを該ターゲット測定ＧＡＰモードとして確定し、該第一の周期が該第二の周期より小さいこととを含む。
【０１１７】
以上に端末装置の移動速度を例として本出願の実施形態を説明した。端末装置によって報告された移動速度と組み合わせてターゲット測定ＧＡＰモードを確定する前提は、該端末装置が等速運動を行うことであってもよい。端末装置が現在非等速運動を行っている場合、端末装置は同様にその加速度を報告してターゲット測定ＧＡＰモードを確定することができ、例えば、現在の加速度が大きい場合、ネットワーク装置は一つのＧＡＰ周期が短いＣＡＰ測定モードを配置することができ、現在の加速度が低い場合、ネットワーク装置は一つのＧＡＰ周期が長いＣＡＰ測定モードを配置することができる。理解すべきものとして、本出願の実施例の速度情報は上記速度と加速度を含むがこれらに限定されない。
【０１１８】
選択可能に、本出願の実施例では、該補助情報が該端末装置の現在のサービスのＱｏＳ情報を含む場合、該ネットワーク装置が該補助情報に基づき、異周波数／異システム測定のためのターゲット測定ＧＡＰモードを確定することは、該現在のサービスのＱｏＳ情報におけるサービス遅延が第二の閾値以上である場合、該ネットワーク装置が、ＧＡＰ周期が第三の周期であるＧＡＰモードを該ターゲット測定ＧＡＰモードとして確定することと、該現在のサービスのＱｏＳ情報におけるサービス遅延が該第二の閾値より小さい場合、該ネットワーク装置が、ＧＡＰ周期が第四の周期であるＧＡＰモードを該ターゲット測定ＧＡＰモードとして確定し、該第三の周期が該第四の周期より大きいこととを含む。
【０１１９】
選択可能に、本出願の実施例では、該補助情報が該端末装置の現在のサービスのＱｏＳ情報を含む場合、該ネットワーク装置が該補助情報に基づき、異周波数／異システム測定のためのターゲット測定ＧＡＰモードを確定することは、該現在のサービスのＱｏＳ情報におけるデータレートが第三の閾値以上である場合、該ネットワーク装置が、ＧＡＰ周期が第五の周期であるＧＡＰモードを該ターゲット測定ＧＡＰモードとして確定することと、該現在のサービスのＱｏＳ情報におけるデータレートが該第三の閾値より小さい場合、該ネットワーク装置が、ＧＡＰ周期が第六の周期であるＧＡＰモードを該ターゲット測定ＧＡＰモードとして確定し、該第五の周期が該第六の周期より小さいこととを含む。
【０１２０】
選択可能に、本出願の実施例では、該補助情報が該端末装置の検出されたサービスのＱｏＳ情報を含む場合、該ネットワーク装置が該補助情報に基づき、異周波数／異システム測定のためのターゲット測定ＧＡＰモードを確定することは、該検出されたサービスのＱｏＳ情報におけるサービス遅延が第四の閾値以上である場合、該ネットワーク装置が、ＧＡＰ周期が第七の周期であるＧＡＰモードを該ターゲット測定ＧＡＰモードとして確定することと、該検出されたサービスのＱｏＳ情報におけるサービス遅延が該第四の閾値より小さい場合、該ネットワーク装置が、ＧＡＰ周期が第八の周期であるＧＡＰモードを該ターゲット測定ＧＡＰモードとして確定し、該第七の周期が該第八の周期より大きいこととを含む。
【０１２１】
選択可能に、本出願の実施例では、該補助情報が該端末装置の検出されたサービスのＱｏＳ情報を含む場合、該ネットワーク装置が該補助情報に基づき、異周波数／異システム測定のためのターゲット測定ＧＡＰモードを確定することは、該検出されたサービスのＱｏＳ情報におけるデータレートが第五の閾値以上である場合、該ネットワーク装置が、ＧＡＰ周期が第九の周期であるＧＡＰモードを該ターゲット測定ＧＡＰモードとして確定することと、該検出されたサービスのＱｏＳ情報におけるデータレートが該第五の閾値より小さい場合、該ネットワーク装置が、ＧＡＰ周期が第十の周期であるＧＡＰモードを該ターゲット測定ＧＡＰモードとして確定し、該第九の周期が該第十の周期より大きいこととを含む。
【０１２２】
サービス品質を評価するための従来のパラメータ即ちＱｏＳパラメータはエンドツーエンドの遅延、ジッター、データレート、パケット損失率、ネットワークスループット及びデータ送信の信頼性などを含む。本出願の実施例に係る現在のサービスのＱｏＳパラメータのうちの他のパラメータに対して、上位サービス遅延又はデータレートを参照することができ、ここで、説明を省略する。
【０１２３】
選択可能に、本出願の実施例では、該補助情報が該端末装置の現在のチャネル品質情報を含む場合、該ネットワーク装置が該補助情報に基づき、異周波数／異システム測定のためのターゲット測定ＧＡＰモードを確定することは、該端末装置の現在のチャネル品質が第六の閾値より低い場合、該ネットワーク装置が、ＧＡＰ周期が第十一の周期であるＧＡＰモードを該ターゲット測定ＧＡＰモードとして確定することと、該端末装置の現在のチャネル品質が該第六の閾値以上である場合、該ネットワーク装置が、ＧＡＰ周期が第十二の周期であるＧＡＰモードを該ターゲット測定ＧＡＰモードとして確定し、該第十一の周期が該第十二の周期より小さいこととを含む。
【０１２４】
同様に、ネットワーク装置は端末装置によって報告された現在のチャネル品質状況と組み合わせてターゲット測定ＧＡＰモードを確定することができる。確定方式が以上のとおりであり、簡潔にするために、ここでは説明を省略する。
【０１２５】
理解すべきものとして、上記の様々な閾値、即ち分割方式はプロトコルによって定められてもよく又はネットワーク装置によって予め配置されてもよい。ここでプロトコルによって定められたものは端末装置の工場出荷時のデフォルト設定であってもよい。
【０１２６】
また、理解すべきものとして、本出願の実施例における端末装置によって報告された様々な端末装置に適用する上記特性が例示的に説明するためのものだけであり、本出願の実施例はこれに限定されない。
【０１２７】
選択可能に、本出願の実施例では、該ネットワーク装置が該端末装置へ該ターゲット測定ＧＡＰモードを示すための指示情報を送信することは、該ネットワーク装置が無線リソース制御（ＲＲＣ）シグナリングによって該指示情報を受信することを含む。
【０１２８】
具体的には、該指示情報はＲＲＣシグナリングによって送信されてもよい。該指示情報はさらに他の上位層シグナリング、例えばＭＡＣシグナリングによって送信されてもよく、本出願の実施例はこれに限定されない。
【０１２９】
また、理解すべきものとして、上記の様々な端末の特性の組み合わせと測定ＧＡＰモードを関連付けることができる。例えば、移動速度と現在のサービスの遅延ニーズの両者に基づいてターゲット測定ＧＡＰモードを確定することができ、現在のサービスの遅延ニーズと現在のサービスのデータレートに基づいてターゲット測定ＧＡＰモードを確定することもでき、また、端末装置の移動速度、現在のサービスのＱｏＳパラメータ及び端末装置の現在のチャネル品質の三者に基づいてターゲット測定ＧＡＰモードを確定することができ、本出願はこれに限定されない。
【０１３０】
図６は本出願の実施例による異周波数／異システム測定のための方法７００を示す概略ブロック図である。図６に示すように、該方法７００はＳ７１０−Ｓ７３０を含む。
【０１３１】
Ｓ７１０において、端末装置は複数の測定ＧＡＰモードから、ターゲット測定ＧＡＰモードを確定する。
【０１３２】
Ｓ７２０において、該端末装置はネットワーク装置へ該ターゲット測定ＧＡＰモードを指示するための指示情報を送信する。
【０１３３】
Ｓ７３０において、該端末装置は該ターゲット測定ＧＡＰモードに応じて、異周波数／異システム測定を行う。
【０１３４】
したがって、本出願の実施例の異周波数／異システム測定のための方法では、端末装置は複数の測定ＧＡＰモードから異周波数／異システムのための適切な測定ＧＡＰモードを選択し、これにより、ネットワークオーバーヘッドを削減することに有利である。
【０１３５】
選択可能に、本出願の実施例では、該端末装置が複数の測定ＧＡＰモードから、ターゲット測定ＧＡＰモードを確定することは、該端末装置が該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報に基づき、該複数の測定ＧＡＰモードから、該ターゲット測定ＧＡＰモードを確定することを含む。
【０１３６】
選択可能に、本出願の実施例では、該端末装置が該端末装置の移動速度情報に基づき、該複数のＧＡＰモードから、該ターゲット測定ＧＡＰモードを確定することは、該端末装置の移動速度が第一の閾値以上である場合、該端末装置が該複数の測定ＧＡＰモードのうちの第一の測定ＧＡＰモードを該ターゲット測定ＧＡＰモードとして確定することと、
該端末装置の移動速度が該第一の閾値より小さい場合、該端末装置が該複数の測定ＧＡＰモードのうちの第二の測定ＧＡＰモードを該ターゲット測定ＧＡＰモードとして確定し、該第一の測定ＧＡＰモードのＧＡＰ周期が該第二の測定ＧＡＰモードのＧＡＰ周期より小さいこととを含む。
【０１３７】
選択可能に、本出願の実施例では、該端末装置が該端末装置の現在のサービスのＱｏＳ情報に基づき、該複数の測定ＧＡＰモードから、該ターゲット測定ＧＡＰモードを確定することは、該現在のサービスのＱｏＳ情報におけるサービス遅延ニーズが第二の閾値以上である場合、該端末装置が該複数の測定ＧＡＰモードのうちの第三の測定ＧＡＰモードを該ターゲット測定ＧＡＰモードとして確定することと、該現在のサービスのＱｏＳ情報におけるサービス遅延ニーズが該第二の閾値より小さい場合、該端末装置が該複数の測定ＧＡＰモードのうちの第四の測定ＧＡＰモードを該ターゲット測定ＧＡＰモードとして確定し、該第三の測定ＧＡＰモードのＧＡＰ周期が該第四の測定ＧＡＰモードのＧＡＰ周期より大きいこととを含む。
【０１３８】
選択可能に、本出願の実施例では、該端末装置が該端末装置の現在のサービスのＱｏＳ情報に基づき、該複数の測定ＧＡＰモードから、該ターゲット測定ＧＡＰモードを確定することは、該現在のサービスのＱｏＳ情報におけるデータレートが第三の閾値以上である場合、該端末装置が該複数の測定ＧＡＰモードのうちの第五の測定ＧＡＰモードを該ターゲット測定ＧＡＰモードとして確定することと、該現在のサービスのＱｏＳ情報におけるデータレートが該第三の閾値より小さい場合、該端末装置が該複数の測定ＧＡＰモードのうちの第六の測定ＧＡＰモードを該ターゲット測定ＧＡＰモードとして確定し、該第五の測定ＧＡＰモードのＧＡＰ周期が該第六の測定ＧＡＰモードのＧＡＰ周期より小さいこととを含む。
【０１３９】
選択可能に、本出願の実施例では、該端末装置が検出されたサービスのＱｏＳ情報に基づき、該複数の測定ＧＡＰモードから、該ターゲット測定ＧＡＰモードを確定することは、該検出されたサービスのＱｏＳ情報におけるサービス遅延が第四の閾値以上である場合、該端末装置が該複数の測定ＧＡＰモードのうちの第七の測定ＧＡＰモードを該ターゲット測定ＧＡＰモードとして確定することと、該検出されたサービスのＱｏＳ情報におけるサービス遅延が第四の閾値より小さい場合、該端末装置が該複数の測定ＧＡＰモードのうちの第八の測定ＧＡＰモードを該ターゲット測定ＧＡＰモードとして確定し、該第七の測定ＧＡＰモードのＧＡＰ周期が該第八の測定ＧＡＰモードのＧＡＰ周期より大きいこととを含む。
【０１４０】
選択可能に、本出願の実施例では、該端末装置が検出されたサービスのＱｏＳ情報に基づき、該複数の測定ＧＡＰモードから、該ターゲット測定ＧＡＰモードを確定することは、該検出されたサービスのＱｏＳ情報におけるデータレートが第五の閾値以上である場合、該端末装置が該複数の測定ＧＡＰモードのうちの第九の測定ＧＡＰモードを該ターゲット測定ＧＡＰモードとして確定することと、該検出されたサービスのＱｏＳ情報におけるデータレートが該第五の閾値より小さい場合、該端末装置が該複数の測定ＧＡＰモードのうちの第十の測定ＧＡＰモードを該ターゲット測定ＧＡＰモードとして確定し、該第九の測定ＧＡＰモードのＧＡＰ周期が該第十の測定ＧＡＰモードのＧＡＰ周期より小さいこととを含む。
【０１４１】
選択可能に、本出願の実施例では、該端末装置が該端末装置の現在のチャネル品質情報に基づき、該複数の測定ＧＡＰモードから、該ターゲット測定ＧＡＰモードを確定することは、該端末装置の現在のチャネル品質が第六の閾値より低い場合、該端末装置が該複数の測定ＧＡＰモードのうちの第十一の測定ＧＡＰモードを該ターゲット測定ＧＡＰモードとして確定することと、該端末装置の現在のチャネル品質が該第六の閾値以上である場合、該端末装置が該複数の測定ＧＡＰモードのうちの第十二の測定ＧＡＰモードを該ターゲット測定ＧＡＰモードとして確定し、該第十一の測定ＧＡＰモードのＧＡＰ周期が該第十二の測定ＧＡＰモードのＧＡＰ周期より小さいこととを含む。
【０１４２】
端末装置の特性と組み合わせて複数の測定ＧＡＰモードからターゲット測定ＧＡＰモードを選択することにより、適切な測定ＧＡＰモードをより良く確定することができ、それによってシステム性能を向上させることに有利である。
【０１４３】
選択可能に、本出願の実施例では、該複数の測定ＧＡＰモードはプロトコルによって定められ又はネットワーク装置によって予め配置される。
【０１４４】
図７は本出願の実施例による異周波数／異システム測定のための方法８００を示す概略ブロック図である。図７に示すように、該方法８００は以下を含む。
【０１４５】
Ｓ８１０において、ネットワーク装置は端末装置から送信された、ターゲット測定ＧＡＰモードを示すための指示情報を受信する。
【０１４６】
理解すべきものとして、ネットワーク装置で説明されるネットワーク装置と端末装置のインタラクション及び関連特性、機能などが端末装置の関連特性、機能に対応する。即ち、端末装置はネットワーク装置へどのような情報を送信し、それに応じてネットワーク装置はどのような情報を受信する。簡潔にするために、ここでは説明を省略する。
【０１４７】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１４８】
以上に本出願の実施例による異周波数／異システム測定のための方法を詳細に説明し、以下に図８〜図１５と組み合わせて本出願の実施例による異周波数／異システム測定のための装置を説明し、方法の実施例で説明される技術的特徴が以下の装置の実施例に適用する。
【０１４９】
図８は本出願の実施例による端末装置３００を示す概略ブロック図である。図８に示すように、該端末装置３００は、送信ユニット３１０、受信ユニット３２０、受信ユニット３２０を備える。
【０１５０】
送信ユニット３１０は、ネットワーク装置へターゲット測定ＧＡＰモードを確定するための補助情報を送信するように構成される。
【０１５１】
受信ユニット３２０は、該ネットワーク装置から送信された指示情報を受信するように構成され、該指示情報が該ターゲット測定ＧＡＰモードを示すことに用いられる。
【０１５２】
測定ユニット３３０は、該ターゲット測定ＧＡＰモードに応じて、異周波数／異システム測定を行うように構成される。
【０１５３】
したがって、本出願の実施例の端末装置では、ネットワーク装置へターゲット測定ＧＡＰモードを確定するためのいくつかの補助情報をネットワーク装置に報告することにより、ネットワーク装置はこれらの補助情報と組み合わせて測定ＧＡＰモードを配置し、それによって端末装置の性能と測定ＧＡＰモードをより良く一致させることができ、システムの性能を向上することに有利である。
【０１５４】
選択可能に、本出願の実施例では、該補助情報は該端末装置の所望の測定ＧＡＰモード、又は該ネットワーク装置が前回に配置した測定ＧＡＰモードのＧＡＰ周期に対する、該端末装置の所望の測定ＧＡＰモードのＧＡＰ周期の増分値であり、該端末装置３００はさらに複数の測定ＧＡＰモードから、該所望の測定ＧＡＰモードを確定するように構成される確定ユニット３４０を備える。
【０１５５】
選択可能に、本出願の実施例では、該確定ユニットは具体的に該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報に基づき、該複数のＧＡＰモードから、該所望の測定ＧＡＰモードを確定するように構成される。
【０１５６】
選択可能に、本出願の実施例では、該確定ユニットは具体的に該端末装置の移動速度が第一の閾値以上である場合、該複数の測定ＧＡＰモードのうちの第一の測定ＧＡＰモードを該所望の測定ＧＡＰモードとして確定し、該端末装置の移動速度が該第一の閾値より小さい場合、該複数の測定ＧＡＰモードのうちの第二の測定ＧＡＰモードを該所望の測定ＧＡＰモードとして確定するように構成され、該第一の測定ＧＡＰモードのＧＡＰ周期が該第二の測定ＧＡＰモードのＧＡＰ周期より小さい。
【０１５７】
選択可能に、本出願の実施例では、該確定ユニットは具体的に該現在のサービスのＱｏＳ情報におけるサービス遅延ニーズが第二の閾値以上である場合、該複数の測定ＧＡＰモードのうちの第三の測定ＧＡＰモードを該所望の測定ＧＡＰモードとして確定し、該現在のサービスのＱｏＳ情報におけるサービス遅延ニーズが該第二の閾値より小さい場合、該複数の測定ＧＡＰモードのうちの第四の測定ＧＡＰモードを該所望の測定ＧＡＰモードとして確定するように構成され、該第三の測定ＧＡＰモードのＧＡＰ周期が該第四の測定ＧＡＰモードのＧＡＰ周期より大きい。
【０１５８】
選択可能に、本出願の実施例では、該確定ユニットは具体的に該現在のサービスのＱｏＳ情報におけるデータレートニーズが第三の閾値以上である場合、該複数の測定ＧＡＰモードのうちの第五の測定ＧＡＰモードを該所望の測定ＧＡＰモードとして確定し、該現在のサービスのＱｏＳ情報におけるデータレートニーズが該第三の閾値より小さい場合、該複数の測定ＧＡＰモードのうちの第六の測定ＧＡＰモードを該所望の測定ＧＡＰモードとして確定するように構成され、該第五の測定ＧＡＰモードのＧＡＰ周期が該第六の測定ＧＡＰモードのＧＡＰ周期より小さい。
【０１５９】
選択可能に、本出願の実施例では、該確定ユニットは具体的に該検出されたサービスのＱｏＳ情報におけるサービス遅延が第四の閾値以上である場合、該複数の測定ＧＡＰモードのうちの第七の測定ＧＡＰモードを該所望の測定ＧＡＰモードとして確定し、該検出されたサービスのＱｏＳ情報におけるサービス遅延が該第四の閾値より小さい場合、該複数の測定ＧＡＰモードのうちの第八の測定ＧＡＰモードを該所望の測定ＧＡＰモードとして確定するように構成され、該第七の測定ＧＡＰモードのＧＡＰ周期が該第八の測定ＧＡＰモードのＧＡＰ周期より大きい。
【０１６０】
選択可能に、本出願の実施例では、該確定ユニットは具体的に該検出されたサービスのＱｏＳ情報におけるデータレートが第五の閾値以上である場合、該複数の測定ＧＡＰモードのうちの第九の測定ＧＡＰモードを該所望の測定ＧＡＰモードとして確定し、該検出されたサービスのＱｏＳ情報におけるデータレートが該第五の閾値より小さい場合、該複数の測定ＧＡＰモードのうちの第十の測定ＧＡＰモードを該所望の測定ＧＡＰモードとして確定するように構成され、該第九の測定ＧＡＰモードのＧＡＰ周期が該第十の測定ＧＡＰモードのＧＡＰ周期より小さい。
【０１６１】
選択可能に、本出願の実施例では、該確定ユニットは具体的に該端末装置の現在のチャネル品質が第六の閾値より低い場合、該複数の測定ＧＡＰモードのうちの第十一の測定ＧＡＰモードを該所望の測定ＧＡＰモードとして確定し、該端末装置の現在のチャネル品質が該第六の閾値以上である場合、該複数の測定ＧＡＰモードのうちの第十二の測定ＧＡＰモードを該所望の測定ＧＡＰモードとして確定するように構成され、該第十一の測定ＧＡＰモードのＧＡＰ周期が該第十二の測定ＧＡＰモードのＧＡＰ周期より小さい。
【０１６２】
選択可能に、本出願の実施例では、該複数の測定ＧＡＰモードはプロトコルによって定められ又はネットワーク装置によって予め配置される。
【０１６３】
選択可能に、本出願の実施例では、該補助情報は、該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報を含む。
【０１６４】
選択可能に、本出願の実施例では、該受信ユニットは具体的に無線リソース制御（ＲＲＣ）シグナリングによって該指示情報を受信するように構成される。
【０１６５】
理解すべきものとして、本出願の実施例による端末装置３００は本出願の方法の実施例における端末装置に対応してもよく、且つ端末装置３００の各ユニットの上記と他の操作及び／又は機能はそれぞれ図４と図５に示す各方法における端末装置の対応するプロセスを実現するためのものであり、簡潔するために、ここでは説明を省略する。
【０１６６】
図９は本出願の実施例によるネットワーク装置４００を示す概略ブロック図である。図９に示すように、該ネットワーク装置４００は、受信ユニット４１０、確定ユニット４２０、送信ユニット４３０を備える。
【０１６７】
受信ユニット４１０は端末装置から送信された測定ＧＡＰの補助情報を受信するように構成される。
【０１６８】
確定ユニット４２０は、該補助情報に基づき、異周波数／異システム測定のためのターゲット測定ＧＡＰモードを確定するように構成される。
【０１６９】
送信ユニット４３０は該端末装置へ該ターゲット測定ＧＡＰモードを示すための指示情報を送信するように構成される。
【０１７０】
したがって、本出願の実施例のネットワーク装置では、端末装置から報告された、ターゲット測定ＧＡＰモードを確定するためのいくつかの補助情報と組み合わせて端末装置に測定ＧＡＰモードを配置することにより、端末装置の性能と測定ＧＡＰモードをより良く一致させることができ、システムの性能を向上することに有利である。
【０１７１】
選択可能に、本出願の実施例では、該補助情報は、該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報を含む。
【０１７２】
選択可能に、本出願の実施例では、該補助情報が該端末装置の移動速度情報を含む場合、該確定ユニットは具体的に該端末装置の移動速度が第一の閾値以上である場合、ＧＡＰ周期が第一の周期であるＧＡＰモードを該ターゲット測定ＧＡＰモードとして確定し、該端末装置の移動速度が該第一の閾値より小さい場合、ＧＡＰ周期が第二の周期であるＧＡＰモードを該ターゲット測定ＧＡＰモードとして確定するように構成され、該第一の周期が該第二の周期より小さい。
【０１７３】
選択可能に、本出願の実施例では、該補助情報が該端末装置の現在のサービスのＱｏＳ情報を含む場合、該確定ユニットは具体的に現在のサービスのＱｏＳ情報におけるサービス遅延が第二の閾値以上である場合、ＧＡＰ周期が第三の周期であるＧＡＰモードを該ターゲット測定ＧＡＰモードとして確定し、現在のサービスのＱｏＳ情報におけるサービス遅延が該第二の閾値より小さい場合、ＧＡＰ周期が第四の周期であるＧＡＰモードを該ターゲット測定ＧＡＰモードとして確定するように構成され、該第三の周期が該第四の周期より大きい。
【０１７４】
選択可能に、本出願の実施例では、該補助情報が該端末装置の現在のサービスのＱｏＳ情報を含む場合、該確定ユニットは具体的に現在のサービスのＱｏＳ情報におけるデータレートニーズが第三の閾値以上である場合、ＧＡＰ周期が第五の周期であるＧＡＰモードを該ターゲット測定ＧＡＰモードとして確定し、現在のサービスのＱｏＳ情報におけるデータレートニーズが該第三の閾値より小さい場合、ＧＡＰ周期が第六の周期であるＧＡＰモードを該ターゲット測定ＧＡＰモードとして確定するように構成され、該第五の周期が該第六の周期より小さい。
【０１７５】
選択可能に、本出願の実施例では、該補助情報が該端末装置の検出されたサービスのＱｏＳ情報を含む場合、該確定ユニットは具体的に該検出されたサービスのＱｏＳ情報におけるサービス遅延が第四の閾値以上である場合、ＧＡＰ周期が第七の周期であるＧＡＰモードを該ターゲット測定ＧＡＰモードとして確定し、該検出されたサービスのＱｏＳ情報におけるサービス遅延が該第四の閾値より小さい場合、ＧＡＰ周期が第八の周期であるＧＡＰモードを該ターゲット測定ＧＡＰモードとして確定するように構成され、該第七の周期が該第八の周期より大きい。
【０１７６】
選択可能に、本出願の実施例では、該補助情報が該端末装置の検出されたサービスのＱｏＳ情報を含む場合、該確定ユニットは具体的に該検出されたサービスのＱｏＳ情報におけるデータレートが第五の閾値以上である場合、ＧＡＰ周期が第九の周期であるＧＡＰモードを該ターゲット測定ＧＡＰモードとして確定し、該検出されたサービスのＱｏＳ情報におけるデータレートが該第五の閾値より小さい場合、ＧＡＰ周期が第十の周期であるＧＡＰモードを該ターゲット測定ＧＡＰモードとして確定するように構成され、該第九の周期が該第十の周期より大きい。
【０１７７】
選択可能に、本出願の実施例では、該補助情報が該端末装置の現在のチャネル品質情報を含む場合、該確定ユニットは具体的に該端末装置の現在のチャネル品質が第六の閾値より低い場合、ＧＡＰ周期が第十一の周期であるＧＡＰモードを該ターゲット測定ＧＡＰモードとして確定し、該端末装置の現在のチャネル品質が該第六の閾値以上である場合、ＧＡＰ周期が第十二の周期であるＧＡＰモードを該ターゲット測定ＧＡＰモードとして確定するように構成され、該第十一の周期が該第十二の周期より小さい。
【０１７８】
選択可能に、本出願の実施例では、該補助情報は該端末装置の所望の測定ＧＡＰモード、又は該ネットワーク装置が前回に配置した測定ＧＡＰモードのＧＡＰ周期に対する、該端末装置の所望の測定ＧＡＰモードのＧＡＰ周期の増分値であり、該確定ユニットは具体的に該端末装置の所望の測定ＧＡＰモード又は該増分値に基づき、該ターゲット測定ＧＡＰモードを確定するように構成される。
【０１７９】
選択可能に、本出願の実施例では、該送信ユニットは具体的に無線リソース制御（ＲＲＣ）シグナリングによって該端末装置へ該指示情報を送信するように構成される。
【０１８０】
理解すべきものとして、本出願の実施例によるネットワーク装置４００は本出願の方法の実施例におけるネットワーク装置に対応してもよく、且つネットワーク装置４００の各ユニットの上記と他の操作及び／又は機能はそれぞれ図４と図５の各方法におけるネットワーク装置の対応するプロセスを実現するためのものであり、簡潔するために、ここでは説明を省略する。
【０１８１】
図１０は本出願の実施例による端末装置９００を示す概略ブロック図である。図１０に示すように、該端末装置９００は、確定ユニット９１０、送信ユニット９２０、測定ユニット９３０を含む。
【０１８２】
確定ユニット９１０は、複数の測定ＧＡＰモードから、ターゲット測定ＧＡＰモードを確定するように構成される。
【０１８３】
送信ユニット９２０は、ネットワーク装置へ該ターゲット測定ＧＡＰモードを示すための指示情報を送信するように構成される。
【０１８４】
測定ユニット９３０は、該ターゲット測定ＧＡＰモードに応じて、異周波数／異システム測定を行うように構成される。
【０１８５】
したがって、本出願の実施例の端末装置では、複数の測定ＧＡＰモードから異周波数／異システムのための適切な測定ＧＡＰモードを選択し、これにより、ネットワークオーバーヘッドを削減することに有利である。
【０１８６】
選択可能に、本出願の実施例では、該確定ユニットは具体的に該端末装置の移動速度情報、該端末装置の現在のサービスのＱｏＳ情報、該端末装置の検出されたサービスのＱｏＳ情報と該端末装置の現在のチャネル品質情報のうちの少なくとも一つの情報に基づき、該複数のＧＡＰモードから、該ターゲット測定ＧＡＰモードを確定するように構成される。
【０１８７】
選択可能に、本出願の実施例では、該確定ユニットは具体的に該端末装置の移動速度が第一の閾値以上である場合、該複数の測定ＧＡＰモードのうちの第一の測定ＧＡＰモードを該ターゲット測定ＧＡＰモードとして確定し、該端末装置の移動速度が該第一の閾値より小さい場合、該複数の測定ＧＡＰモードのうちの第二の測定ＧＡＰモードを該ターゲット測定ＧＡＰモードとして確定するように構成され、該第一の測定ＧＡＰモードのＧＡＰ周期が該第二の測定ＧＡＰモードのＧＡＰ周期より小さい。
【０１８８】
選択可能に、本出願の実施例では、該確定ユニットは具体的に該現在のサービスのＱｏＳ情報におけるサービス遅延ニーズが第二の閾値以上である場合、該複数の測定ＧＡＰモードのうちの第三の測定ＧＡＰモードを該ターゲットの測定ＧＡＰモードとして確定し、該現在のサービスのＱｏＳ情報におけるサービス遅延ニーズが該第二の閾値より小さい場合、該複数の測定ＧＡＰモードのうちの第四の測定ＧＡＰモードを該ターゲット測定ＧＡＰモードとして確定するように構成され、該第三の測定ＧＡＰモードのＧＡＰ周期が該第四の測定ＧＡＰモードのＧＡＰ周期より大きい。
【０１８９】
選択可能に、本出願の実施例では、該確定ユニットは具体的に該現在のサービスのＱｏＳ情報におけるデータレートニーズが第三の閾値以上である場合、該複数の測定ＧＡＰモードのうちの第五の測定ＧＡＰモードを該ターゲット測定ＧＡＰモードとして確定し、該現在のサービスのＱｏＳ情報におけるデータレートニーズが該第三の閾値より小さい場合、該複数の測定ＧＡＰモードのうちの第六の測定ＧＡＰモードを該ターゲット測定ＧＡＰモードとして確定するように構成され、該第五の測定ＧＡＰモードのＧＡＰ周期が該第六の測定ＧＡＰモードのＧＡＰ周期より小さい。
【０１９０】
選択可能に、本出願の実施例では、該確定ユニットは具体的に該検出されたサービスのＱｏＳ情報におけるサービス遅延が第四の閾値以上である場合、該複数の測定ＧＡＰモードのうちの第七の測定ＧＡＰモードを該ターゲット測定ＧＡＰモードとして確定し、該検出されたサービスのＱｏＳ情報におけるサービス遅延が該第四の閾値より小さい場合、該複数の測定ＧＡＰモードのうちの第八の測定ＧＡＰモードを該ターゲット測定ＧＡＰモードとして確定するように構成され、該第七の測定ＧＡＰモードのＧＡＰ周期が該第八の測定ＧＡＰモードのＧＡＰ周期より大きい。
【０１９１】
選択可能に、本出願の実施例では、該確定ユニットは具体的に該検出されたサービスのＱｏＳ情報におけるデータレートが第五の閾値以上である場合、該複数の測定ＧＡＰモードのうちの第九の測定ＧＡＰモードを該ターゲット測定ＧＡＰモードとして確定し、該検出されたサービスのＱｏＳ情報におけるデータレートが該第五の閾値より小さい場合、該複数の測定ＧＡＰモードのうちの第十の測定ＧＡＰモードを該ターゲット測定ＧＡＰモードとして確定するように構成され、該第九の測定ＧＡＰモードのＧＡＰ周期が該第十の測定ＧＡＰモードのＧＡＰ周期より小さい。
【０１９２】
選択可能に、本出願の実施例では、該確定ユニットは具体的に該端末装置の現在のチャネル品質が第六の閾値より低い場合、該複数の測定ＧＡＰモードのうちの第十一の測定ＧＡＰモードを該ターゲット測定ＧＡＰモードとして確定し、該端末装置の現在のチャネル品質が該第六の閾値以上である場合、該複数の測定ＧＡＰモードのうちの第十二の測定ＧＡＰモードを該ターゲット測定ＧＡＰモードとして確定するように構成され、該第十一の測定ＧＡＰモードのＧＡＰ周期が該第十二の測定ＧＡＰモードのＧＡＰ周期より小さい。
【０１９３】
選択可能に、本出願の実施例では、該複数の測定ＧＡＰモードはプロトコルによって定められ又はネットワーク装置によって予め配置される。
【０１９４】
理解すべきものとして、本出願の実施例による端末装置９００は本出願の方法の実施例における端末装置に対応してもよく、且つ端末装置９００の各ユニットの上記と他の操作及び／又は機能はそれぞれ図６に示す方法における端末装置の対応するプロセスを実現するためのものであり、簡潔するために、ここでは説明を省略する。
【０１９５】
図１１は本出願の実施例によるネットワーク装置１０００を示す概略ブロック図である。図１１に示すように、該ネットワーク装置１０００は、第一の受信ユニット１１００、第二の受信ユニット１２００を備える。
【０１９６】
第一の受信ユニット１１００は、端末装置から送信されたターゲット測定ＧＡＰモードを示すための指示情報を受信するように構成される。
【０１９７】
第二の受信ユニット１２００は、端末装置が該ターゲット測定ＧＡＰモードに応じて異周波数／異システム測定を行った測定結果を受信するように構成される。
【０１９８】
理解すべきものとして、本出願の実施例によるネットワーク装置１０００は本出願の方法の実施例におけるネットワーク装置に対応してもよく、且つネットワーク装置１０００の各ユニットの上記と他の操作及び／又は機能はそれぞれ図７に示す方法におけるネットワーク装置の対応するプロセスを実現するためのものであり、簡潔するために、ここでは説明を省略する。
【０１９９】
図１２に示すように、本出願の実施例はさらに図４と図５における各方法に対応する端末装置のコンテンツを実行することに利用可能な図８の端末装置３００とすることができる端末装置５００を提供する。該端末装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。該メモリ５４０はプログラム、命令又はコードを記憶するように構成される。該プロセッサ５３０は、該メモリ５４０におけるプログラム、命令又はコードを実行し、信号を受信するように入力インタフェース５１０を制御し、信号を送信するように出力インタフェース５２０を制御し、前記方法の実施例における操作を完了するように構成される。
【０２００】
したがって、本出願の実施例の端末装置では、ネットワーク装置へターゲット測定ＧＡＰモードを確定するためのいくつかの補助情報をネットワーク装置に報告することにより、ネットワーク装置はこれらの補助情報と組み合わせて測定ＧＡＰモードを端末装置に配置し、それによって端末装置の性能と測定ＧＡＰモードをより良く一致させることができ、システムの性能を向上することに有利である。
【０２０１】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、
又は該プロセッサはいずれかの従来のプロセッサなどであってもよい。
【０２０２】
該メモリ５４０は読み取り専用メモリとランダムアクセスメモリを含み、そしてプロセッサ５３０へ命令とデータを提供することができる。メモリ５４０の一部はさらに不揮発性ランダムアクセスメモリを含むことができる。例えば、メモリ５４０はさらに装置タイプの情報を記憶することができる。
【０２０３】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０２０４】
一つの具体的な実施形態では、端末装置３００における測定ユニット３３０及び確定ユニット３４０は、図１２におけるプロセッサ５３０によって実現されてもよく、端末装置３００における送信ユニット３１０は図１２における出力インタフェース５２０によって実現されてもよく、端末装置３００における受信ユニット３２０は図１２における入力インタフェース５１０によって実現されてもよい。
【０２０５】
図１３に示すように、本出願の実施例はさらに図４と図５の各方法に対応するネットワーク装置のコンテンツを実行することに利用可能な図９のネットワーク装置４００とすることができるネットワーク装置６００を提供する。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。該メモリ６４０はプログラム、命令又はコードを記憶するように構成される。該プロセッサ６３０は該メモリ６４０におけるプログラム、命令又はコードを実行し、信号を受信するように入力インタフェース６１０を制御し、信号を送信するように出力インタフェース６２０を制御し、前記方法の実施例における操作を完了するように構成される。
【０２０６】
したがって、本出願の実施例のネットワーク装置では、端末装置から報告された、ターゲット測定ＧＡＰモードを確定するためのいくつかの補助情報と組み合わせて測定ＧＡＰモードを端末装置に配置することにより、端末装置の性能と測定ＧＡＰモードをより良く一致させることができ、システムの性能を向上することに有利である。
【０２０７】
理解すべきものとして、本発明の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ（ＤＳＰ：（Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２０８】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０２０９】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０２１０】
一つの具体的な実施形態では、ネットワーク装置４００における送信ユニット４３０は、図１３における出力インタフェース６２０によって実現されてもよく、端末装置４００における受信ユニット４１０は図１３における入力インタフェース６１０によって実現されてもよく、ネットワーク装置４００における確定ユニット４２０は図１３におけるプロセッサ６３０によって実現されてもよい。
【０２１１】
図１４に示すように、本出願の実施例はさらに図６の方法に対応する端末装置のコンテンツを実行することに利用可能な図１０の端末装置９００とすることができる端末装置２０００を提供する。該端末装置２０００は、入力インタフェース２１００、出力インタフェース２２００、プロセッサ２３００及びメモリ２４００を備え、該入力インタフェース２１００、出力インタフェース２２００、プロセッサ２３００とメモリ２４００がバスシステムを介して接続されてもよい。該メモリ２４００はプログラム、命令又はコードを記憶するように構成される。該プロセッサ２３００は、該メモリ２４００におけるプログラム、命令又はコードを実行し、信号を受信するように入力インタフェース２１００を制御し、信号を送信するように出力インタフェース２２００を制御し、前記方法の実施例における操作を完了するように構成される。
【０２１２】
したがって、本出願の実施例の端末装置では、複数の測定ＧＡＰモードから異周波数／異システムのための適切な測定ＧＡＰモードを選択し、これにより、ネットワークオーバーヘッドを削減することに有利である。
【０２１３】
理解すべきものとして、本発明の実施例では、該プロセッサ２３００は中央処理ユニット（ＣＰＵ：Ｃｅｎｔｒａｌ  Ｐｒｏｃｅｓｓｉｎｇ  Ｕｎｉｔ）であってもよく、該プロセッサ２３００はさらに他の汎用プロセッサ、デジタル信号プロセッサ（ＤＳＰ：（Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２１４】
該メモリ２４００は読み取り専用メモリとランダムアクセスメモリを含み、そしてプロセッサ２３００へ命令とデータを提供することができる。メモリ２４００の一部はさらに不揮発性ランダムアクセスメモリを含むことができる。例えば、メモリ２４００はさらに装置タイプの情報を記憶することができる。
【０２１５】
実施プロセスでは、上記方法の各内容は、プロセッサ２３００におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ２４００に位置し、プロセッサ２３００はメモリ２４００における情報を読み取り、そのハードウェアと組み合わせて上記方法の内容を完了する。繰り返しを回避するために、ここで詳細な説明を省略する。
【０２１６】
一つの具体的な実施形態では、端末装置９００における確定ユニット９１０は図１４におけるプロセッサ２３００で実現されてもよく、端末装置９００の送信ユニット９２０は図１４の出力インタフェース２２００で実現されてもよい。
【０２１７】
図１５に示すように、本出願の実施例はさらに図７の方法に対応するネットワーク装置のコンテンツを実行することに利用可能な図１１のネットワーク装置１０００とすることができるネットワーク装置３０００を提供する。該ネットワーク装置３０００は、入力インタフェース３１００、出力インタフェース３２００、プロセッサ３３００及びメモリ３４００を備え、該入力インタフェース３１００、出力インタフェース３２００、プロセッサ３３００とメモリ３４００がバスシステムを介して接続されてもよい。該メモリ３４００はプログラム、命令又はコードを記憶するように構成される。該プロセッサ３３００は、該メモリ３４００におけるプログラム、命令又はコードを実行し、信号を受信するように入力インタフェース３１００を制御し、信号を送信するように出力インタフェース３２００を制御し、前記方法の実施例における操作を完了するように構成される。
【０２１８】
したがって、本出願の実施例のネットワーク装置では、端末装置は複数の測定ＧＡＰモードから異周波数／異システムのための適切な測定ＧＡＰモードを選択し、これにより、ネットワークオーバーヘッドを削減することに有利である。
【０２１９】
理解すべきものとして、本発明の実施例では、該プロセッサ３３００は中央処理ユニット（ＣＰＵ：Ｃｅｎｔｒａｌ  Ｐｒｏｃｅｓｓｉｎｇ  Ｕｎｉｔ）であってもよく、該プロセッサ３３００はさらに他の汎用プロセッサ、デジタル信号プロセッサ（ＤＳＰ：（Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０２２０】
該メモリ３４００は読み取り専用メモリとランダムアクセスメモリを含み、そしてプロセッサ３３００へ命令とデータを提供することができる。メモリ３４００の一部はさらに不揮発性ランダムアクセスメモリを含むことができる。例えば、メモリ３４００はさらに装置タイプの情報を記憶することができる。
【０２２１】
実施プロセスでは、上記方法の各内容は、プロセッサ３３００におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ３４００に位置し、プロセッサ３３００はメモリ３４００における情報を読み取り、そのハードウェアと組み合わせて上記方法の内容を完了する。繰り返しを回避するために、ここで詳細な説明を省略する。
【０２２２】
一つの具体的な実施形態では、ネットワーク装置１０００における第一の受信ユニット１１００と第二の受信ユニット１２００は図１５における出力インタフェース３２００で実現されてもよい。
【０２２３】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２２４】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０２２５】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０２２６】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０２２７】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０２２８】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２９】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は請求項の保護範囲に準拠するべきである。
【手続補正２】
【補正対象書類名】特許請求の範囲
【補正対象項目名】全文
【補正方法】変更
【補正の内容】
【特許請求の範囲】
【請求項１】
異周波数／異システム測定のための方法であって、
端末装置がネットワーク装置へターゲット測定間隔（ＧＡＰ）モードを確定するための補助情報を送信することと、
前記端末装置が前記ネットワーク装置から送信された指示情報を受信することであって、前記指示情報が前記ターゲット測定ＧＡＰモードを示すことに用いられることと、
前記端末装置が前記ターゲット測定ＧＡＰモードに応じて、異周波数／異システム測定を行うこととを含む、前記異方法。
【請求項２】
前記補助情報は前記端末装置の所望の測定ＧＡＰモード、又は前記ネットワーク装置が前回に配置した測定ＧＡＰモードのＧＡＰ周期に対する、前記端末装置の所望の測定ＧＡＰモードのＧＡＰ周期の増分値であり、該方法はさらに、
前記端末装置が複数の測定ＧＡＰモードから、前記所望の測定ＧＡＰモードを確定することを含むことを特徴とする
請求項１に記載の方法。
【請求項３】
前記端末装置が複数の測定ＧＡＰモードから、前記所望の測定ＧＡＰモードを確定することは、
前記端末装置が、前記端末装置の移動速度情報、前記端末装置の現在のサービスのサービス品質（ＱｏＳ）情報、前記端末装置の検出されたサービスのＱｏＳ情報と前記端末装置の現在のチャネル品質情報のうちの少なくとも一つの情報に基づき、前記複数の測定ＧＡＰモードから、前記所望の測定ＧＡＰモードを確定することを含むことを特徴とする
請求項２に記載の方法。
【請求項４】
前記端末装置が前記端末装置の移動速度情報に基づき、前記複数のＧＡＰモードから、前記所望の測定ＧＡＰモードを確定することは、
前記端末装置の移動速度が第一の閾値以上である場合、前記端末装置が前記複数の測定ＧＡＰモードのうちの第一の測定ＧＡＰモードを前記所望の測定ＧＡＰモードとして確定することと、
前記端末装置の移動速度が前記第一の閾値より小さい場合、前記端末装置が前記複数の測定ＧＡＰモードのうちの第二の測定ＧＡＰモードを前記所望の測定ＧＡＰモードとして確定し、前記第一の測定ＧＡＰモードのＧＡＰ周期が前記第二の測定ＧＡＰモードのＧＡＰ周期より小さいこととを含むことを特徴とする
請求項３に記載の方法。
【請求項５】
前記端末装置が前記端末装置の現在のサービスのＱｏＳ情報に基づき、前記複数の測定ＧＡＰモードから、前記所望の測定ＧＡＰモードを確定することは、
前記現在のサービスのＱｏＳ情報におけるサービス遅延ニーズが第二の閾値以上である場合、前記端末装置が前記複数の測定ＧＡＰモードのうちの第三の測定ＧＡＰモードを前記所望の測定ＧＡＰモードとして確定することと、
前記現在のサービスのＱｏＳ情報におけるサービス遅延ニーズが第二の閾値より小さい場合、前記端末装置が前記複数の測定ＧＡＰモードのうちの第四の測定ＧＡＰモードを前記所望の測定ＧＡＰモードとして確定し、前記第三の測定ＧＡＰモードのＧＡＰ周期が前記第四の測定ＧＡＰモードのＧＡＰ周期より大きいこととを含むことを特徴とする
請求項３に記載の方法。
【請求項６】
前記端末装置が前記端末装置の現在のサービスのＱｏＳ情報に基づき、前記複数の測定ＧＡＰモードから、前記所望の測定ＧＡＰモードを確定することは、
前記現在のサービスのＱｏＳ情報におけるデータレートニーズが第三の閾値以上である場合、前記端末装置が前記複数の測定ＧＡＰモードのうちの第五の測定ＧＡＰモードを前記所望の測定ＧＡＰモードとして確定することと、
前記現在のサービスのＱｏＳ情報におけるデータレートニーズが第三の閾値より小さい場合、前記端末装置が前記複数の測定ＧＡＰモードのうちの第六の測定ＧＡＰモードを前記所望の測定ＧＡＰモードとして確定し、前記第五の測定ＧＡＰモードのＧＡＰ周期が前記第六の測定ＧＡＰモードのＧＡＰ周期より小さいこととを含むことを特徴とする
請求項３に記載の方法。
【請求項７】
前記端末装置が検出されたサービスのＱｏＳ情報に基づき、前記複数の測定ＧＡＰモードから、前記所望の測定ＧＡＰモードを確定することは、
前記検出されたサービスのＱｏＳ情報におけるサービス遅延が第四の閾値以上である場合、前記端末装置が前記複数の測定ＧＡＰモードのうちの第七の測定ＧＡＰモードを前記所望の測定ＧＡＰモードとして確定することと、
前記検出されたサービスのＱｏＳ情報におけるサービス遅延が前記第四の閾値より小さい場合、前記端末装置が前記複数の測定ＧＡＰモードのうちの第八の測定ＧＡＰモードを前記所望の測定ＧＡＰモードとして確定し、前記第七の測定ＧＡＰモードのＧＡＰ周期が前記第八の測定ＧＡＰモードのＧＡＰ周期より大きいこととを含むことを特徴とする
請求項３に記載の方法。
【請求項８】
前記端末装置が検出されたサービスのＱｏＳ情報に基づき、前記複数の測定ＧＡＰモードから、前記所望の測定ＧＡＰモードを確定することは、
前記検出されたサービスのＱｏＳ情報におけるデータレートが第五の閾値以上である場合、前記端末装置が前記複数の測定ＧＡＰモードのうちの第九の測定ＧＡＰモードを前記所望の測定ＧＡＰモードとして確定することと、
前記検出されたサービスのＱｏＳ情報におけるデータレートが前記第五の閾値より小さい場合、前記端末装置が前記複数の測定ＧＡＰモードのうちの第十の測定ＧＡＰモードを前記所望の測定ＧＡＰモードとして確定し、前記第九の測定ＧＡＰモードのＧＡＰ周期が前記第十の測定ＧＡＰモードのＧＡＰ周期より小さいこととを含むことを特徴とする
請求項３に記載の方法。
【請求項９】
前記端末装置が前記端末装置の現在のサービスのＱｏＳ情報に基づき、前記複数の測定ＧＡＰモードから、前記所望の測定ＧＡＰモードを確定することは、
前記端末装置の現在のチャネル品質が第六の閾値より低い場合、前記端末装置が前記複数の測定ＧＡＰモードのうちの第十一の測定ＧＡＰモードを前記所望の測定ＧＡＰモードとして確定することと、
前記端末装置の現在のチャネル品質が前記第六の閾値以上である場合、前記端末装置が前記複数の測定ＧＡＰモードのうちの第十二の測定ＧＡＰモードを前記所望の測定ＧＡＰモードとして確定し、前記第十一の測定ＧＡＰモードのＧＡＰ周期が前記第十二の測定ＧＡＰモードのＧＡＰ周期より小さいこととを含むことを特徴とする
請求項３に記載の方法。
【請求項１０】
前記複数の測定ＧＡＰモードはプロトコルによって定められ又はネットワーク装置によって予め配置されることを特徴とする
請求項２−７のいずれか一項に記載の方法。
【請求項１１】
前記補助情報は、前記端末装置の移動速度情報、前記端末装置の現在のサービスのＱｏＳ情報、前記端末装置の検出されたサービスのＱｏＳ情報と前記端末装置の現在のチャネル品質情報のうちの少なくとも一つの情報を含むことを特徴とする
請求項１に記載の方法。
【請求項１２】
前記端末装置が前記ネットワーク装置から送信された指示情報を受信することは、
前記端末装置が無線リソース制御（ＲＲＣ）シグナリングによって前記指示情報を受信することを含むことを特徴とする
請求項１−１１のいずれか一項に記載の方法。
【請求項１３】
端末装置であって、
請求項１−１２のいずれか一項に記載の方法を実行するように構成される、前記端末装置。
【請求項１４】
ネットワーク装置であって、
端末装置から送信された測定間隔（ＧＡＰ）の補助情報を受信するように構成される受信ユニットと、
前記補助情報に基づき、異周波数／異システム測定のためのターゲット測定ＧＡＰモードを確定するように構成される確定ユニットと、
前記端末装置へ前記ターゲット測定ＧＡＰモードを示すための指示情報を送信するように構成される送信ユニットとを備える、前記ネットワーク装置。
【手続補正３】
【補正対象書類名】図面
【補正対象項目名】図１１
【補正方法】変更
【補正の内容】
【図１１】
2020532153.tif 000018
【国際調査報告】
2020532153.tif 000019
2020532153.tif 000020
2020532153.tif 000021
2020532153.tif 000022